(57)【要約】  本発明の実施例は、データ伝送方法、受信側装置及び送信側装置に関する。該方法は、第１のデータ信号及び第２のデータ信号を伝送するための第１のデータストリームと第２のデータストリームとがマッピングされた第１のＴＢセットを少なくとも１つの受信側装置に送信するステップと、該第１のＴＢセットにおけるＴＢ伝送にエラーが生じたとき、第３のデータストリームと第４のデータストリームとがマッピングされた第２のＴＢセットを該少なくとも１つの受信側装置に送信するステップとを含み、該第３のデータストリームが伝送した第３のデータ信号が該第２のデータ信号の共役の反数に等しく、該第４のデータストリームが伝送した第４のデータ信号が該第１のデータ信号の共役に等しく、該第２のＴＢセット及び該第１のＴＢセットは、該少なくとも１つの受信側装置が該第１のデータ信号及び該第２のデータ信号を決定するのに用いられる。本発明の実施例のデータ伝送方法、受信側装置及び送信側装置は、データ伝送効率を向上できる。
2019537286.tif 000002
【特許請求の範囲】
【請求項１】
データ伝送方法であって、
第１の時点に、送信側装置が、第１の周波数を用いて第１のデータストリームを介して受信側装置に第１のデータ信号を送信し、前記第１の周波数を用いて第２のデータストリームを介して前記受信側装置に第２のデータ信号を送信するステップと、
前記第１の時点後の第２の時点に、前記送信側装置が、前記第１の周波数を用いて、前記受信側装置が前記第１のデータ信号及び前記第２のデータ信号を決定するための前記第１のデータストリームを介して、前記受信側装置に前記第２のデータ信号の共役の反数に等しい第３のデータ信号を送信し、前記第１の周波数を用いて、前記受信側装置が前記第１のデータ信号及び前記第２のデータ信号を決定するための前記第２のデータストリームを介して、前記受信側装置に前記第１のデータ信号の共役に等しい第４のデータ信号を送信するステップと
を含み、
或いは、
第１の時点に、前記送信側装置が、第１の周波数を用いて第１のデータストリームを介して前記受信側装置に第１のデータ信号を送信し、前記第１の周波数を用いて第２のデータストリームを介して前記受信側装置に第２のデータ信号を送信するステップと、
前記第１の時点に、前記送信側装置が、第２の周波数を用いて、前記受信側装置が前記第１のデータ信号及び前記第２のデータ信号を決定するための前記第１のデータストリームを介して、前記受信側装置に前記第２のデータ信号の共役の反数に等しい第３のデータ信号を送信し、前記第２の周波数を用いて、前記受信側装置が前記第１のデータ信号及び前記第２のデータ信号を決定するための前記第２のデータストリームを介して、前記受信側装置に前記第１のデータ信号の共役に等しい第４のデータ信号を送信するステップと
を含むことを特徴とするデータ伝送方法。
【請求項２】
前記第１のデータストリーム及び前記第２のデータストリームは、同一の伝送ブロックにマッピングされる、ことを特徴とする請求項１に記載の方法。
【請求項３】
前記送信側装置が端末装置であり、前記受信側装置が基地局であり、
或いは、
前記送信側装置が基地局であり、前記受信側装置が端末装置であることを特徴とする請求項１又は２に記載の方法。
【請求項４】
前記方法は、
前記基地局が、前記端末装置と前記基地局との間のデータ信号伝送方式を指示するための指示情報を前記端末装置に送信する、
ことをさらに含むことを特徴とする請求項３に記載の方法。
【請求項５】
前記送信側装置が前記基地局である場合、前記基地局は、前記第１のデータストリームにおけるデータ信号を送信する第１の基地局と、前記第２のデータストリームにおけるデータ信号を送信する第２の基地局とを含む、
ことを特徴とする請求項３又は４に記載の方法。
【請求項６】
データ伝送方法であって、
第１の時点に、受信側装置が、送信側装置が第１の周波数を用いて第１のデータストリームを介して送信した第１のデータ信号、及び前記第１の周波数を用いて第２のデータストリームを介して送信した第２のデータ信号を受信するステップと、
前記第１の時点後の第２の時点に、前記受信側装置が、前記送信側装置が前記第１の周波数を用いて前記第１のデータストリームを介して送信した、前記第２のデータ信号の共役の反数に等しい第３のデータ信号、及び前記第１の周波数を用いて前記第２のデータストリームを介して送信した、前記第１のデータ信号の共役に等しい第４のデータ信号を受信するステップと、
前記受信側装置が、前記第１のデータストリーム及び前記第２のデータストリームに基づいて、前記第１のデータ信号及び前記第２のデータ信号を決定するステップと
を含み、
或いは、
第１の時点に、前記受信側装置が、前記送信側装置が第１の周波数を用いて第１のデータストリームを介して送信した第１のデータ信号、及び前記第１の周波数を用いて第２のデータストリームを介して送信した第２のデータ信号を受信するステップと、
前記第１の時点に、前記受信側装置が、前記送信側装置が第２の周波数を用いて前記第１のデータストリームを介して送信した、前記第２のデータ信号の共役の反数に等しい第３のデータ信号、及び前記第２の周波数を用いて前記第２のデータストリームを介して送信した、前記第１のデータ信号の共役に等しい第４のデータ信号を受信するステップと、
前記受信側装置が、前記第１のデータストリーム及び前記第２のデータストリームに基づいて、前記第１のデータ信号及び前記第２のデータ信号を決定するステップと
を含むことを特徴とするデータ伝送方法。
【請求項７】
前記第１のデータストリーム及び前記第２のデータストリームは、同一の伝送ブロックにマッピングされる、ことを特徴とする請求項６に記載の方法。
【請求項８】
前記受信側装置が基地局であり、前記送信側装置が端末装置であり、
或いは、
前記受信側装置が端末装置であり、前記送信側装置が基地局である、
ことを特徴とする請求項６又は７に記載の方法。
【請求項９】
前記方法は、
前記端末装置が、前記基地局が送信した、前記端末装置と前記基地局との間のデータ信号伝送方式を指示するための指示情報を受信するステップ、
をさらに含むことを特徴とする請求項８に記載の方法。
【請求項１０】
前記送信側装置が前記基地局である場合、前記基地局は、前記第１のデータストリームにおけるデータ信号を送信する第１の基地局と、前記第２のデータストリームにおけるデータ信号を送信する第２の基地局とを含む、ことを特徴とする請求項８又は９に記載の方法。
【請求項１１】
データ伝送方法であって、
送信側装置が、第１のデータ信号及び第２のデータ信号を含むデータ信号を伝送するための第１のデータストリームと第２のデータストリームとが伝送ブロックにマッピングされた第１の伝送ブロックセットを、少なくとも１つの受信側装置に送信するステップと、
前記第１の伝送ブロックセットにおける伝送ブロックの伝送にエラーが生じたとき、前記送信側装置が、前記第２のデータ信号の共役の反数に等しい第３のデータ信号を伝送するための第３のデータストリームと、前記第１のデータ信号の共役に等しい第４のデータ信号を伝送するための第４のデータストリームとが伝送ブロックにマッピングされた第２の伝送ブロックセットを、前記少なくとも１つの受信側装置に送信するステップと、
を含み、
前記第２の伝送ブロックセット及び前記第１の伝送ブロックセットは、前記少なくとも１つの受信側装置が前記第１のデータ信号及び前記第２のデータ信号を決定するのに用いられる、
ことを特徴とするデータ伝送方法。
【請求項１２】
前記第１のデータストリームは、前記第１のデータ信号を伝送するのに用いられ、前記第２のデータストリームは、前記第２のデータ信号を伝送するのに用いられる、
ことを特徴とする請求項１１に記載の方法。
【請求項１３】
前記第１のデータストリームは、第１の時点に第１の周波数を用いて前記第１のデータ信号を伝送し、第２の周波数を用いて前記第３のデータ信号を伝送するのに用いられ、
前記第２のデータストリームは、前記第１の時点に前記第１の周波数を用いて前記第２のデータ信号を伝送し、前記第２の周波数を用いて前記第４のデータ信号を伝送するのに用いられる、
ことを特徴とする請求項１１に記載の方法。
【請求項１４】
前記第１のデータストリームは、第１の時点に第１の周波数を用いて前記第１のデータ信号を伝送し、第２の時点に前記第１の周波数を用いて前記第３のデータ信号を伝送するのに用いられ、
前記第２のデータストリームは、前記第１の時点に前記第１の周波数を用いて前記第２のデータ信号を伝送し、前記第２の時点に前記第１の周波数を用いて前記第４のデータ信号を伝送するのに用いられる、
ことを特徴とする請求項１１に記載の方法。
【請求項１５】
前記第１の伝送ブロックセットは、第１の伝送ブロックを含み、前記第１のデータストリーム及び前記第２のデータストリームはいずれも前記第１の伝送ブロックにマッピングされ、
前記第２の伝送ブロックセットは、第２の伝送ブロックを含み、前記第３のデータストリーム及び前記第４のデータストリームはいずれも前記第２の伝送ブロックにマッピングされる、
ことを特徴とする請求項１１から１４のいずれか１項に記載の方法。
【請求項１６】
前記第１の伝送ブロックセットは、第１の伝送ブロックと、第２の伝送ブロックとを含み、前記第１のデータストリームは前記第１の伝送ブロックにマッピングされ、前記第２のデータストリームは前記第２の伝送ブロックにマッピングされ、
前記第２の伝送ブロックセットは、第３の伝送ブロックと、第４の伝送ブロックとを含み、前記第３のデータストリームは前記第３の伝送ブロックにマッピングされ、前記第４のデータストリームは前記第４の伝送ブロックにマッピングされる、
ことを特徴とする請求項１１から１４のいずれか１項に記載の方法。
【請求項１７】
前記送信側装置は、基地局であり、前記少なくとも１つの受信側装置は、第１の端末装置と、第２の端末装置とを含み、
送信側装置が、少なくとも１つの受信側装置に第１の伝送ブロックセットを送信するステップは、
前記基地局が、前記第１の端末装置に前記第１の伝送ブロックを送信し、前記第２の端末装置に前記第２の伝送ブロックを送信するステップを含み、
前記送信側装置が、前記少なくとも１つの受信側装置に第２の伝送ブロックセットを送信するステップは、
前記基地局が、前記第１の端末装置に前記第３の伝送ブロックを送信し、前記第２の端末装置に前記第４の伝送ブロックを送信するステップを含み、
前記第１の伝送ブロック及び前記第３の伝送ブロックは、前記第１の端末装置が前記第１のデータ信号を決定するのに用いられ、前記第２の伝送ブロック及び前記第４の伝送ブロックは、前記第２の端末装置が前記第２のデータ信号を決定するのに用いられる、
ことを特徴とする請求項１６に記載の方法。
【請求項１８】
前記送信側装置が端末装置であり、前記少なくとも１つの受信側装置が基地局であり、
或いは、
前記送信側装置が基地局であり、前記少なくとも１つの受信側装置が端末装置である、
ことを特徴とする請求項１１から１６のいずれか１項に記載の方法。
【請求項１９】
前記方法は、
前記基地局が、前記端末装置が伝送ブロックの伝送にエラーが生じたときに採用する再伝送方式を指示するための指示情報を前記端末装置に送信するステップ、
をさらに含むことを特徴とする請求項１８に記載の方法。
【請求項２０】
データ伝送方法であって、
送信側装置と少なくとも１つの受信側装置とを備える通信システムに適用され、
前記少なくとも１つの受信側装置のうちのいずれか１つの受信側装置である第１の受信側装置が、前記送信側装置が前記少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信するステップと、
前記第１の伝送ブロックセットにおける伝送ブロックの伝送にエラーが生じたとき、前記第１の受信側装置が、前記送信側装置が前記少なくとも１つの受信側装置に送信した、前記第２のデータ信号の共役の反数に等しい第３のデータ信号を伝送するための第３のデータストリームと、前記第１のデータ信号の共役に等しい第４のデータ信号を伝送するための第４のデータストリームとが伝送ブロックにマッピングされた第２の伝送ブロックセットを受信するステップと
を含み、
前記第２の伝送ブロックセット及び前記第１の伝送ブロックセットは、前記少なくとも１つの受信側装置が前記第１のデータ信号及び前記第２のデータ信号を決定するのに用いられる、
ことを特徴とするデータ伝送方法。
【請求項２１】
前記第１のデータストリームは、前記第１のデータ信号を伝送するのに用いられ、前記第２のデータストリームは、前記第２のデータ信号を伝送するのに用いられる、
ことを特徴とする請求項２０に記載の方法。
【請求項２２】
前記第１のデータストリームは、第１の時点に第１の周波数を用いて前記第１のデータ信号を伝送し、第２の周波数を用いて前記第３のデータ信号を伝送するのに用いられ、
前記第２のデータストリームは、前記第１の時点に前記第１の周波数を用いて前記第２のデータ信号を伝送し、前記第２の周波数を用いて前記第４のデータ信号を伝送するのに用いられる、
ことを特徴とする請求項２０に記載の方法。
【請求項２３】
前記第１のデータストリームは、第１の時点に第１の周波数を用いて前記第１のデータ信号を伝送し、第２の時点に前記第１の周波数を用いて前記第３のデータ信号を伝送するのに用いられ、
前記第２のデータストリームは、前記第１の時点に前記第１の周波数を用いて前記第２のデータ信号を伝送し、前記第２の時点に前記第１の周波数を用いて前記第４のデータ信号を伝送するのに用いられる、
ことを特徴とする請求項２０に記載の方法。
【請求項２４】
前記第１の伝送ブロックセットは、第１の伝送ブロックを含み、前記第１のデータストリーム及び前記第２のデータストリームがいずれも前記第１の伝送ブロックにマッピングされ、
前記第２の伝送ブロックセットは、第２の伝送ブロックを含み、前記第３のデータストリーム及び前記第４のデータストリームがいずれも前記第２の伝送ブロックにマッピングされる、
ことを特徴とする請求項２０から２３のいずれか１項に記載の方法。
【請求項２５】
前記第１の伝送ブロックセットは、第１の伝送ブロックと、第２の伝送ブロックとを含み、前記第１のデータストリームが前記第１の伝送ブロックにマッピングされ、前記第２のデータストリームが前記第２の伝送ブロックにマッピングされ、
前記第２の伝送ブロックセットは、第３の伝送ブロックと、第４の伝送ブロックとを含み、前記第３のデータストリームが前記第３の伝送ブロックにマッピングされ、前記第４のデータストリームが前記第４の伝送ブロックにマッピングされる、
ことを特徴とする請求項２０から２３のいずれか１項に記載の方法。
【請求項２６】
前記少なくとも１つの受信側装置は、第１の端末装置と、第２の端末装置とを含み、前記送信側装置は、基地局であり、
前記第１の受信側装置が、前記送信側装置が前記少なくとも１つの受信側装置に送信した第１の伝送ブロックセットを受信するステップは、
前記第１の端末装置が、前記基地局が送信した前記第１の伝送ブロックを受信し、前記基地局が前記第２の伝送ブロックを前記第２の端末装置に送信するステップを含み、
前記第１の受信側装置が、前記送信側装置が前記少なくとも１つの受信側装置に送信した第２の伝送ブロックセットを受信するステップは、
前記第１の端末装置が、前記基地局が送信した前記第３の伝送ブロックを受信し、前記基地局が前記第４の伝送ブロックを前記第２の端末装置に送信するステップを含み、
前記第１の伝送ブロック及び前記第３の伝送ブロックは、前記第１の端末装置が前記第１のデータ信号を決定するのに用いられ、前記第２の伝送ブロック及び前記第４の伝送ブロックは、前記第２の端末装置が前記第２のデータ信号を決定するのに用いられる、
ことを特徴とする請求項２５に記載の方法。
【請求項２７】
前記第１の受信側装置が基地局であり、前記送信側装置が端末装置であり、
或いは、
前記第１の受信側装置が端末装置であり、前記送信側装置が基地局である、
ことを特徴とする請求項２０から２５のいずれか１項に記載の方法。
【請求項２８】
前記方法は、
前記端末装置が、前記基地局が送信した、前記端末装置が伝送ブロックの伝送にエラーが生じたときに採用する再伝送方式を指示するための指示情報を受信するステップ、
をさらに含むことを特徴とする請求項２７に記載の方法。
【請求項２９】
送信側装置であって、
第１の時点に、第１の周波数を用いて第１のデータストリームを介して受信側装置に第１のデータ信号を送信し、前記第１の周波数を用いて第２のデータストリームを介して前記受信側装置に第２のデータ信号を送信し、
さらに、前記第１の時点後の第２の時点に、前記第１の周波数を用いて、前記受信側装置が前記第１のデータ信号及び前記第２のデータ信号を決定するための前記第１のデータストリームを介して、前記受信側装置に前記第２のデータ信号の共役の反数に等しい第３のデータ信号を送信し、前記第１の周波数を用いて、前記受信側装置が前記第１のデータ信号及び前記第２のデータ信号を決定するための前記第２のデータストリームを介して、前記受信側装置に前記第１のデータ信号の共役に等しい第４のデータ信号を送信するための送信モジュールを備え、
或いは、
第１の時点に、第１の周波数を用いて第１のデータストリームを介して前記受信側装置に第１のデータ信号を送信し、前記第１の周波数を用いて第２のデータストリームを介して前記受信側装置に第２のデータ信号を送信し、
さらに、前記第１の時点に、第２の周波数を用いて、前記受信側装置が前記第１のデータ信号及び前記第２のデータ信号を決定するための前記第１のデータストリームを介して、前記受信側装置に前記第２のデータ信号の共役の反数に等しい第３のデータ信号を送信し、前記第２の周波数を用いて、前記受信側装置が前記第１のデータ信号及び前記第２のデータ信号を決定するための前記第２のデータストリームを介して、前記受信側装置に前記第１のデータ信号の共役に等しい第４のデータ信号を送信するための送信モジュールを備える、
ことを特徴とする送信側装置。
【請求項３０】
前記第１のデータストリーム及び前記第２のデータストリームは、同一の伝送ブロックにマッピングされる、ことを特徴とする請求項２９に記載の送信側装置。
【請求項３１】
前記送信側装置が端末装置であり、前記受信側装置が基地局であり、
或いは、
前記送信側装置が基地局であり、前記受信側装置が端末装置である、
ことを特徴とする請求項２９又は３０に記載の送信側装置。
【請求項３２】
前記基地局は、前記端末装置と前記基地局との間のデータ信号伝送方式を指示するための指示情報を前記端末装置に送信するのに用いられる、ことを特徴とする請求項３１に記載の送信側装置。
【請求項３３】
前記送信側装置が前記基地局である場合、前記基地局は、第１の送信ユニットを含む第１の基地局と、第２の送信ユニットを含む第２の基地局とを含み、前記送信モジュールは前記第１の送信ユニットと、前記第２の送信ユニットとを含み、
前記第１の送信ユニットは、前記第１のデータストリームにおけるデータ信号を送信するのに用いられ、前記第２の送信ユニットは、前記第２のデータストリームにおけるデータ信号を送信するのに用いられる、
ことを特徴とする請求項３１又は３２に記載の送信側装置。
【請求項３４】
受信側装置であって、
第１の時点に、送信側装置が第１の周波数を用いて第１のデータストリームを介して送信した第１のデータ信号、及び前記第１の周波数を用いて第２のデータストリームを介して送信した第２のデータ信号を受信し、
さらに、前記第１の時点後の第２の時点に、前記送信側装置が前記第１の周波数を用いて前記第１のデータストリームを介して送信した、前記第２のデータ信号の共役の反数に等しい第３のデータ信号、及び前記第１の周波数を用いて前記第２のデータストリームを介して送信した、前記第１のデータ信号の共役に等しい第４のデータ信号を受信するための受信モジュールと、
前記第１のデータストリーム及び前記第２のデータストリームに基づいて、前記第１のデータ信号及び前記第２のデータ信号を決定するための決定モジュールと
を備え、
或いは、
第１の時点に、前記送信側装置が第１の周波数を用いて第１のデータストリームを介して送信した第１のデータ信号、及び前記第１の周波数を用いて第２のデータストリームを介して送信した第２のデータ信号を受信し、
さらに、前記第１の時点に、前記送信側装置が第２の周波数を用いて前記第１のデータストリームを介して送信した、前記第２のデータ信号の共役の反数に等しい第３のデータ信号、及び前記第２の周波数を用いて前記第２のデータストリームを介して送信した、前記第１のデータ信号の共役に等しい第４のデータ信号を受信するための受信モジュールと、
前記第１のデータストリーム及び前記第２のデータストリームに基づいて、前記第１のデータ信号及び前記第２のデータ信号を決定するための決定モジュールと
を備える、
ことを特徴とする受信側装置。
【請求項３５】
前記第１のデータストリーム及び前記第２のデータストリームは、同一の伝送ブロックにマッピングされる、ことを特徴とする請求項３４に記載の受信側装置。
【請求項３６】
前記受信側装置が基地局であり、前記送信側装置が端末装置であり、
或いは、
前記受信側装置が端末装置であり、前記送信側装置が基地局である、ことを特徴とする請求項３４又は３５に記載の受信側装置。
【請求項３７】
前記端末装置は、前記基地局が送信した、前記端末装置と前記基地局との間のデータ信号伝送方式を指示するための指示情報を受信するのに用いられる、ことを特徴とする請求項３６に記載の受信側装置。
【請求項３８】
前記送信側装置が前記基地局である場合、前記基地局は、第１の基地局と、第２の基地局とを含み、
前記第１の基地局は、前記第１のデータストリームにおけるデータ信号を送信するのに用いられ、前記第２の基地局は、前記第２のデータストリームにおけるデータ信号を送信するのに用いられる、
ことを特徴とする請求項３６又は３７に記載の受信側装置。
【請求項３９】
送信側装置であって、
少なくとも１つの受信側装置に、第１のデータ信号及び第２のデータ信号を含むデータ信号を伝送するための第１のデータストリームと第２のデータストリームとが伝送ブロックにマッピングされた第１の伝送ブロックセットを送信するための第１の送信モジュールと、
前記第１の伝送ブロックセットにおける伝送ブロックの伝送にエラーが生じたとき、前記少なくとも１つの受信側装置に、前記第２のデータ信号の共役の反数に等しい第３のデータ信号を伝送するための第３のデータストリームと、前記第１のデータ信号の共役に等しい第４のデータ信号を伝送するための第４のデータストリームとが伝送ブロックにマッピングされた第２の伝送ブロックセットを送信するための第２の送信モジュールとを備え、
前記第２の伝送ブロックセット及び前記第１の伝送ブロックセットは、前記少なくとも１つの受信側装置が前記第１のデータ信号及び前記第２のデータ信号を決定するのに用いられる、
ことを特徴とする送信側装置。
【請求項４０】
前記第１のデータストリームは、前記第１のデータ信号を伝送するのに用いられ、前記第２のデータストリームは、前記第２のデータ信号を伝送するのに用いられる、ことを特徴とする請求項３９に記載の送信側装置。
【請求項４１】
前記第１のデータストリームは、第１の時点に第１の周波数を用いて前記第１のデータ信号を伝送し、第２の周波数を用いて前記第３のデータ信号を伝送するのに用いられ、
前記第２のデータストリームは、前記第１の時点に前記第１の周波数を用いて前記第２のデータ信号を伝送し、前記第２の周波数を用いて前記第４のデータ信号を伝送するのに用いられる、
ことを特徴とする請求項３９に記載の送信側装置。
【請求項４２】
前記第１のデータストリームは、第１の時点に第１の周波数を用いて前記第１のデータ信号を伝送し、第２の時点に前記第１の周波数を用いて前記第３のデータ信号を伝送するのに用いられ、
前記第２のデータストリームは、前記第１の時点に前記第１の周波数を用いて前記第２のデータ信号を伝送し、前記第２の時点に前記第１の周波数を用いて前記第４のデータ信号を伝送するのに用いられる、
ことを特徴とする請求項３９に記載の送信側装置。
【請求項４３】
前記第１の伝送ブロックセットは、第１の伝送ブロックを含み、前記第１のデータストリーム及び前記第２のデータストリームがいずれも前記第１の伝送ブロックにマッピングされ、
前記第２の伝送ブロックセットは、第２の伝送ブロックを含み、前記第３のデータストリーム及び前記第４のデータストリームがいずれも前記第２の伝送ブロックにマッピングされる、
ことを特徴とする請求項３９から４２のいずれか１項に記載の送信側装置。
【請求項４４】
前記第１の伝送ブロックセットは、第１の伝送ブロックと、第２の伝送ブロックとを含み、前記第１のデータストリームが前記第１の伝送ブロックにマッピングされ、前記第２のデータストリームが前記第２の伝送ブロックにマッピングされ、
前記第２の伝送ブロックセットは、第３の伝送ブロックと、第４の伝送ブロックとを含み、前記第３のデータストリームが前記第３の伝送ブロックにマッピングされ、前記第４のデータストリームが前記第４の伝送ブロックにマッピングされる、
ことを特徴とする請求項３９から４２のいずれか１項に記載の送信側装置。
【請求項４５】
前記送信側装置は、基地局であり、前記少なくとも１つの受信側装置は、第１の端末装置と、第２の端末装置とを含み、
前記第１の送信モジュールは、具体的には、
前記第１の端末装置に前記第１の伝送ブロックを送信し、前記第２の端末装置に前記第２の伝送ブロックを送信するのに用いられ、
前記第２の送信モジュールは、具体的には、
前記第１の端末装置に前記第３の伝送ブロックを送信し、前記第２の端末装置に前記第４の伝送ブロックを送信し、前記第１の伝送ブロック及び前記第３の伝送ブロックは、前記第１の端末装置が前記第１のデータ信号を決定するのに用いられ、前記第２の伝送ブロック及び前記第４の伝送ブロックは、前記第２の端末装置が前記第２のデータ信号を決定するのに用いられる、
ことを特徴とする請求項４４に記載の送信側装置。
【請求項４６】
前記送信側装置が端末装置であり、前記少なくとも１つの受信側装置が基地局であり、
或いは、
前記送信側装置が基地局であり、前記少なくとも１つの受信側装置が端末装置である、
ことを特徴とする請求項３９から４４のいずれか１項に記載の送信側装置。
【請求項４７】
前記基地局は、前記端末装置が伝送ブロックの伝送にエラーが生じたときに採用する再伝送方式を指示するための指示情報を前記端末装置に送信するのに用いられる、ことを特徴とする請求項４６に記載の送信側装置。
【請求項４８】
受信側装置であって、
送信側装置と少なくとも１つの受信側装置とを備える通信システムに位置し、前記少なくとも１つの受信側装置のうちのいずれか１つの受信側装置であり、
前記送信側装置が前記少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信するための第１の受信モジュールと、
前記第１の伝送ブロックセットにおける伝送ブロックの伝送にエラーが生じたとき、前記送信側装置が前記少なくとも１つの受信側装置に送信した、前記第２のデータ信号の共役の反数に等しい第３のデータ信号を伝送するための第３のデータストリームと、前記第１のデータ信号の共役に等しい第４のデータ信号を伝送するための第４のデータストリームとが伝送ブロックにマッピングされた第２の伝送ブロックセットを受信するための第２の受信モジュールと
を備え、
前記第２の伝送ブロックセット及び前記第１の伝送ブロックセットは、前記少なくとも１つの受信側装置が前記第１のデータ信号及び前記第２のデータ信号を決定するのに用いられる、
ことを特徴とする受信側装置。
【請求項４９】
前記第１のデータストリームは、前記第１のデータ信号を伝送するのに用いられ、前記第２のデータストリームは、前記第２のデータ信号を伝送するのに用いられる、ことを特徴とする請求項４８に記載の受信側装置。
【請求項５０】
前記第１のデータストリームは、第１の時点に第１の周波数を用いて前記第１のデータ信号を伝送し、第２の周波数を用いて前記第３のデータ信号を伝送するのに用いられ、
前記第２のデータストリームは、前記第１の時点に前記第１の周波数を用いて前記第２のデータ信号を伝送し、前記第２の周波数を用いて前記第４のデータ信号を伝送するのに用いられる、ことを特徴とする請求項４８に記載の受信側装置。
【請求項５１】
前記第１のデータストリームは、第１の時点に第１の周波数を用いて前記第１のデータ信号を伝送し、第２の時点に前記第１の周波数を用いて前記第３のデータ信号を伝送するのに用いられ、
前記第２のデータストリームは、前記第１の時点に前記第１の周波数を用いて前記第２のデータ信号を伝送し、前記第２の時点に前記第１の周波数を用いて前記第４のデータ信号を伝送するのに用いられる、
ことを特徴とする請求項４８に記載の受信側装置。
【請求項５２】
前記第１の伝送ブロックセットは、第１の伝送ブロックを含み、前記第１のデータストリーム及び前記第２のデータストリームがいずれも前記第１の伝送ブロックにマッピングされ、
前記第２の伝送ブロックセットは、第２の伝送ブロックを含み、前記第３のデータストリーム及び前記第４のデータストリームがいずれも前記第２の伝送ブロックにマッピングされる、
ことを特徴とする請求項４８から５１のいずれか１項に記載の受信側装置。
【請求項５３】
前記第１の伝送ブロックセットは、第１の伝送ブロックと、第２の伝送ブロックとを含み、前記第１のデータストリームが前記第１の伝送ブロックにマッピングされ、前記第２のデータストリームが前記第２の伝送ブロックにマッピングされ、
前記第２の伝送ブロックセットは、第３の伝送ブロックと、第４の伝送ブロックとを含み、前記第３のデータストリームが前記第３の伝送ブロックにマッピングされ、前記第４のデータストリームが前記第４の伝送ブロックにマッピングされる、
ことを特徴とする請求項４８から５１のいずれか１項に記載の受信側装置。
【請求項５４】
前記少なくとも１つの受信側装置は、第１の端末装置と、第２の端末装置とを含み、前記送信側装置は、基地局であり、
前記第１の受信モジュールは、具体的には、
前記基地局が送信した前記第１の伝送ブロックを受信し、前記基地局が前記第２の端末装置に前記第２の伝送ブロックを送信するのに用いられ、
前記第２の受信モジュールは、具体的には、
前記基地局が送信した前記第３の伝送ブロックを受信し、前記基地局が前記第４の伝送ブロックを前記第２の端末装置に送信するのに用いられ、
前記第１の伝送ブロック及び前記第３の伝送ブロックは、前記第１の端末装置が前記第１のデータ信号を決定するのに用いられ、前記第２の伝送ブロック及び前記第４の伝送ブロックは、前記第２の端末装置が前記第２のデータ信号を決定するのに用いられる、
ことを特徴とする請求項５３に記載の受信側装置。
【請求項５５】
前記受信側装置が基地局であり、前記送信側装置が端末装置であり、
或いは、
前記受信側装置が端末装置であり、前記送信側装置が基地局である、ことを特徴とする請求項４８から５３のいずれか１項に記載の受信側装置。
【請求項５６】
前記端末装置は、前記基地局が送信した、前記端末装置が伝送ブロックの伝送にエラーが生じたときに採用する再伝送方式を指示するための指示情報を受信するのに用いられる、ことを特徴とする請求項５５に記載の受信側装置。
【発明の詳細な説明】
【技術分野】
【０００１】
本発明は、通信分野に関し、特にデータ伝送方法、受信側装置及び送信側装置に関する。
【背景技術】
【０００２】
ロングタームエボリューション（Ｌｏｎｇ  Ｔｅｒｍ  Ｅｖｏｌｕｔｉｏｎ、ＬＴＥ）システムにおいて、スペクトル使用率を向上させるために、マルチアンテナ技術を用いて空間分割多重化を行うことができる。たとえば、アンテナ１及びアンテナ２は、それぞれデータ信号Ｓ１及びＳ２を伝送し、且つ同一の時間及び周波数リソースを使用する。受信側は、シリアル干渉除去（Ｓｅｒｉａｌ  Ｉｎｔｅｒｆｅｒｅｎｃｅ  Ｃａｎｃｅｌｌａｔｉｏｎ、ＳＩＣ）などの様々なアルゴリズムを介してＳ１及びＳ２を回復することができる。この例では、Ｓ１及びＳ２は、異なるビームで送信されてもよく、ビームは、マルチアンテナによりビームフォーミングを用いて形成されるものである。
【０００３】
ＬＴＥでは、異なるビームは、異なるデータストリーム（ｌａｙｅｒ）に対応し、異なるデータストリームは、同じ又は異なる伝送ブロック（Ｔｒａｎｓｍｉｓｓｉｏｎ  ｂｌｏｃｋ、ＴＢ）にマッピングされ、チャネルコーディングは、ＴＢを単位としてもよい。受信側は、異なるマッピング方式に応じて、各種受信機、たとえば、ＳＩＣ受信機、又は、干渉除去結合（Ｉｎｔｅｒｆｅｒｅｎｃｅ  Ｒｅｊｅｃｔｉｏｎ  Ｃｏｍｂｉｎｉｎｇ、ＩＲＣ）受信機を用いてＳ１及びＳ２を回復させる。Ｓ１及びＳ２を送信するときに同一の時間及び周波数リソースを用いるため、各種受信機のコアは、Ｓ１を含むデータストリーム及びＳ２を含むデータストリームの間の相互干渉を解消することにある。
【０００４】
ＬＴＥの空間分割多重化では、Ｓ１及びＳ２を伝送するデータストリームが相互に干渉するため、受信側装置にエラーが生じる状況を引き起こしやすい。
【発明の概要】
【発明が解決しようとする課題】
【０００５】
本願は、データ伝送効率を向上できるデータ伝送方法、送信側装置及び受信側装置を提供している。
【課題を解決するための手段】
【０００６】
第１の態様によれば、第１の時点に、送信側装置が、第１の周波数を用いて、該受信側装置が該第１のデータ信号及び該第２のデータ信号を決定するための第１のデータストリームを介して、受信側装置に第１のデータ信号を送信し、該第１の周波数を用いて、該受信側装置が該第１のデータ信号及び該第２のデータ信号を決定するための第２のデータストリームを介して、該受信側装置に第２のデータ信号を送信するステップと、該第１の時点後の第２の時点に、該送信側装置が、該第１の周波数を用いて該第１のデータストリームを介して該受信側装置に該第２のデータ信号の共役の反数に等しい第３のデータ信号を送信し、該第１の周波数を用いて該第２のデータストリームを介して該受信側装置に該第１のデータ信号の共役に等しい第４のデータ信号を送信するステップとを含み、或いは、
第１の時点に、該送信側装置が、第１の周波数を用いて、該受信側装置が該第１のデータ信号及び該第２のデータ信号を決定するための第１のデータストリームを介して、該受信側装置に第１のデータ信号を送信し、該第１の周波数を用いて、該受信側装置が該第１のデータ信号及び該第２のデータ信号を決定するための第２のデータストリームを介して、該受信側装置に第２のデータ信号を送信するステップと、該第１の時点に、該送信側装置が、第２の周波数を用いて該第１のデータストリームを介して該受信側装置に該第２のデータ信号の共役の反数に等しい第３のデータ信号を送信し、該第２の周波数を用いて該第２のデータストリームを介して該受信側装置に該第１のデータ信号の共役に等しい第４のデータ信号を送信するステップとを含む、データ伝送方法を提供する。
【０００７】
従って、本願の実施例のデータ伝送方法では、異なる時点に、同じ周波数を用いて、第１のデータ信号及び第２のデータ信号を担持した第１のデータストリーム及び第２のデータストリームを伝送し、又は、同じ時点に、異なる周波数を用いて、第１のデータ信号及び第２のデータ信号を担持した第１のデータストリーム及び第２のデータストリームを伝送することで、データ伝送効率を向上できる。
【０００８】
第１の態様に基づいて、第１の態様の実施形態において、該第１のデータストリーム及び該第２のデータストリームは、同一の伝送ブロックにマッピングされる。
【０００９】
第１の態様及びその上記実施形態に基づいて、第１の態様の別の実施形態において、該送信側装置が端末装置であり、該受信側装置が基地局であり、或いは、該送信側装置が基地局であり、該受信側装置が端末装置である。
【００１０】
第１の態様及びその上記実施形態に基づいて、第１の態様の別の実施形態において、該方法はさらに、該基地局が、該端末装置と該基地局との間のデータ信号伝送方式を指示するための指示情報を該端末装置に送信する。
【００１１】
第１の態様及びその上記実施形態に基づいて、第１の態様の別の実施形態において、該送信側装置が該基地局である場合、該基地局は、第１の基地局と、第２の基地局とを含み、該第１の基地局は、該第１のデータストリームにおけるデータ信号を送信し、該第２の基地局は、該第２のデータストリームにおけるデータ信号を送信する。
【００１２】
第２の態様によれば、第１の時点に、受信側装置が、送信側装置が第１の周波数を用いて第１のデータストリームを介して送信した第１のデータ信号、及び該第１の周波数を用いて第２のデータストリームを介して送信した第２のデータ信号を受信するステップと、該第１の時点後の第２の時点に、該受信側装置が、該送信側装置が該第１の周波数を用いて該第１のデータストリームを介して送信した、該第２のデータ信号の共役の反数に等しい第３のデータ信号、及び該第１の周波数を用いて該第２のデータストリームを介して送信した、該第１のデータ信号の共役に等しい第４のデータ信号を受信するステップと、該受信側装置が、該第１のデータストリーム及び該第２のデータストリームに基づいて、該第１のデータ信号及び該第２のデータ信号を決定するステップとを含み、或いは、
第１の時点に、受信側装置が、送信側装置が第１の周波数を用いて第１のデータストリームを介して送信した第１のデータ信号、及び該第１の周波数を用いて第２のデータストリームを介して送信した第２のデータ信号を受信するステップと、該第１の時点に、該受信側装置が、該送信側装置が第２の周波数を用いて該第１のデータストリームを介して送信した、該第２のデータ信号の共役の反数に等しい第３のデータ信号、及び該第２の周波数を用いて該第２のデータストリームを介して送信した、該第１のデータ信号の共役に等しい第４のデータ信号を受信するステップと、該第１のデータストリーム及び該第２のデータストリームに基づいて、該第１のデータ信号及び該第２のデータ信号を決定するステップとを含む、データ伝送方法を提供する。
【００１３】
従って、本願の実施例のデータ伝送方法では、異なる時点に、同じ周波数を用いて、第１のデータ信号及び第２のデータ信号を担持した第１のデータストリーム及び第２のデータストリームを伝送し、又は、同じ時点に、異なる周波数を用いて、第１のデータ信号及び第２のデータ信号を担持した第１のデータストリーム及び第２のデータストリームを伝送することで、データ伝送効率を向上できる。
【００１４】
第２の態様に基づいて、第２の態様の実施形態において、該第１のデータストリーム及び該第２のデータストリームは、同一の伝送ブロックにマッピングされる。
【００１５】
第２の態様及びその上記実施形態に基づいて、第２の態様の別の実施形態において、該受信側装置が基地局であり、該送信側装置が端末装置であり、或いは、該受信側装置が端末装置であり、該送信側装置が基地局である。
【００１６】
第２の態様及びその上記実施形態に基づいて、第２の態様の別の実施形態において、該方法はさらに、該端末装置が、該基地局が送信した、該端末装置と該基地局との間のデータ信号伝送方式を指示するための指示情報を受信するステップを含む。
【００１７】
第２の態様及びその上記実施形態に基づいて、第２の態様の別の実施形態において、該送信側装置が該基地局である場合、該基地局は、該第１のデータストリームにおけるデータ信号を送信する第１の基地局と、該第２のデータストリームにおけるデータ信号を送信する第２の基地局とを含む。
【００１８】
第３の態様によれば、送信側装置が、第１のデータ信号及び第２のデータ信号を含むデータ信号を伝送するための第１のデータストリームと第２のデータストリームとが伝送ブロックにマッピングされた第１の伝送ブロックセットを、少なくとも１つの受信側装置に送信するステップと、該第１の伝送ブロックセットにおける伝送ブロックの伝送にエラーが生じたとき、該送信側装置が、該第２のデータ信号の共役の反数に等しい第３のデータ信号を伝送するための第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを、該少なくとも１つの受信側装置に送信するステップとを含み、該第２の伝送ブロックセット及び該第１の伝送ブロックセットは、該少なくとも１つの受信側装置が該第１のデータ信号及び該第２のデータ信号を決定するのに用いられる、データ伝送方法を提供する。
【００１９】
従って、本願の実施例のデータ伝送方法では、送信側装置が、第１のＴＢセットにより第１のデータ信号及び第２のデータ信号を伝送し、第１のＴＢセットにおいてＴＢにエラーが生じたとき、第２のＴＢセットにおけるＴＢにより、第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【００２０】
第３の態様によれば、第３の態様の実施形態において、該第１のデータストリームは、該第１のデータ信号を伝送し、該第２のデータストリームは、該第２のデータ信号を伝送する。
【００２１】
第３の態様及びその上記実施形態に基づいて、第３の態様の別の実施形態において、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【００２２】
第３の態様及びその上記実施形態に基づいて、第３の態様の別の実施形態において、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【００２３】
第３の態様及びその上記実施形態に基づいて、第３の態様の別の実施形態において、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【００２４】
第３の態様及びその上記実施形態に基づいて、第３の態様の別の実施形態において、該第１の伝送ブロックセットは、第１の伝送ブロックと、第２の伝送ブロックとを含み、該第１のデータストリームが該第１の伝送ブロックにマッピングされ、該第２のデータストリームが該第２の伝送ブロックにマッピングされ、該第２の伝送ブロックセットは、第３の伝送ブロックと、第４の伝送ブロックとを含み、該第３のデータストリームが該第３の伝送ブロックにマッピングされ、該第４のデータストリームが該第４の伝送ブロックにマッピングされる。
【００２５】
第３の態様及びその上記実施形態に基づいて、第３の態様の別の実施形態において、該送信側装置は、基地局であり、該少なくとも１つの受信側装置は、第１の端末装置と、第２の端末装置とを含み、送信側装置が、少なくとも１つの受信側装置に第１の伝送ブロックセットを送信するステップは、該基地局が、該第１の端末装置に該第１の伝送ブロックを送信し、該第２の端末装置に該第２の伝送ブロックを送信するステップを含み、該送信側装置が、該少なくとも１つの受信側装置に第２の伝送ブロックセットを送信するステップは、該基地局が該第１の端末装置に該第３の伝送ブロックを送信し、該第２の端末装置に該第４の伝送ブロックを送信するステップを含み、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【００２６】
第３の態様及びその上記実施形態に基づいて、第３の態様の別の実施形態において、該送信側装置が端末装置であり、該少なくとも１つの受信側装置が基地局であり、或いは、該送信側装置が基地局であり、該少なくとも１つの受信側装置が端末装置である。
【００２７】
第３の態様及びその上記実施形態に基づいて、第３の態様の別の実施形態において、該方法はさらに、該基地局が、該端末装置が伝送ブロックの伝送にエラーが生じたときに採用する再伝送方式を指示するための指示情報を該端末装置に送信するステップを含む。
【００２８】
第４の態様によれば、送信側装置と少なくとも１つの受信側装置とを備える通信システムに適用され、該少なくとも１つの受信側装置のうちのいずれか１つの受信側装置である第１の受信側装置が、該送信側装置が該少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信するステップと、該第１の伝送ブロックセットにおける伝送ブロックの伝送にエラーが生じたとき、該第１の受信側装置が、該送信側装置が該少なくとも１つの受信側装置に送信した、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを受信するステップとを含み、該第２の伝送ブロックセット及び該第１の伝送ブロックセットは、該少なくとも１つの受信側装置が該第１のデータ信号及び該第２のデータ信号を決定するのに用いられる、データ伝送方法を提供する。
【００２９】
従って、本願の実施例のデータ伝送方法では、受信側装置が、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【００３０】
第４の態様に基づいて、第４の態様の実施形態において、該第１のデータストリームは、該第１のデータ信号を伝送し、該第２のデータストリームは、該第２のデータ信号を伝送する。
【００３１】
第４の態様及びその上記実施形態に基づいて、第４の態様の別の実施形態において、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【００３２】
第４の態様及びその上記実施形態に基づいて、第４の態様の別の実施形態において、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【００３３】
第４の態様及びその上記実施形態に基づいて、第４の態様の別の実施形態において、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【００３４】
第４の態様及びその上記実施形態に基づいて、第４の態様の別の実施形態において、該第１の伝送ブロックセットは、第１の伝送ブロックと、第２の伝送ブロックとを含み、該第１のデータストリームが該第１の伝送ブロックにマッピングされ、該第２のデータストリームが該第２の伝送ブロックにマッピングされ、該第２の伝送ブロックセットは、第３の伝送ブロックと、第４の伝送ブロックとを含み、該第３のデータストリームが該第３の伝送ブロックにマッピングされ、該第４のデータストリームが該第４の伝送ブロックにマッピングされる。
【００３５】
第４の態様及びその上記実施形態に基づいて、第４の態様の別の実施形態において、該少なくとも１つの受信側装置は、該第１の端末装置と、第２の端末装置とを含み、該送信側装置は、基地局であり、該第１の受信側装置が、該送信側装置が該少なくとも１つの受信側装置に送信した第１の伝送ブロックセットを受信するステップは、該第１の端末装置が、該基地局が送信した該第１の伝送ブロックを受信し、該基地局が該第２の端末装置に該第２の伝送ブロックを送信するステップを含み、該第１の受信側装置が、該送信側装置が該少なくとも１つの受信側装置に送信した第２の伝送ブロックセットを受信するステップは、該第１の端末装置が、該基地局が送信した該第３の伝送ブロックを受信し、該基地局が該第２の端末装置に該第４の伝送ブロックを送信するステップを含み、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【００３６】
第４の態様及びその上記実施形態に基づいて、第４の態様の別の実施形態において、該第１の受信側装置が基地局であり、該送信側装置が端末装置であり、或いは、該第１の受信側装置が端末装置であり、該送信側装置が基地局である。
【００３７】
第４の態様及びその上記実施形態に基づいて、第４の態様の別の実施形態において、該方法はさらに、該端末装置が、該基地局が送信した、該端末装置が伝送ブロックの伝送にエラーが生じたときに採用する再伝送方式を指示するための指示情報を受信するステップを含む。
【００３８】
第５の態様によれば、上記第１の態様又は第１の態様のいずれか可能な実施形態における方法を実行するための送信側装置を提供する。具体的には、該送信側装置は、上記第１の態様又は第１の態様のいずれか可能な実施形態における方法を実行するためのユニットを含む。
【００３９】
第６の態様によれば、上記第２の態様又は第２の態様のいずれか可能な実施形態における方法を実行するための受信側装置を提供する。具体的には、該受信側装置は、上記第２の態様又は第２の態様のいずれか可能な実施形態における方法を実行するためのユニットを含む。
【００４０】
第７の態様によれば、上記第３の態様又は第３の態様のいずれか可能な実施形態における方法を実行するための送信側装置を提供する。具体的には、該送信側装置は、上記第３の態様又は第３の態様のいずれか可能な実施形態における方法を実行するためのユニットを含む。
【００４１】
第８の態様によれば、上記第４の態様又は第４の態様のいずれか可能な実施形態における方法を実行するための受信側装置を提供する。具体的には、該受信側装置は、上記第４の態様又は第４の態様のいずれか可能な実施形態における方法を実行するためのユニットを含む。
【００４２】
第９の態様によれば、コマンドを記憶するための記憶部と、該記憶装置に記憶されたコマンドを実行するためのプロセッサとを備え、且つ該プロセッサが該記憶装置に記憶されたコマンドを実行すると、該実行により該プロセッサに第１の態様又は第１の態様のいずれか可能な実施形態における方法を実行させる送信側装置を提供する。
【００４３】
第１０の態様によれば、コマンドを記憶するための記憶部と、該記憶装置に記憶されたコマンドを実行するためのプロセッサとを備え、且つ該プロセッサが該記憶装置に記憶されたコマンドを実行すると、該実行により該プロセッサに第２の態様又は第２の態様のいずれか可能な実施形態における方法を実行させる受信側装置を提供する。
【００４４】
第１１の態様によれば、コマンドを記憶するための記憶部と、該記憶装置に記憶されたコマンドを実行するためのプロセッサとを備え、且つ該プロセッサが該記憶装置に記憶されたコマンドを実行すると、該実行により該プロセッサに第３の態様又は第３の態様のいずれか可能な実施形態における方法を実行させる送信側装置を提供する。
【００４５】
第１２の態様によれば、コマンドを記憶するための記憶部と、該記憶装置に記憶されたコマンドを実行するためのプロセッサとを備え、且つ該プロセッサが該記憶装置に記憶されたコマンドを実行すると、該実行により該プロセッサに第４の態様又は第４の態様のいずれか可能な実施形態における方法を実行させる受信側装置を提供する。
【００４６】
第１３の態様によれば、第１の態様又は第１の態様のいずれか可能な実施形態における方法を実行するためのコマンドを含むコンピュータプログラムを記憶するためのコンピュータ可読媒体を提供する。
【００４７】
第１４の態様によれば、第２の態様又は第２の態様のいずれか可能な実施形態における方法を実行するためのコマンドを含むコンピュータプログラムを記憶するためのコンピュータ可読媒体を提供する。
【００４８】
第１５の態様によれば、第３の態様又は第３の態様のいずれか可能な実施形態における方法を実行するためのコマンドを含むコンピュータプログラムを記憶するためのコンピュータ可読媒体を提供する。
【００４９】
第１６の態様によれば、第４の態様又は第４の態様のいずれか可能な実施形態における方法を実行するためのコマンドを含むコンピュータプログラムを記憶するためのコンピュータ可読媒体を提供する。
【図面の簡単な説明】
【００５０】
本発明の実施例の技術案をより明確に説明するために、以下、本発明の実施例の説明に用いる図面を簡単に説明し、当然ながら、後述する図面は本発明の一部の実施例に過ぎず、当業者であれば、創造的な努力を行わなくても、これらの図面に基づいてほかの図面を得ることができる。
【図１】本発明の実施例によるデータ伝送方法の模式的なフローチャートである。
【図２】本発明の実施例によるデータ信号伝送用のデータストリームの模式図である。
【図３】本発明の別の実施例によるデータ伝送方法の模式的なフローチャートである。
【図４】本発明のさらなる実施例によるデータ伝送方法の模式的なフローチャートである。
【図５】本発明のさらなる実施例によるデータ伝送方法の模式的なフローチャートである。
【図６】本発明のさらなる実施例によるデータ伝送方法の模式的なフローチャートである。
【図７】本発明のさらなる実施例によるデータ伝送方法の模式的なフローチャートである。
【図８】本発明の実施例による送信側装置の模式的なブロック図である。
【図９】本発明の実施例による受信側装置の模式的なブロック図である。
【図１０】本発明の別の実施例による送信側装置の模式的なブロック図である。
【図１１】本発明の別の実施例による受信側装置の模式的なブロック図である。
【図１２】本発明のさらなる実施例による送信側装置の模式的なブロック図である。
【図１３】本発明のさらなる実施例による受信側装置の模式的なブロック図である。
【図１４】本発明のさらなる実施例による送信側装置の模式的なブロック図である。
【図１５】本発明のさらなる実施例による受信側装置の模式的なブロック図である。
【発明を実施するための形態】
【００５１】
以下、本発明の実施例における図面を参照しながら、本発明の実施例における技術案を明確且つ完全に説明するが、勿論、説明される実施例は本発明の実施例の一部に過ぎず、すべての実施例ではない。本発明における実施例に基づいて、当業者であれば、創造的な努力を行わなくても想到し得るすべてのそのほかの実施例は、本発明の保護範囲に属する。
【００５２】
なお、本発明の実施例の技術案は、たとえば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）システム、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、汎用パケット無線サービス（Ｇｅｎｅｒａｌ  Ｐａｃｋｅｔ  Ｒａｄｉｏ  Ｓｅｒｖｉｃｅ、略称「ＧＰＲＳ」）、ロングタームエボリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）、汎用移動通信システム（Ｕｎｉｖｅｒｓａｌ  Ｍｏｂｉｌｅ  Ｔｅｌｅｃｏｍｍｕｎｉｃａｔｉｏ５ｎＳｙｓｔｅｍ、略称「ＵＭＴＳ」）、又はマイクロ波通信の世界的相互運用（Ｗｏｒｌｄｗｉｄｅ  Ｉｎｔｅｒｏｐｅｒａｂｉｌｉｔｙｆｏｒ  Ｍｉｃｒｏｗａｖｅ  Ａｃｃｅｓｓ、略称「ＷｉＭＡＸ」）通信システムなどの各種通信システムに適用される。
【００５３】
本願の実施例の技術案は、端末装置と基地局との間の通信に適用されてもよく、端末装置ツー端末装置（Ｄｅｖｉｃｅ  ｔｏ  Ｄｅｖｉｃｅ、Ｄ２Ｄ）の通信に適用されてもよい。
【００５４】
本願の実施例では、基地局は、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡにおける基地局（ＮｏｄｅＢ）であってもよく、ＬＴＥにおける進化型基地局（ｅｖｏｌｖｅｄ  Ｎｏｄｅ  Ｂ、ｅＮＢ又はｅ−ＮｏｄｅＢ）であってもよく、５Ｇにおけるアクセスサービスを提供する装置であってもよく、本願の実施例では限定しない。
【００５５】
端末装置は、ユーザ装置（ＵＥ、Ｕｓｅｒ  Ｅｑｕｉｐｍｅｎｔ）、アクセス端末、ユーザユニット、ユーザ局、移動局、移動ステーション、遠隔局、遠隔端末、移動装置、ユーザ端末、端末、無線通信装置、ユーザエージェント又はユーザ装置などとも呼ばれる。端末装置は、ＷＬＡＮ（Ｗｉｒｅｌｅｓｓ  Ｌｏｃａｌ  Ａｒｅａ  Ｎｅｔｗｏｒｋｓ、無線ローカルエリアネットワーク）におけるＳＴ（ＳＴＡＩＯＮ、サイト）であってもよく、セルラーホン、コードレス電話、ＳＩＰ（Ｓｅｓｓｉｏｎ  Ｉｎｉｔｉａｔｉｏｎ  Ｐｒｏｔｏｃｏｌセッション開始プロトコル）電話、ＷＬＬ（Ｗｉｒｅｌｅｓｓ  Ｌｏｃａｌ  Ｌｏｏｐワイヤレスローカルループ）局、ＰＤＡ（Ｐｅｒｓｏｎａｌ  Ｄｉｇｉｔａｌ  Ａｓｓｉｓｔａｎｔ、パーソナルデジタルアシスタント）、無線通信機能を有するハンドヘルドデバイス、計算装置又は無線モデムに接続されたほかの処理装置、車載装置、ウェアラブル装置及び将来の５Ｇネットワークにおける端末装置又は将来の進化ＰＬＭＮネットワークにおける端末装置などであってもよい。
【００５６】
図１は、本発明の実施例によるデータ伝送方法１００の模式的なフローチャートを示し、該方法１００は、受信側装置と送信側装置とを備える通信システムに適用され、該方法１００は、送信側装置によって実行され得、具体的には、該送信側装置は、上記基地局又は端末装置に適用でき、本発明の実施例ではそれについて制限しない。図１に示されるように、該方法１００は、
第１の時点に、送信側装置が、第１の周波数を用いて第１のデータストリームを介して受信側装置に第１のデータ信号を送信し、該第１の周波数を用いて第２のデータストリームを介して該受信側装置に第２のデータ信号を送信するステップＳ１１０と、
該第１の時点後の第２の時点に、該送信側装置が、該第１の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第１の周波数を用いて、該受信側装置が該第１のデータ信号及び該第２のデータ信号を決定するための該第２のデータストリームを介して、該受信側装置に該第１のデータ信号の共役に等しい第４のデータ信号を送信するステップＳ１２０とを含む。
【００５７】
本発明の実施例において、図２に示されるように、該行列では、１列目が第１の時点に送信したデータ信号に対応し、２列目が第２の時点に送信したデータ信号に対応し、第１の時点及び第２の時点には同じ周波数である第１の周波数が使用される。具体的には、第１の時点に、送信側装置が、第１の周波数を用いて第１のデータストリームを介して第１のデータ信号Ｓ１を送信し、第１の周波数を用いて第２のデータストリームを介して第２のデータ信号Ｓ２を送信し、第１の時点後の第２の時点に、送信側装置が、第１の周波数を用いて第１のデータストリームを介して第２のデータ信号の共役の反数である第３のデータ信号
2019537286.tif 000003
を送信し、第１の周波数を用いて第２のデータストリームを介して第１のデータ信号の共役である第４のデータ信号
2019537286.tif 000004
を送信し、受信側装置は、受信した２つの時点に送信したデータ信号に基づいて、第１のデータ信号及び第２のデータ信号を解析する。
【００５８】
場合によっては、一実施例として、図３は、本発明の別の実施例によるデータ伝送方法２００の模式的なフローチャートを示し、該方法２００は、受信側装置と送信側装置とを備える通信システムに適用され、該方法２００は、送信側装置によって実行され得、具体的には、該送信側装置は、基地局又は端末であり、本発明の実施例ではそれについて制限しない。図３に示されるように、該方法２００は、
第１の時点に、該送信側装置が、第１の周波数を用いて第１のデータストリームを介して該受信側装置に第１のデータ信号を送信し、該第１の周波数を用いて第２のデータストリームを介して該受信側装置に第２のデータ信号を送信するステップＳ２１０と、
該第１の時点に、該送信側装置が、第２の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第２の周波数を用いて、該受信側装置が該第１のデータ信号及び該第２のデータ信号を決定するための該第２のデータストリームを介して、該受信側装置に該第１のデータ信号の共役に等しい第４のデータ信号を送信するステップＳ２２０とを含む。
【００５９】
本発明の実施例において、図２に示されるように、該行列では、１列目が第１の時点に送信したデータ信号に対応し、２列目が第２の周波数に対応し、且つ１列目と２列目のデータ信号は同じ時点に送信され、すなわちいずれも第１の時点に送信される。具体的には、第１の時点に、送信側装置が、第１の周波数を用いて第１のデータストリームにおいて第１のデータ信号Ｓ１を送信し、第１の周波数を用いて第２のデータストリームにおいて第２のデータ信号Ｓ２を送信し、第２の周波数を用いて第１のデータストリームにおいて第３のデータ信号
2019537286.tif 000005
である第２のデータ信号Ｓ２の共役の反数を送信し、第２の周波数を用いて第２のデータストリームにおいて第４のデータ信号
2019537286.tif 000006
である第１のデータ信号Ｓ１の共役を送信し、受信側装置は、受信した同一時点に異なる周波数で送信したデータストリームに基づいて、データストリームにおける第１のデータ信号及び第２のデータ信号を解析する。
【００６０】
なお、上記方法１００及び方法２００では、時点ごとに、１つのシンボルのデータ信号Ｓ１又はＳ２が伝送され、このため、複数の時点又は周波数において、複数のシンボルのデータ信号が時間的に順次伝送されると、第１のデータストリーム及び第２のデータストリームが構成される。たとえば、いずれかの時点、すなわち第１の時点には、１つのシンボルのデータ信号である第１のデータ信号Ｓ１を伝送し、第１の時点の次の時点である第２の時点には、別のシンボルのデータ信号である第３のデータ信号
2019537286.tif 000007
を伝送し、このように所定期間において、連続した複数の時点が経過すると、第１のデータストリームが構成される。
【００６１】
なお、上記方法１００及び方法２００では、該第１のデータストリーム及び第２のデータストリームは、同じ伝送ブロックＴＢにマッピングされてもよく、又は異なるＴＢにマッピングされてもよく、本発明の実施例ではそれについて制限しない。たとえば、送信側装置がいずれかの基地局、受信側装置がいずれかの端末装置である場合、基地局から端末装置へ送信した第１のデータストリーム及び第２のデータストリームは同じ又は異なるＴＢにマッピングされ、対応する端末装置は該同じ又は異なるＴＢに基づいて第１のデータ信号及び第２のデータ信号を決定し、送信側装置が基地局であり、受信側装置がそれぞれ第１の端末装置と第２の端末装置の２つの端末装置を含む場合、第１のデータストリーム及び第２のデータストリームはそれぞれ２つの異なるＴＢにマッピングされ、すなわち第１のデータストリームは第１のＴＢにマッピングされ、第２のデータストリームは第２のＴＢにマッピングされ、基地局はそれぞれ第１の端末装置に第１のＴＢを送信し、第２の端末装置に第２のＴＢを送信し、それに対応して、第１の端末装置は第１のＴＢの第１のデータストリームに基づいて第１のデータ信号を決定し、第２の端末装置は第２のＴＢの第２のデータストリームに基づいて第２のデータ信号を決定する。
【００６２】
なお、上記方法１００及び方法２００は、アップリンクデータの伝送過程に用いられ得、すなわち送信側装置は端末装置であり、対応する受信側装置は基地局であり、又は、ダウンリンクデータの伝送過程に用いられ得、すなわち該送信側装置は基地局であり、対応する受信側装置は端末装置である。さらに、送信側装置及び受信側装置は１つ又は複数の装置であってもよく、たとえば、送信側装置は基地局であり、且つ第１の基地局と第２の基地局を含み、又は、受信側装置は端末装置であり、且つ端末装置は第１の端末装置と第２の端末装置を含む。
【００６３】
なお、上記方法１００及び方法２００では、送信側装置及び受信側装置は上記方法を用いてデータを伝送し、伝送するときに、指示情報により使用される伝送方式を指示できる。具体的には、アップリンクデータを伝送する過程でもダウンリンクデータを伝送する過程でも、基地局により端末装置に指示情報を送信することができ、該指示情報は物理層シグナリング、たとえばダウンリンク制御情報（Ｄｏｗｎｌｉｎｋ  Ｃｏｎｔｒｏｌ  Ｉｎｆｏｒｍａｔｉｏｎ、ＤＣＩ）であってもよく、該指示情報によって基地局と端末装置との間でデータを伝送するのに使用される伝送方式が指示され、該伝送方式は本発明の実施例の方法１００又は方法２００の空間ダイバーシチ方式であってもよく、又は、従来技術である空間分割多重化方法、すなわち第１のデータストリームを介して第１のデータ信号を伝送し、第２のデータストリームを介して第２のデータ信号を伝送する方法であってもよく、本発明の実施例ではそれについて制限しない。このように、基地局で端末装置のデータ伝送方式を指示することで、基地局及び端末装置は異なる伝送方式で柔軟に切り替えることができ、たとえば、チャネル条件に基づいて、対応する伝送方式を選択して、指示情報により柔軟に切り替える。
【００６４】
なお、上記方法１００及び方法２００では、送信側装置は基地局であり、且つ該基地局は第１の基地局と第２の基地局を含み、受信側装置はいずれかの端末装置である例において、データストリームはそれぞれ異なる基地局で端末装置に伝送でき、すなわち第１の基地局は端末装置に第１のデータストリームを送信し、第２の基地局は端末装置に第２のデータストリームを送信する。
【００６５】
具体的には、方法１００では、第１の時点に、第１の基地局は第１の周波数を用いて第１のデータストリームを介して第１のデータ信号Ｓ１を送信し、第２の基地局は第１の周波数を用いて第２のデータストリームを介して第２のデータ信号Ｓ２を送信し、第１の時点後の第２の時点に、第１の基地局は第１の周波数を用いて第１のデータストリームを介して第３のデータ信号
2019537286.tif 000008
である第２のデータ信号の共役の反数を送信し、第２の基地局は第１の周波数を用いて第２のデータストリームを介して第４のデータ信号
2019537286.tif 000009
である第１のデータ信号の共役を送信し、端末装置はそれぞれ２つの基地局から送信したデータストリームを受信し、且つ第１のデータストリームと第２のデータストリームに基づいて第１のデータ信号及び第２のデータ信号を決定する。
【００６６】
同様に、方法２００では、第１の時点に、第１の基地局は第１の周波数を用いて第１のデータストリームを介して第１のデータ信号Ｓ１を送信し、第２の基地局は第１の周波数を用いて第２のデータストリームを介して第２のデータ信号Ｓ２を送信し、第１の基地局はさらに第２の周波数を用いて第１のデータストリームを介して第３のデータ信号
2019537286.tif 000010
である第２のデータ信号Ｓ２の共役の反数を送信し、第２の基地局は第２の周波数を用いて第２のデータストリームにおいて第４のデータ信号
2019537286.tif 000011
である第１のデータ信号Ｓ１の共役を送信し、端末装置はそれぞれ２つの基地局から送信したデータストリームを受信し、且つ第１のデータストリーム及び第２のデータストリームに基づいて第１のデータ信号及び第２のデータ信号を決定する。
【００６７】
本発明の実施例において、上記のように異なる基地局で第１のデータストリーム及び第２のデータストリームを送信することは、隣接する基地局がマルチポイント協調（Ｃｏｏｒｄｉｎａｔｅｄ  Ｍｕｌｔｉｐｌｅ  Ｐｏｉｎｔｓ  Ｔｒａｎｓｍｉｓｓｉｏｎ／Ｒｅｃｅｐｔｉｏｎ、ＣｏＭＰ）を行う方式の１種であってもよい。２つの基地局でそれぞれ２つのデータストリームを伝送することで、セルエッジでのデータ伝送の信頼性を向上させる。
【００６８】
場合によっては、異なる基地局で第１のデータストリーム及び第２のデータストリームを送信することは、隣接する基地局がソフトハンドオーバ（ｓｏｆｔ  ｈａｎｄｏｖｅｒ）を実現する方式の１種であってもよい。従来のＬＴＥにおいて、端末装置は、切り替えるときに、まず元の基地局との接続を切断し、次にターゲット基地局と接続を確立しなければならない。それに対して、本発明の実施例における方法１００又は方法２００の方法を用いると、２つの基地局は同時に端末装置にデータを送信するとともに、空間ダイバーシチを実現できるため、切り替え過程におけるデータ伝送の信頼性を向上させる。
【００６９】
具体的には、柔軟な切り替え過程において、元の基地局及びターゲット基地局におけるサービス基地局が、端末装置が本発明の実施例による方法を用いてデータを伝送することを指示する指示情報を端末装置に送信する必要がある。端末がターゲットセルの範囲に切り替えたときにも、サービス基地局は本発明の実施例の方式の使用を終了するように端末装置を指示し、又は、ネットワークコラボレーション方式で、そのうちの１つのデータストリームをターゲット基地局に切り替える必要がある。たとえば、切り替える前に、第１の基地局は元の基地局として第１のデータストリームを伝送し、第２の基地局はターゲット基地局として第２のデータストリームを伝送し、端末装置がターゲットセルの範囲内、すなわち第２の基地局の範囲内まで移動すると、ネットワークコラボレーション方式で、第１のデータストリームを第２の基地局で伝送するように移行し、このように、端末装置はデータ伝送方式を切り替える必要がなくなり、且つ、第２の基地局に切り替えた後、第２の基地局は本発明の実施例における方法１００又は方法２００の伝送方式を用いて端末装置とデータ伝送を行い続けてもよく、従来技術におけるほかの方法を用いてデータ伝送を行ってもよく、本発明の実施例ではそれについて制限しない。
【００７０】
従って、本発明の実施例におけるデータ伝送方法では、異なる時点に、同じ周波数を用いて、第１のデータ信号及び第２のデータ信号を担持した第１のデータストリーム及び第２のデータストリームを伝送し、又は、同じ時点に、異なる周波数を用いて、第１のデータ信号及び第２のデータ信号を担持した第１のデータストリーム及び第２のデータストリームを伝送することで、データ伝送効率を向上できる。
【００７１】
以上、図１〜図３を参照しながら、送信側装置について本発明の実施例によるデータ伝送方法を詳細に説明したが、以下、図４〜図５を参照しながら、受信側装置について本発明の実施例によるデータ伝送方法を説明する。
【００７２】
図４は、本発明のさらなる実施例によるデータ伝送方法３００の模式的なフローチャートを示し、該方法３００は、受信側装置と送信側装置とを備える通信システムに適用され、該方法３００は受信側装置によって実行され得、具体的には、該受信側装置は基地局又は端末装置であってもよく、本発明の実施例ではそれについて制限しない。図４に示されるように、該方法３００は、
第１の時点に、受信側装置が、送信側装置が第１の周波数を用いて第１のデータストリームを介して送信した第１のデータ信号、及び該第１の周波数を用いて第２のデータストリームを介して送信した第２のデータ信号を受信するステップＳ３１０と、
該第１の時点後の第２の時点に、該受信側装置が、該送信側装置が該第１の周波数を用いて該第１のデータストリームを介して送信した、該第２のデータ信号の共役の反数に等しい第３のデータ信号、及び該第１の周波数を用いて該第２のデータストリームを介して送信した、該第１のデータ信号の共役に等しい第４のデータ信号を受信するステップＳ３２０と、
該受信側装置が、該第１のデータストリーム及び該第２のデータストリームに基づいて、該第１のデータ信号及び該第２のデータ信号を決定するステップＳ３３０とを含む。
【００７３】
なお、該方法３００は、本発明の実施例における方法１００に対応し、方法３００は対応して方法１００における受信側装置のステップを実行できるため、ここで詳細な説明を省略する。
【００７４】
図５は、本発明のさらなる実施例によるデータ伝送方法４００の模式的なフローチャートを示し、該方法４００は、受信側装置と送信側装置とを備える通信システムに適用され、該方法４００は受信側装置によって実行され得、具体的には、該受信側装置は基地局又は端末装置であってもよく、本発明の実施例ではそれについて制限しない。図５に示されるように、該方法４００は、
第１の時点に、受信側装置が、送信側装置が第１の周波数を用いて第１のデータストリームを介して送信した第１のデータ信号、及び該第１の周波数を用いて第２のデータストリームを介して送信した第２のデータ信号を受信するステップＳ４１０と、
該第１の時点に、該受信側装置が、該送信側装置が第２の周波数を用いて該第１のデータストリームを介して送信した、該第２のデータ信号の共役の反数に等しい第３のデータ信号、及び該第２の周波数を用いて該第２のデータストリームを介して送信した、該第１のデータ信号の共役に等しい第４のデータ信号を受信するステップＳ４２０と、
該受信側装置が、該第１のデータストリーム及び該第２のデータストリームに基づいて、該第１のデータ信号及び該第２のデータ信号を決定するステップＳ４３０とを含む。
【００７５】
なお、該方法４００は本発明の実施例における方法２００に対応し、方法４００は対応して方法２００における受信側装置のステップを実行でき、ここで詳細な説明を省略する。
【００７６】
場合によっては、上記方法３００及び方法４００では、該第１のデータストリーム及び該第２のデータストリームは、同一のＴＢにマッピングされる。
【００７７】
場合によっては、上記方法３００及び方法４００では、該受信側装置が基地局であり、該送信側装置が端末装置であり、或いは、該受信側装置が端末装置であり、該送信側装置が基地局である。
【００７８】
場合によっては、上記方法３００及び方法４００では、該方法はさらに、該端末装置が、該基地局が送信した、該端末装置と該基地局との間のデータ信号伝送方式を指示するための指示情報を受信するステップを含む。
【００７９】
場合によっては、上記方法３００及び方法４００では、該送信側装置が該基地局である場合、該基地局は、該第１のデータストリームにおけるデータ信号を送信する第１の基地局と、該第２のデータストリームにおけるデータ信号を送信する第２の基地局とを含む。
【００８０】
従って、本発明の実施例のデータ伝送方法は、異なる時点に、同じ周波数を用いて、第１のデータ信号及び第２のデータ信号を担持した第１のデータストリーム及び第２のデータストリームを伝送し、又は、同じ時点に、異なる周波数を用いて、第１のデータ信号及び第２のデータ信号を担持した第１のデータストリーム及び第２のデータストリームを伝送することで、データ伝送効率を向上できる。
【００８１】
図６は、本発明のさらなる実施例によるデータ伝送方法５００の模式的なフローチャートを示し、該方法５００は、送信側装置と少なくとも１つの受信側装置とを備える通信システムに適用され、該方法５００は送信側装置によって実行され得、具体的には、該送信側装置は基地局又は端末装置であってもよく、本発明の実施例ではそれについて制限しない。図６に示されるように、該方法５００は、
送信側装置が、第１のデータ信号及び第２のデータ信号を含むデータ信号を伝送するための第１のデータストリームと第２のデータストリームとが伝送ブロックにマッピングされた第１の伝送ブロックセットを、少なくとも１つの受信側装置に送信するステップＳ５１０と、
該受信側装置により該第１の伝送ブロックセットにおける伝送ブロックの伝送にエラーが生じたと決定したとき、該送信側装置が、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを、該受信側装置に送信し、該第２の伝送ブロックセット及び該第１の伝送ブロックセットは、該少なくとも１つの受信側装置が該第１のデータ信号及び該第２のデータ信号を決定するのに用いられるステップＳ５２０とを含む。
【００８２】
場合によっては、該送信側装置は、従来技術における伝送方式を用いて第１のＴＢセットを伝送し、すなわち該第１のデータ信号及び第２のデータ信号を伝送することができ、たとえば、送信側装置は、第１のデータストリームを介して第１のデータ信号を伝送し、第２のデータストリームを介して第２のデータ信号を伝送し、すなわち送信側装置は、空間分割多重化方式を用いてデータ信号を伝送し、それに対応して、該少なくとも１つの受信側装置は、受信した第１のデータストリーム及び第２のデータストリームがマッピングした第１のＴＢセットに基づいて、第１のデータ信号及び第２のデータ信号を解析する。
【００８３】
場合によっては、送信側装置は、従来技術における伝送方式を用いて第１のＴＢセットを伝送するのではなく、本発明の実施例における方法１００又は方法２００に記載の伝送方式を用いて該第１のＴＢセットを伝送し、すなわち該第１のデータ信号及び第２のデータ信号を伝送してもよい。具体的には、第１の時点に、送信側装置が、第１の周波数を用いて第１のデータストリームを介して第１のデータ信号Ｓ１を送信し、第１の周波数を用いて第２のデータストリームを介して第２のデータ信号Ｓ２を送信し、第１の時点後の第２の時点に、送信側装置が、第１の周波数を用いて第１のデータストリームを介して第３のデータ信号
2019537286.tif 000012
である第２のデータ信号の共役の反数を送信し、第１の周波数を用いて第２のデータストリームを介して第４のデータ信号
2019537286.tif 000013
である第１のデータ信号の共役を送信し、少なくとも１つの受信側装置は、受信した２つの時点に送信したデータ信号に基づいて、第１のデータ信号及び第２のデータ信号を解析する。又は、第１の時点に、送信側装置が、第１の周波数を用いて第１のデータストリームにおいて第１のデータ信号Ｓ１を送信し、第１の周波数を用いて第２のデータストリームにおいて第２のデータ信号Ｓ２を送信し、第２の周波数を用いて第１のデータストリームにおいて第３のデータ信号
2019537286.tif 000014
である第２のデータ信号Ｓ２の共役の反数を送信し、第２の周波数を用いて第２のデータストリームにおいて第４のデータ信号
2019537286.tif 000015
である第１のデータ信号Ｓ１の共役を送信し、少なくとも１つの受信側装置は、受信した同じ時点に異なる周波数で送信したデータストリームに基づいて、データストリームにおける第１のデータ信号及び第２のデータ信号を解析する。
【００８４】
なお、送信側装置は、少なくとも１つの受信側装置に１つ又は複数のＴＢを含む第１のＴＢセットを送信し、それに対応して、第２のＴＢセットも１つ又は複数のＴＢを含んでもよい。場合によっては、第１のＴＢセットに第１のＴＢである１つだけのＴＢを含む場合、第１のデータストリーム及び第２のデータストリームは第１のＴＢにマッピングされ、それに対応して、第２のＴＢセットに第２のＴＢだけを含む場合、第３のデータストリーム及び第４のデータストリームは第２のＴＢにマッピングされ、このような場合、少なくとも１つの受信側装置は１つの受信側装置を含む。たとえば、ダウンリンクデータを伝送する場合、該送信側装置が基地局であり、該受信側装置が端末装置であり、或いは、アップリンクデータを伝送する場合、該送信側装置が端末装置であり、該受信側装置が基地局である。
【００８５】
具体的には、送信側装置は、第１のデータストリームと第２のデータストリームとがマッピングされた第１のＴＢを受信側装置に送信し、受信側装置による該第１のＴＢの受信にエラーが生じたとき、データ信号を再伝送する必要があり、図２に示される２列目のように、送信側装置は第３のデータストリームを介して第２のデータ信号Ｓ２の共役の反数
2019537286.tif 000016
に等しい第３のデータ信号を伝送し、第４のデータストリームを介して第１のデータ信号Ｓ１の共役
2019537286.tif 000017
に等しい第４のデータ信号を伝送し、第３のデータストリーム及び第４のデータストリームはいずれも第２のＴＢセットにおける第２のＴＢにマッピングされる。それに対応して、受信側装置は、エラーが生じた第１のＴＢ、及び再伝送後に受信した第２のＴＢに基づいて、第１のデータ信号及び第２のデータ信号を解析する。
【００８６】
なお、アップリンクデータを伝送する場合にもダウンリンクデータを伝送する場合にも、ＴＢにエラーが生じて再伝送する必要がある場合、基地局は、端末装置及び基地局が本発明の実施例における方法を用いてデータ信号を再伝送することを指示するための指示情報を端末装置に送信する。
【００８７】
場合によっては、第１のＴＢセットに複数のＴＢを含む場合について、第１のＴＢセットに第１のＴＢと第２のＴＢを含む例では、それに対応して第２のＴＢセットは第３のＴＢと第４のＴＢを含む場合、該少なくとも１つの受信側装置は１つ又は２つの受信側装置であってもよい。少なくとも１つの受信側装置が１つの受信側装置である例において、送信側装置は受信側装置に第１のデータストリーム及び第２のデータストリームを送信し、該第１のデータストリーム及び第２のデータストリームは異なるＴＢにマッピングされ、すなわち第１のデータストリームは第１のＴＢにマッピングされ、第２のデータストリームは第２のＴＢにマッピングされる。たとえば、ダウンリンクデータを伝送する場合、該送信側装置が基地局であり、該受信側装置が端末装置であり、或いは、アップリンクデータを伝送する場合、該送信側装置が端末装置であり、該受信側装置が基地局である。
【００８８】
第１のＴＢ又は第２のＴＢにエラーが生じたか、又は第１のＴＢと第２のＴＢの両方にエラーが生じたとき、送信側装置は、受信側装置にデータ信号を再送信する必要があり、対応する図２に示されるように、送信側装置は、第３のデータストリームを介して第２のデータ信号Ｓ２の共役の反数
2019537286.tif 000018
に等しい第３のデータ信号を伝送し、第４のデータストリームを介して第１のデータ信号Ｓ１の共役
2019537286.tif 000019
に等しい第４のデータ信号を伝送し、第３のデータストリームは第２のＴＢセットにおける第３のＴＢにマッピングされ、第４のデータストリームは第２のＴＢセットにおける第４のＴＢにマッピングされる。それに対応して、受信側装置が第１のＴＢセット及び第２のＴＢセットにマッピングされたデータストリームにおけるデータ信号に基づいて、解析して第１のデータ信号及び第２のデータ信号を取得する。
【００８９】
なお、アップリンクデータを伝送する場合にもダウンリンクデータを伝送する場合にも、ＴＢにエラーが生じて再伝送する必要があるとき、基地局は、端末装置及び基地局が本発明の実施例における方法を用いてデータ信号を再伝送することを指示するための指示情報を端末装置に送信する。
【００９０】
場合によっては、第１のＴＢセットに第１のＴＢと第２のＴＢを含み、それに対応して、第２のＴＢセットに第３のＴＢと第４のＴＢを含む。このような場合、少なくとも１つの受信側装置は２つの受信側装置を含んでもよく、たとえば、送信側装置は基地局であり、受信側装置は第１の端末装置と第２の端末装置を含み、すなわち１つの基地局は２つの端末装置にデータ信号を送信する。
【００９１】
具体的には、基地局は、第１の端末装置に第１のＴＢを送信し、第２の端末装置に第２のＴＢを送信し、第１のＴＢに第１のデータストリームがマッピングされ、第２のＴＢに第２のデータストリームがマッピングされ、第１のデータストリーム及び第２のデータストリームはデータ信号を伝送するのに用いられ、たとえば、第１の端末が第１のデータ信号を取得し、第２の端末が第２のデータ信号を取得するように、第１のデータストリームを介して第１のデータ信号を送信し、第２のデータストリームを介して第２のデータ信号を送信する。
【００９２】
第１のＴＢセットにおける２つのＴＢのうちのいずれかのＴＢにエラーが生じ、又は２つのＴＢともにエラーが生じたとき、基地局は、２つの端末装置にデータ信号を再送信する必要がある。具体的には、再伝送過程において、基地局は第１の端末装置に第３のＴＢを送信し、該第３のＴＢには、第２のデータ信号Ｓ２の共役の反数
2019537286.tif 000020
に等しい第３のデータ信号を第１の端末に伝送するための第３のデータストリームがマッピングされており、それに対応して、該基地局は第２の端末に第４のＴＢを送信し、該第４のＴＢには、第１のデータ信号Ｓ１の共役
2019537286.tif 000021
に等しい第４のデータ信号を第２の端末に伝送するための第４のデータストリームがマッピングされている。このとき、第１の端末装置は、第１のＴＢ及び第３のＴＢに基づいて、第１のデータ信号を取得し、第２の端末装置は、第２のＴＢ及び第４のＴＢに基づいて、第２のデータ信号を取得する。
【００９３】
なお、基地局が２つの端末装置に送信したＴＢにエラーが生じて再伝送する必要がある場合、基地局は、２つの端末装置及び基地局が本発明の実施例における方法を用いてデータ信号を再伝送することを指示するための指示情報を２つの端末装置のそれぞれに送信する。
【００９４】
従って、本発明の実施例のデータ伝送方法では、送信側装置が、第１のＴＢセットにより第１のデータ信号及び第２のデータ信号を伝送し、第１のＴＢセットにおいてＴＢにエラーが生じたとき、第２のＴＢセットにおけるＴＢにより、第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【００９５】
図７は、本発明のさらなる実施例によるデータ伝送方法６００の模式的なフローチャートを示し、該方法６００は、送信側装置と少なくとも１つの受信側装置とを備える通信システムに適用され、該方法６００は、該少なくとも１つの受信側装置のうちのいずれか１つの受信側装置によって実行され得、具体的には、該受信側装置は基地局又は端末装置であってもよく、本発明の実施例ではそれについて制限しない。図７に示されるように、該方法６００は、
該少なくとも１つの受信側装置のうちのいずれか１つの受信側装置である第１の受信側装置が、該送信側装置が該少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信するステップＳ６１０と、
該第１の伝送ブロックセットにおける伝送ブロックの伝送にエラーが生じたとき、該第１の受信側装置が、該送信側装置が該少なくとも１つの受信側装置に送信した、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを受信し、該第２の伝送ブロックセット及び該第１の伝送ブロックセットは、該少なくとも１つの受信側装置が該第１のデータ信号及び該第２のデータ信号を決定するのに用いられるステップＳ６２０とを含む。
【００９６】
場合によっては、該第１のデータストリームは、該第１のデータ信号を伝送し、該第２のデータストリームは、該第２のデータ信号を伝送する。
【００９７】
場合によっては、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【００９８】
場合によっては、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【００９９】
場合によっては、該第１のＴＢセットは、第１のＴＢを含み、該第１のデータストリーム及び該第２のデータストリームがいずれも該第１のＴＢにマッピングされ、該第２のＴＢセットは、第２のＴＢを含み、該第３のデータストリーム及び該第４のデータストリームがいずれも該第２のＴＢにマッピングされる。
【０１００】
場合によっては、該第１のＴＢセットは、第１のＴＢと第２のＴＢを含み、該第１のデータストリームが該第１のＴＢにマッピングされ、該第２のデータストリームが該第２のＴＢにマッピングされ、該第２のＴＢセットは、第３のＴＢと第４のＴＢを含み、該第３のデータストリームが該第３のＴＢにマッピングされ、該第４のデータストリームが該第４のＴＢにマッピングされる。
【０１０１】
場合によっては、該少なくとも１つの受信側装置は該第１の端末装置と第２の端末装置を含み、該送信側装置は基地局であり、該第１の受信側装置が、該送信側装置が該少なくとも１つの受信側装置に送信した第１のＴＢセットを受信するステップは、該第１の端末装置が、該基地局が送信した該第１のＴＢを受信し、該基地局が該第２の端末装置に該第２のＴＢを送信するステップを含み、該第１の受信側装置が、該送信側装置が該少なくとも１つの受信側装置に送信した第２のＴＢセットを受信するステップは、該第１の端末装置が、該基地局が送信した該第３のＴＢを受信し、該基地局が該第２の端末装置に該第４のＴＢを送信するステップを含み、該第１のＴＢ及び該第３のＴＢは該第１の端末装置が該第１のデータ信号を決定するのに用いられ、該第２のＴＢ及び該第４のＴＢは該第２の端末装置が該第２のデータ信号を決定するのに用いられる。
【０１０２】
場合によっては、該第１の受信側装置が基地局であり、該送信側装置が端末装置であり、或いは、該第１の受信側装置が端末装置であり、該送信側装置が基地局である。
【０１０３】
場合によっては、該方法はさらに、該端末装置が、該基地局が送信した、該端末装置がＴＢ伝送にエラーが生じたときに採用する再伝送方式を指示するための指示情報を受信するステップを含む。
【０１０４】
なお、該方法６００は本発明の実施例における方法５００に対応し、方法６００は方法５００における受信側装置のステップを実行できるため、ここで詳細な説明を省略する。
【０１０５】
従って、本発明の実施例のデータ伝送方法では、受信側装置が、送信側装置が第１のＴＢセットにより伝送した第１のデータ信号及び第２のデータ信号を受信し、第１のＴＢセットにおいてＴＢにエラーが生じたとき、再び第２のＴＢセットにおけるＴＢにより第３のデータストリーム及び第４のデータストリームを伝送し、第３のデータストリームが第２のデータ信号の共役の反数を伝送し、第４のデータストリームが第１のデータ信号の共役を伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１０６】
なお、本発明の各種実施例において、上記各過程の番号は実行順番を示すものではなく、各過程の実行順番はその機能及び論理に応じて決定されるものであり、本発明の実施例の実施過程を何ら限定するものではない。
【０１０７】
以上、図１〜図７を参照しながら、本発明の実施例によるデータ伝送方法を詳細に説明したが、以下、図８〜図１５を参照しながら、本発明の実施例によるデータ伝送装置を説明する。
【０１０８】
図８に示されるように、本発明の実施例による送信側装置７００は、
第１の時点に、第１の周波数を用いて第１のデータストリームを介して受信側装置に第１のデータ信号を送信し、該第１の周波数を用いて第２のデータストリームを介して該受信側装置に第２のデータ信号を送信し、
さらに、該第１の時点後の第２の時点に、該第１の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第１の周波数を用いて、該受信側装置が該第１のデータ信号及び該第２のデータ信号を決定するための該第２のデータストリームを介して、該受信側装置に該第１のデータ信号の共役に等しい第４のデータ信号を送信するための送信モジュール７１０を備え、
或いは、
第１の時点に、第１の周波数を用いて第１のデータストリームを介して該受信側装置に第１のデータ信号を送信し、該第１の周波数を用いて第２のデータストリームを介して該受信側装置に第２のデータ信号を送信し、
さらに、該第１の時点に、第２の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第２の周波数を用いて、該受信側装置が該第１のデータ信号及び該第２のデータ信号を決定するための該第２のデータストリームを介して、該受信側装置に該第１のデータ信号の共役に等しい第４のデータ信号を送信するための送信モジュール７１０を備える。
【０１０９】
従って、本発明の実施例の送信側装置は、異なる時点に、同じ周波数を用いて、受信側装置に第１のデータ信号及び第２のデータ信号を担持した第１のデータストリーム及び第２のデータストリームを送信し、又は、同じ時点に、異なる周波数を用いて、受信側装置に第１のデータ信号及び第２のデータ信号を担持した第１のデータストリーム及び第２のデータストリームを送信することで、データ伝送効率を向上できる。
【０１１０】
場合によっては、該第１のデータストリーム及び該第２のデータストリームは、同一の伝送ブロックにマッピングされる。
【０１１１】
場合によっては、該送信側装置が端末装置であり、該受信側装置が基地局であり、或いは、該送信側装置が基地局であり、該受信側装置が端末装置である。
【０１１２】
場合によっては、該基地局は、該端末装置に、該端末装置と該基地局との間のデータ信号伝送方式を指示するための指示情報を送信する。
【０１１３】
場合によっては、該送信側装置が該基地局である場合、該基地局は、第１の送信ユニットを含む第１の基地局と、第２の送信ユニットを含む第２の基地局とを含み、該送信モジュール７１０は、該第１のデータストリームにおけるデータ信号を送信する該第１の送信ユニットと、該第２のデータストリームにおけるデータ信号を送信する該第２の送信ユニットとを含む。
【０１１４】
なお、本発明の実施例による送信側装置７００は、本発明の実施例における方法１００及び方法２００を実行してもよく、且つ送信側装置７００における各モジュールの上記及びほかの操作及び／又は機能はそれぞれ図１〜図３中の各方法における送信側装置の対応プロセスを実現するためのものであるから、簡素化させるために、ここで詳細な説明を省略する。
【０１１５】
従って、本発明の実施例の送信側装置は、異なる時点に、同じ周波数を用いて、受信側装置に第１のデータ信号及び第２のデータ信号を担持した第１のデータストリーム及び第２のデータストリームを送信し、又は、同じ時点に、異なる周波数を用いて、受信側装置に第１のデータ信号及び第２のデータ信号を担持した第１のデータストリーム及び第２のデータストリームを送信することで、データ伝送効率を向上できる。
【０１１６】
図９に示されるように、本発明の実施例による受信側装置８００は、
第１の時点に、送信側装置が第１の周波数を用いて第１のデータストリームを介して送信した第１のデータ信号、及び該第１の周波数を用いて第２のデータストリームを介して送信した第２のデータ信号を受信し、
さらに、該第１の時点後の第２の時点に、該送信側装置が該第１の周波数を用いて該第１のデータストリームを介して送信した、該第２のデータ信号の共役の反数に等しい第３のデータ信号、及び該第１の周波数を用いて該第２のデータストリームを介して送信した、該第１のデータ信号の共役に等しい第４のデータ信号を受信するための受信モジュール８１０と、
該第１のデータストリーム及び該第２のデータストリームに基づいて、該第１のデータ信号及び該第２のデータ信号を決定するための決定モジュール８２０とを備え、
或いは、
第１の時点に、該送信側装置が第１の周波数を用いて第１のデータストリームを介して送信した第１のデータ信号、及び該第１の周波数を用いて第２のデータストリームを介して送信した第２のデータ信号を受信し、
さらに、該第１の時点に、該送信側装置が第２の周波数を用いて該第１のデータストリームを介して送信した、該第２のデータ信号の共役の反数に等しい第３のデータ信号、及び該第２の周波数を用いて該第２のデータストリームを介して送信した、該第１のデータ信号の共役に等しい第４のデータ信号を受信するための受信モジュール８１０と、
該第１のデータストリーム及び該第２のデータストリームに基づいて、該第１のデータ信号及び該第２のデータ信号を決定するための決定モジュール８２０とを備える。
【０１１７】
従って、本発明の実施例の受信側装置は、送信側装置が異なる時点に同じ周波数を用いて送信した、第１のデータ信号及び第２のデータ信号を担持した第１のデータストリーム及び第２のデータストリーム、又は、同じ時点に異なる周波数を用いて送信した、第１のデータ信号及び第２のデータ信号を担持した第１のデータストリーム及び第２のデータストリームを受信することで、データ伝送効率を向上できる。
【０１１８】
場合によっては、該第１のデータストリーム及び該第２のデータストリームは、同一の伝送ブロックにマッピングされる。
【０１１９】
場合によっては、該受信側装置が基地局であり、該送信側装置が端末装置であり、或いは、該受信側装置が端末装置であり、該送信側装置が基地局である。
【０１２０】
場合によっては、該端末装置は、該基地局が送信した、該端末装置と該基地局との間のデータ信号伝送方式を指示するための指示情報を受信する。
【０１２１】
場合によっては、該送信側装置が該基地局である場合、該基地局は、該第１のデータストリームにおけるデータ信号を送信する第１の基地局と、該第２のデータストリームにおけるデータ信号を送信する第２の基地局とを含む。
【０１２２】
なお、本発明の実施例による受信側装置８００は、本発明の実施例における方法３００と方法４００を実行してもよく、且つ受信側装置８００における各モジュールの上記及びほかの操作及び／又は機能はそれぞれ図４〜図５中の各方法における受信側装置の対応プロセスを実現するためのものであるから、簡素化させるために、ここで詳細な説明を省略する。
【０１２３】
従って、本発明の実施例の受信側装置は、送信側装置が異なる時点に同じ周波数を用いて送信した、第１のデータ信号及び第２のデータ信号を担持した第１のデータストリーム及び第２のデータストリーム、又は、同じ時点に異なる周波数を用いて送信した、第１のデータ信号及び第２のデータ信号を担持した第１のデータストリーム及び第２のデータストリームを受信することで、データ伝送効率を向上できる。
【０１２４】
図１０に示されるように、本発明の別の実施例による送信側装置９００は、
少なくとも１つの受信側装置に、第１のデータ信号及び第２のデータ信号を含むデータ信号を伝送するための第１のデータストリームと第２のデータストリームとが伝送ブロックにマッピングされた第１の伝送ブロックセットを送信するための第１の送信モジュール９１０と、
該第１の伝送ブロックセットにおける伝送ブロックの伝送にエラーが生じたとき、該少なくとも１つの受信側装置に、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを送信するための第２の送信モジュール９２０とを備え、該第２の伝送ブロックセット及び該第１の伝送ブロックセットは、該少なくとも１つの受信側装置が該第１のデータ信号及び該第２のデータ信号を決定するのに用いられる。
【０１２５】
従って、本発明の実施例の送信側装置は、第１のＴＢセットにより第１のデータ信号及び第２のデータ信号を伝送し、第１のＴＢセットにおいてＴＢにエラーが生じたとき、第２のＴＢセットにおけるＴＢにより第３のデータストリーム及び第４のデータストリームを伝送し、第３のデータストリームが第２のデータ信号の共役の反数を伝送し、第４のデータストリームが第１のデータ信号の共役を伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１２６】
場合によっては、該第１のデータストリームは、該第１のデータ信号を伝送し、該第２のデータストリームは、該第２のデータ信号を伝送する。
【０１２７】
場合によっては、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【０１２８】
場合によっては、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【０１２９】
場合によっては、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【０１３０】
場合によっては、該第１の伝送ブロックセットは、第１の伝送ブロックと第２の伝送ブロックを含み、該第１のデータストリームが該第１の伝送ブロックにマッピングされ、該第２のデータストリームが該第２の伝送ブロックにマッピングされ、該第２の伝送ブロックセットは、第３の伝送ブロックと第４の伝送ブロックを含み、該第３のデータストリームが該第３の伝送ブロックにマッピングされ、該第４のデータストリームが該第４の伝送ブロックにマッピングされる。
【０１３１】
場合によっては、該送信側装置は基地局であり、該少なくとも１つの受信側装置は第１の端末装置と第２の端末装置を含み、該第１の送信モジュール９１０は具体的には、該第１の端末装置に該第１の伝送ブロックを送信し、該第２の端末装置に該第２の伝送ブロックを送信し、該第２の送信モジュール９２０は具体的には、該第１の端末装置に該第３の伝送ブロックを送信し、該第２の端末装置に該第４の伝送ブロックを送信し、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【０１３２】
場合によっては、該送信側装置が端末装置であり、該少なくとも１つの受信側装置が基地局であり、或いは、該送信側装置が基地局であり、該少なくとも１つの受信側装置が端末装置である。
【０１３３】
場合によっては、該基地局は、該端末装置が伝送ブロックの伝送にエラーが生じたときに採用する再伝送方式を指示するための指示情報を該端末装置に送信する。
【０１３４】
なお、本発明の実施例による送信側装置９００は、本発明の実施例における方法５００を実行してもよく、且つ送信側装置９００における各モジュールの上記及びほかの操作及び／又は機能はそれぞれ図６中の各方法における送信側装置の対応プロセスを実現するためのものであるから、簡素化させるために、ここで詳細な説明を省略する。
【０１３５】
従って、本発明の実施例の送信側装置は、第１のＴＢセットにより第１のデータ信号及び第２のデータ信号を伝送し、第１のＴＢセットにおいてＴＢにエラーが生じたとき、第２のＴＢセットにおけるＴＢにより第３のデータストリーム及び第４のデータストリームを伝送し、第３のデータストリームが第２のデータ信号の共役の反数を伝送し、第４のデータストリームが第１のデータ信号の共役を伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１３６】
図１１は、本発明の別の実施例による受信側装置１０００の模式的なブロック図を示し、該受信側装置１０００は、送信側装置と少なくとも１つの受信側装置とを備える通信システムに位置し、該受信側装置１０００は、該少なくとも１つの受信側装置のうちのいずれか１つの受信側装置であり、図１１に示されるように、該受信側装置１０００は、
該送信側装置が該少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信するための第１の受信モジュール１０１０と、
該第１の伝送ブロックセットにおける伝送ブロックの伝送にエラーが生じたとき、該送信側装置が該少なくとも１つの受信側装置に送信した、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを受信するための第２の受信モジュール１０２０とを備え、該第２の伝送ブロックセット及び該第１の伝送ブロックセットは、該少なくとも１つの受信側装置が該第１のデータ信号及び該第２のデータ信号を決定するのに用いられる。
【０１３７】
従って、本発明の実施例の受信側装置は、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより、第３のデータストリーム及び第４のデータストリームを伝送し、第３のデータストリームが第２のデータ信号の共役の反数を伝送し、第４のデータストリームが第１のデータ信号の共役を伝送することによって、受信側装置が第１のＴＢセットと第２のＴＢセットに基づいて、第１のデータ信号と第２のデータ信号を取得することで、データ伝送にエラーが生じたとき、上記再伝送方式でデータ伝送効率をさらに向上させる。
【０１３８】
場合によっては、該第１のデータストリームは、該第１のデータ信号を伝送し、該第２のデータストリームは、該第２のデータ信号を伝送する。
【０１３９】
場合によっては、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【０１４０】
場合によっては、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【０１４１】
場合によっては、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【０１４２】
場合によっては、該第１の伝送ブロックセットは、第１の伝送ブロックと第２の伝送ブロックを含み、該第１のデータストリームが該第１の伝送ブロックにマッピングされ、該第２のデータストリームが該第２の伝送ブロックにマッピングされ、該第２の伝送ブロックセットは、第３の伝送ブロックと第４の伝送ブロックを含み、該第３のデータストリームが該第３の伝送ブロックにマッピングされ、該第４のデータストリームが該第４の伝送ブロックにマッピングされる。
【０１４３】
場合によっては、該少なくとも１つの受信側装置は該第１の端末装置と第２の端末装置を含み、該送信側装置は基地局であり、該第１の受信モジュール１０１０は具体的には、該基地局が送信した該第１の伝送ブロックを受信し、該基地局が該第２の端末装置に該第２の伝送ブロックを送信し、該第２の受信モジュール１０２０は、具体的には、該基地局が送信した該第３の伝送ブロックを受信し、該基地局が該第２の端末装置に該第４の伝送ブロックを送信し、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【０１４４】
場合によっては、該受信側装置が基地局であり、該送信側装置が端末装置であり、或いは、該受信側装置が端末装置であり、該送信側装置が基地局である。
【０１４５】
場合によっては、該端末装置は、該基地局が送信した、該端末装置が伝送ブロックの伝送にエラーが生じたときに採用する再伝送方式を指示するための指示情報を受信する。
【０１４６】
なお、本発明の実施例による受信側装置１０００は、本発明の実施例における方法６００を実行してもよく、且つ受信側装置１０００における各モジュールの上記及びほかの操作及び／又は機能はそれぞれ図７中の各方法における受信側装置の対応プロセスを実現するためのものであるから、簡素化させるために、ここで詳細な説明を省略する。
【０１４７】
従って、本発明の実施例の受信側装置は、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより、第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１４８】
図１２は、本発明のさらなる実施例による送信側装置１１００の模式的なブロック図を示し、図１０に示されるように、該送信側装置１１００は、プロセッサ１１１０と送受信機１１２０とを備え、プロセッサ１１１０は送受信機１１２０に接続され、場合によっては、該送信側装置１１００はさらに記憶装置１１３０を含み、記憶装置１１３０はプロセッサ１１１０に接続され、さらに場合によっては、該送信側装置１１００はバスシステム１１４０を含む。プロセッサ１１１０、記憶装置１１３０及び送受信機１１２０はバスシステム１１４０によって接続され、該記憶装置１１３０はコマンドを記憶し、該プロセッサ１１１０は該記憶装置１１３０に記憶されたコマンドを実行して、情報又は信号を送信するように送受信機１１２０を制御し、
該送受信機１１２０は、第１の時点に、第１の周波数を用いて第１のデータストリームを介して受信側装置に第１のデータ信号を送信し、該第１の周波数を用いて第２のデータストリームを介して該受信側装置に第２のデータ信号を送信し、
該送受信機１１２０はさらに、該第１の時点後の第２の時点に、該第１の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第１の周波数を用いて、該受信側装置が該第１のデータ信号及び該第２のデータ信号を決定するための該第２のデータストリームを介して、該受信側装置に該第１のデータ信号の共役に等しい第４のデータ信号を送信し、
或いは、
該送受信機１１２０は、第１の時点に、第１の周波数を用いて第１のデータストリームを介して該受信側装置に第１のデータ信号を送信し、該第１の周波数を用いて第２のデータストリームを介して該受信側装置に第２のデータ信号を送信し、
該送受信機１１２０はさらに、該第１の時点に、第２の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第２の周波数を用いて、該受信側装置が該第１のデータ信号及び該第２のデータ信号を決定するための該第２のデータストリームを介して、該受信側装置に該第１のデータ信号の共役に等しい第４のデータ信号を送信する。
【０１４９】
従って、本発明の実施例の送信側装置は、異なる時点に、同じ周波数を用いて、受信側装置に第１のデータ信号及び第２のデータ信号を担持した第１のデータストリーム及び第２のデータストリームを送信し、又は、同じ時点に、異なる周波数を用いて、受信側装置に第１のデータ信号及び第２のデータ信号を担持した第１のデータストリーム及び第２のデータストリームを送信することで、データ伝送効率を向上できる。
【０１５０】
場合によっては、該第１のデータストリーム及び該第２のデータストリームは、同一の伝送ブロックにマッピングされる。
【０１５１】
場合によっては、該送信側装置が端末装置であり、該受信側装置が基地局であり、或いは、該送信側装置が基地局であり、該受信側装置が端末装置である。
【０１５２】
場合によっては、該基地局は、該端末装置と該基地局との間のデータ信号伝送方式を指示するための指示情報を該端末装置に送信する。
【０１５３】
場合によっては、該送信側装置が該基地局である場合、該基地局は、第１の送信ユニットを含む第１の基地局と、第２の送信ユニットを含む第２の基地局とを含み、該送受信機１１２０は、該第１のデータストリームにおけるデータ信号を送信する該第１の送信ユニットと、該第２のデータストリームにおけるデータ信号を送信する該第２の送信ユニットとを含む。
【０１５４】
なお、本発明の実施例による送信側装置１１００は、本発明の実施例における送信側装置７００に対応し、且つ本発明の実施例による方法１００及び方法２００を実行する対応本体に対応してもよく、且つ送信側装置１１００における各モジュールの上記及びほかの操作及び／又は機能はそれぞれ図１〜図３中の各方法の対応プロセスを実現するためのものであるから、簡素化させるために、ここで詳細な説明を省略する。
【０１５５】
従って、本発明の実施例の送信側装置は、異なる時点に、同じ周波数を用いて、受信側装置に第１のデータ信号及び第２のデータ信号を担持した第１のデータストリーム及び第２のデータストリームを送信し、又は、同じ時点に、異なる周波数を用いて、受信側装置に第１のデータ信号及び第２のデータ信号を担持した第１のデータストリーム及び第２のデータストリームを送信することで、データ伝送効率を向上できる。
【０１５６】
図１３は、本発明のさらなる実施例による受信側装置１２００の模式的なブロック図を示し、図１０に示されるように、該受信側装置１２００は、プロセッサ１２１０と送受信機１２２０とを備え、プロセッサ１２１０は送受信機１２２０に接続され、場合によっては、該受信側装置１２００はさらに記憶装置１２３０を含み、記憶装置１２３０はプロセッサ１２１０に接続され、さらに場合によっては、該受信側装置１２００はバスシステム１２４０を含む。プロセッサ１２１０、記憶装置１２３０及び送受信機１２２０はバスシステム１２４０によって接続され、該記憶装置１２３０はコマンドを記憶し、該プロセッサ１２１０は、該記憶装置１２３０に記憶されたコマンドを実行して、情報又は信号を送信するように送受信機１２２０を制御し、
該送受信機１２２０は、第１の時点に、送信側装置が第１の周波数を用いて第１のデータストリームを介して送信した第１のデータ信号、及び該第１の周波数を用いて第２のデータストリームを介して送信した第２のデータ信号を受信し、
該送受信機１２２０はさらに、該第１の時点後の第２の時点に、該送信側装置が該第１の周波数を用いて該第１のデータストリームを介して送信した、該第２のデータ信号の共役の反数に等しい第３のデータ信号、及び該第１の周波数を用いて該第２のデータストリームを介して送信した、該第１のデータ信号の共役に等しい第４のデータ信号を受信し、
該プロセッサ１２１０は、該第１のデータストリーム及び該第２のデータストリームに基づいて、該第１のデータ信号及び該第２のデータ信号を決定し、
或いは、
該送受信機１２２０は、第１の時点に、該送信側装置が第１の周波数を用いて第１のデータストリームを介して送信した第１のデータ信号、及び該第１の周波数を用いて第２のデータストリームを介して送信した第２のデータ信号を受信し、
該送受信機１２２０はさらに、該第１の時点に、該送信側装置が第２の周波数を用いて該第１のデータストリームを介して送信した、該第２のデータ信号の共役の反数に等しい第３のデータ信号、及び該第２の周波数を用いて該第２のデータストリームを介して送信した、該第１のデータ信号の共役に等しい第４のデータ信号を受信し、
該プロセッサ１２１０は、該第１のデータストリーム及び該第２のデータストリームに基づいて、該第１のデータ信号及び該第２のデータ信号を決定する。
【０１５７】
従って、本発明の実施例の受信側装置は、送信側装置が異なる時点に同じ周波数を用いて送信した、第１のデータ信号及び第２のデータ信号を担持した第１のデータストリーム及び第２のデータストリーム、又は、同じ時点に異なる周波数を用いて送信した、第１のデータ信号及び第２のデータ信号を担持した第１のデータストリーム及び第２のデータストリームを受信することで、データ伝送効率を向上できる。
【０１５８】
場合によっては、該第１のデータストリーム及び該第２のデータストリームは、同一の伝送ブロックにマッピングされる。
【０１５９】
場合によっては、該受信側装置が基地局であり、該送信側装置が端末装置であり、或いは、該受信側装置が端末装置であり、該送信側装置が基地局である。
【０１６０】
場合によっては、該端末装置は、該基地局が送信した、該端末装置と該基地局との間のデータ信号伝送方式を指示するための指示情報を受信する。
【０１６１】
場合によっては、該送信側装置が該基地局である場合、該基地局は、該第１のデータストリームにおけるデータ信号を送信する第１の基地局と、該第２のデータストリームにおけるデータ信号を送信する第２の基地局とを含む。
【０１６２】
なお、本発明の実施例による受信側装置１２００は、本発明の実施例における受信側装置８００に対応し、且つ本発明の実施例による方法３００及び方法４００を実行する対応本体に対応してもよく、且つ受信側装置１２００における各モジュールの上記及びほかの操作及び／又は機能はそれぞれ図４〜図５中の各方法の対応プロセスを実現するためのものであるから、簡素化させるために、ここで詳細な説明を省略する。
【０１６３】
従って、本発明の実施例の受信側装置は、送信側装置が異なる時点に同じ周波数を用いて送信した、第１のデータ信号及び第２のデータ信号を担持した第１のデータストリーム及び第２のデータストリーム、又は、同じ時点に異なる周波数を用いて送信した、第１のデータ信号及び第２のデータ信号を担持した第１のデータストリーム及び第２のデータストリームを受信することで、データ伝送効率を向上できる。
【０１６４】
図１４は、本発明のさらなる実施例による送信側装置１３００の模式的なブロック図を示し、図１０に示されるように、該送信側装置１３００は、プロセッサ１３１０と送受信機１３２０とを備え、プロセッサ１３１０は送受信機１３２０に接続され、場合によっては、該送信側装置１３００はさらに記憶装置１３３０を含み、記憶装置１３３０はプロセッサ１３１０に接続され、さらに場合によっては、該送信側装置１３００はバスシステム１３４０を含む。プロセッサ１３１０、記憶装置１３３０及び送受信機１３２０はバスシステム１３４０によって接続され、該記憶装置１３３０はコマンドを記憶し、該プロセッサ１３１０は該記憶装置１３３０に記憶されたコマンドを実行して、情報又は信号を送信するように送受信機１３２０を制御し、
該送受信機１３２０は、第１のデータ信号及び第２のデータ信号を含むデータ信号を伝送するための第１のデータストリームと第２のデータストリームとが伝送ブロックにマッピングされた第１の伝送ブロックセットを、少なくとも１つの受信側装置に送信し、該第１の伝送ブロックセットにおける伝送ブロックの伝送にエラーが生じたとき、該少なくとも１つの受信側装置に、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを送信し、該第２の伝送ブロックセット及び該第１の伝送ブロックセットは、該少なくとも１つの受信側装置が該第１のデータ信号及び該第２のデータ信号を決定するのに用いられる。
【０１６５】
従って、本発明の実施例の送信側装置は、第１のＴＢセットにより第１のデータ信号及び第２のデータ信号を伝送し、第１のＴＢセットにおいてＴＢにエラーが生じたとき、第２のＴＢセットにおけるＴＢにより、第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１６６】
場合によっては、該第１のデータストリームは、該第１のデータ信号を伝送し、該第２のデータストリームは、該第２のデータ信号を伝送する。
【０１６７】
場合によっては、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【０１６８】
場合によっては、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【０１６９】
場合によっては、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【０１７０】
場合によっては、該第１の伝送ブロックセットは、第１の伝送ブロックと第２の伝送ブロックを含み、該第１のデータストリームが該第１の伝送ブロックにマッピングされ、該第２のデータストリームが該第２の伝送ブロックにマッピングされ、該第２の伝送ブロックセットは、第３の伝送ブロックと第４の伝送ブロックを含み、該第３のデータストリームが該第３の伝送ブロックにマッピングされ、該第４のデータストリームが該第４の伝送ブロックにマッピングされる。
【０１７１】
場合によっては、該送信側装置は基地局であり、該少なくとも１つの受信側装置は第１の端末装置と第２の端末装置を含み、該送受信機１３２０は具体的には、該第１の端末装置に該第１の伝送ブロックを送信し、該第２の端末装置に該第２の伝送ブロックを送信し、該第１の端末装置に該第３の伝送ブロックを送信し、該第２の端末装置に該第４の伝送ブロックを送信し、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【０１７２】
場合によっては、該送信側装置が端末装置であり、該少なくとも１つの受信側装置が基地局であり、或いは、該送信側装置が基地局であり、該少なくとも１つの受信側装置が端末装置である。
【０１７３】
場合によっては、該基地局は、該端末装置が伝送ブロックの伝送にエラーが生じたときに採用する再伝送方式を指示するための指示情報を該端末装置に送信する。
【０１７４】
なお、本発明の実施例による送信側装置１３００は、本発明の実施例における送信側装置９００に対応し、且つ本発明の実施例による方法５００を実行する対応本体に対応してもよく、且つ送信側装置１３００における各モジュールの上記及びほかの操作及び／又は機能はそれぞれ図６中の各方法における対応プロセスを実行するためのものであるから、簡素化させるために、ここで詳細な説明を省略する。
【０１７５】
従って、本発明の実施例の送信側装置は、第１のＴＢセットにより第１のデータ信号及び第２のデータ信号を伝送し、第１のＴＢセットにおいてＴＢにエラーが生じたとき、第２のＴＢセットにおけるＴＢにより、第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１７６】
図１５は、本発明のさらなる実施例による受信側装置１４００の模式的なブロック図を示し、該受信側装置１４００は、送信側装置と少なくとも１つの受信側装置とを備える通信システムに位置し、該受信側装置１４００は、該少なくとも１つの受信側装置のうちのいずれか１つの受信側装置であり、図１０に示されるように、該受信側装置１４００は、プロセッサ１４１０と送受信機１４２０とを備え、プロセッサ１４１０は送受信機１４２０に接続され、場合によっては、該受信側装置１４００はさらに記憶装置１４３０を含み、記憶装置１４３０はプロセッサ１４１０に接続され、さらに場合によっては、該受信側装置１４００はバスシステム１４４０を含む。プロセッサ１４１０、記憶装置１４３０及び送受信機１４２０はバスシステム１４４０によって接続され、該記憶装置１４３０はコマンドを記憶し、該プロセッサ１４１０は該記憶装置１４３０に記憶されたコマンドを実行して、情報又は信号を送信するように送受信機１４２０を制御し、
該送受信機１４２０は、該送信側装置が該少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信し、該第１の伝送ブロックセットにおける伝送ブロックの伝送にエラーが生じたとき、該送信側装置が該少なくとも１つの受信側装置に送信した、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを受信し、該第２の伝送ブロックセット及び該第１の伝送ブロックセットは、該少なくとも１つの受信側装置が該第１のデータ信号及び該第２のデータ信号を決定するのに用いられる。
【０１７７】
従って、本発明の実施例の受信側装置は、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより、第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１７８】
場合によっては、該第１のデータストリームは、該第１のデータ信号を伝送し、該第２のデータストリームは、該第２のデータ信号を伝送する。
【０１７９】
場合によっては、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【０１８０】
場合によっては、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【０１８１】
場合によっては、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【０１８２】
場合によっては、該第１の伝送ブロックセットは、第１の伝送ブロックと第２の伝送ブロックを含み、該第１のデータストリームが該第１の伝送ブロックにマッピングされ、該第２のデータストリームが該第２の伝送ブロックにマッピングされ、該第２の伝送ブロックセットは、第３の伝送ブロックと第４の伝送ブロックを含み、該第３のデータストリームが該第３の伝送ブロックにマッピングされ、該第４のデータストリームが該第４の伝送ブロックにマッピングされる。
【０１８３】
場合によっては、該少なくとも１つの受信側装置は該第１の端末装置と第２の端末装置を含み、該送信側装置は基地局であり、該送受信機１４２０は具体的には、該基地局が送信した該第１の伝送ブロックを受信し、該基地局が該第２の端末装置に該第２の伝送ブロックを送信し、該基地局が送信した該第３の伝送ブロックを受信し、該基地局が該第２の端末装置に該第４の伝送ブロックを送信し、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【０１８４】
場合によっては、該受信側装置が基地局であり、該送信側装置が端末装置であり、或いは、該受信側装置が端末装置であり、該送信側装置が基地局である。
【０１８５】
場合によっては、該端末装置は、該基地局が送信した、該端末装置が伝送ブロックの伝送にエラーが生じたときに採用する再伝送方式を指示するための指示情報を受信する。
【０１８６】
なお、本発明の実施例による受信側装置１４００は、本発明の実施例における受信側装置１０００に対応し、且つ本発明の実施例による方法６００を実行する対応本体に対応してもよく、且つ受信側装置１４００における各モジュールの上記及びほかの操作及び／又は機能はそれぞれ図７中の各方法における対応プロセスを実現するためのものであるから、簡素化させるために、ここで詳細な説明を省略する。
【０１８７】
従って、本発明の実施例の受信側装置は、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより、第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１８８】
なお、本発明の上記方法の実施例は、プロセッサに適用されてもよく、又はプロセッサにより実現されてもよい。プロセッサは信号処理能力を有する集積回路チップである。実現過程において、上記方法の実施例の各ステップはプロセッサにおけるハードウェアの集積論理回路又はソフトウェア形式のコマンドとして行える。上記プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、離散ゲート又はトランジスタロジック装置、離散ハードウェアユニットであってもよい。本発明の実施例に開示されている各方法、ステップ及びロジックブロック図を実現又は実行できる。汎用プロセッサは、マイクロプロセッサであってもよく、任意の通常のプロセッサなどであってもよい。本発明の実施例に基づいて開示されている方法のステップは、ハードウェアデコードプロセッサにより実行されてもよく、又はデコードプロセッサにおけるハードウェア及びソフトウェアモジュールの組み合わせにより実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなどの本分野で公知する成熟記憶媒体に記憶されてもよい。該記憶媒体は記憶装置に位置し、プロセッサは記憶装置中の情報を読み取り、そのハードウェアと組み合わせて上記方法のステップを行う。
【０１８９】
なお、本発明の実施例における記憶装置は、揮発性メモリ又は不揮発性メモリであってもよく、又は揮発性メモリと不揮発性メモリの両方を含んでもよい。不揮発性メモリは、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、ランダムアクセスメモリ（Ｒａｎｄｏｍ  Ａｃｃｅｓｓ  Ｍｅｍｏｒｙ、ＲＡＭ）であってもよく、外部キャッシュメモリとして使用される。例示的であるが制限的ではない説明によって、多数の形態のＲＡＭ、たとえばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）は利用可能である。なお、本明細書に説明されたシステム及び方法における記憶装置は、以上のもの及び任意の適切なタイプのメモリを含むが、それらに制限されないことを意図する。
【０１９０】
なお、本明細書では、用語「及び／又は」は、関連オブジェクトの関連関係を説明するものに過ぎず、３種類の関係があることを示し、たとえば、Ａ及び／又はＢは、Ａが独立に存在する場合、ＡとＢが同時に存在する場合、Ｂが独立に存在する場合を含む。さらに、本明細書では、符号「／」は、一般的に、前後に記載の関連オブジェクトが「又は」の関係を有することを示す。
【０１９１】
当業者が分かるように、本明細書に開示されている実施例に基づいて説明された各例示的なユニット及びアルゴリズムステップは、電子ハードウェア、又はコンピュータソフトウェア及び電子ハードウェアの組み合わせによって実現できる。これらの機能がハードウェアで実行されるか、ソフトウェア方式で実行されるかは、技術案の特定応用及び設計上の制約条件に依存する。当業者であれば、特定応用ごとに異なる方法を用いて説明された機能を実現できるが、このような実現は本発明の範囲に含まれる。
【０１９２】
当業者にとって明らかなように、説明の便利さ及び簡素化から、上記説明したシステム、装置及びユニットの具体的な作動過程については、前述方法の実施例における対応過程を参照すればよく、ここで詳細な説明を省略する。
【０１９３】
本願によるいくつかの実施例では、理解されるように、開示されているシステム、装置及び方法は、ほかの方式によって実現されてもよい。たとえば、以上で説明した装置の実施例はあくまでも例示的なものに過ぎず、たとえば、前記ユニットの分割は、ロジック機能に応じた分割であり、実際に実施されるときに、別の分割方式があり、たとえば複数のユニット又はモジュールは別のシステムに結合又は集積化されたり、又は一部の特徴を無視にしたり、又は実行しなかったりする。また、表示又は検討された相互結合又は直接結合又は通信接続は、一部のインターフェース、装置又はユニットを介した間接的結合又は通信接続であってもよく、電気的形態、機械的形態又はほかの形態としてもよい。
【０１９４】
前記分離部材として説明したユニットは、物理的に分離してもよく、分離しなくてもよく、ユニットとして示される部材は、物理ユニットであってもよく、物理ユニットでなくてもよく、すなわち、１つの位置に位置してもよく、又は複数のネットワークユニットに分布してもよい。必要に応じて、そのうちの一部又は全部のユニットによって、本実施例の手段の目的を実現することができる。
【０１９５】
さらに、本発明の各実施例における各機能ユニットは、１つの処理ユニットに集積化されてもよく、各ユニットは独立に物理的に存在してもよく、２つ又は２つ以上のユニットは１つのユニットに集積化されてもよい。
【０１９６】
前記機能は、ソフトウェア機能ユニットの形態として実現され且つ独立した製品として販売又は使用される場合、コンピュータ可読記憶媒体に記憶できる。このような知見に基づいて、本発明の技術案では、本質的に、又は、従来技術に貢献する部分又は該技術案の一部は、ソフトウェア製品の形態として実現でき、該コンピュータソフトウェア製品は、記憶媒体に記憶されており、コンピュータ装置（パソコン、サーバ、又はネットワーク装置など）に本発明の各実施例の前記方法の全部又は一部のステップを実行させるいくつかのコマンドを含む。前述の記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどのプロクラムコードを記憶可能な種々の媒体を含む。
【０１９７】
以上は、本発明の実施形態に過ぎず、本発明の保護範囲はそれに制限されず、当業者であれば、本発明に開示されている技術範囲内で容易に想到し得る変化又は置換は、いずれも本発明の保護範囲に含まれる。従って、本発明の保護範囲は特許請求の範囲の保護範囲に準じる。
【図１】
2019537286.tif 000022
【図２】
2019537286.tif 000023
【図３】
2019537286.tif 000024
【図４】
2019537286.tif 000025
【図５】
2019537286.tif 000026
【図６】
2019537286.tif 000027
【図７】
2019537286.tif 000028
【図８】
2019537286.tif 000029
【図９】
2019537286.tif 000030
【図１０】
2019537286.tif 000031
【図１１】
2019537286.tif 000032
【図１２】
2019537286.tif 000033
【図１３】
2019537286.tif 000034
【図１４】
2019537286.tif 000035
【図１５】
2019537286.tif 000036
【手続補正書】
【提出日】平成31年4月3日(2019.4.3)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、特にデータ伝送方法、受信側装置及び送信側装置に関する。
【背景技術】
【０００２】
ロングタームエボリューション（Ｌｏｎｇ  Ｔｅｒｍ  Ｅｖｏｌｕｔｉｏｎ、ＬＴＥ）システムにおいて、スペクトル使用率を向上させるために、マルチアンテナ技術を用いて空間分割多重化を行うことができる。たとえば、アンテナ１及びアンテナ２は、それぞれデータ信号Ｓ１及びＳ２を伝送し、且つ同一の時間及び周波数リソースを使用する。受信側は、シリアル干渉除去（Ｓｅｒｉａｌ  Ｉｎｔｅｒｆｅｒｅｎｃｅ  Ｃａｎｃｅｌｌａｔｉｏｎ、ＳＩＣ）などの様々なアルゴリズムを介してＳ１及びＳ２を回復することができる。この例では、Ｓ１及びＳ２は、異なるビームで送信されてもよく、ビームは、マルチアンテナによりビームフォーミングを用いて形成されるものである。
【０００３】
ＬＴＥでは、異なるビームは、異なるデータストリームに対応し、異なるデータストリームは、同じ又は異なる伝送ブロック（Ｔｒａｎｓｍｉｓｓｉｏｎ  ｂｌｏｃｋ、ＴＢ）にマッピングされ、チャネルコーディングは、ＴＢを単位としてもよい。受信側は、異なるマッピング方式に応じて、各種受信機、たとえば、ＳＩＣ受信機、又は、干渉除去結合（Ｉｎｔｅｒｆｅｒｅｎｃｅ  Ｒｅｊｅｃｔｉｏｎ  Ｃｏｍｂｉｎｉｎｇ、ＩＲＣ）受信機を用いてＳ１及びＳ２を回復させる。Ｓ１及びＳ２を送信するときに同一の時間及び周波数リソースを用いるため、各種受信機のコアは、Ｓ１を含むデータストリーム及びＳ２を含むデータストリームの間の相互干渉を解消することにある。
【０００４】
ＬＴＥの空間分割多重化では、Ｓ１及びＳ２を伝送するデータストリームが相互に干渉するため、受信側装置にエラーが生じる状況を引き起こしやすい。
【発明の概要】
【発明が解決しようとする課題】
【０００５】
本願は、データ伝送効率を向上できるデータ伝送方法、送信側装置及び受信側装置を提供している。
【課題を解決するための手段】
【０００６】
第１の態様によれば、第１の時点に、送信側装置が、第１の周波数を用いて、該受信側装置が該第１のデータ信号及び該第２のデータ信号を決定するための第１のデータストリームを介して、受信側装置に第１のデータ信号を送信し、該第１の周波数を用いて、該受信側装置が該第１のデータ信号及び該第２のデータ信号を決定するための第２のデータストリームを介して、該受信側装置に第２のデータ信号を送信するステップと、該第１の時点後の第２の時点に、該送信側装置が、該第１の周波数を用いて該第１のデータストリームを介して該受信側装置に該第２のデータ信号の共役の反数に等しい第３のデータ信号を送信し、該第１の周波数を用いて該第２のデータストリームを介して該受信側装置に該第１のデータ信号の共役に等しい第４のデータ信号を送信するステップとを含み、或いは、
第１の時点に、該送信側装置が、第１の周波数を用いて、該受信側装置が該第１のデータ信号及び該第２のデータ信号を決定するための第１のデータストリームを介して、該受信側装置に第１のデータ信号を送信し、該第１の周波数を用いて、該受信側装置が該第１のデータ信号及び該第２のデータ信号を決定するための第２のデータストリームを介して、該受信側装置に第２のデータ信号を送信するステップと、該第１の時点に、該送信側装置が、第２の周波数を用いて該第１のデータストリームを介して該受信側装置に該第２のデータ信号の共役の反数に等しい第３のデータ信号を送信し、該第２の周波数を用いて該第２のデータストリームを介して該受信側装置に該第１のデータ信号の共役に等しい第４のデータ信号を送信するステップとを含む、データ伝送方法を提供する。
【０００７】
従って、本願の実施例のデータ伝送方法では、異なる時点に、同じ周波数を用いて、第１のデータ信号及び第２のデータ信号を担持した第１のデータストリーム及び第２のデータストリームを伝送し、又は、同じ時点に、異なる周波数を用いて、第１のデータ信号及び第２のデータ信号を担持した第１のデータストリーム及び第２のデータストリームを伝送することで、データ伝送効率を向上できる。
【０００８】
第１の態様に基づいて、第１の態様の実施形態において、該第１のデータストリーム及び該第２のデータストリームは、同一の伝送ブロックにマッピングされる。
【０００９】
第１の態様及びその上記実施形態に基づいて、第１の態様の別の実施形態において、該送信側装置が端末装置であり、該受信側装置が基地局であり、或いは、該送信側装置が基地局であり、該受信側装置が端末装置である。
【００１０】
第１の態様及びその上記実施形態に基づいて、第１の態様の別の実施形態において、該方法はさらに、該基地局が、該端末装置と該基地局との間のデータ信号伝送方式を指示するための指示情報を該端末装置に送信する。
【００１１】
第１の態様及びその上記実施形態に基づいて、第１の態様の別の実施形態において、該送信側装置が該基地局である場合、該基地局は、第１の基地局と、第２の基地局とを含み、該第１の基地局は、該第１のデータストリームにおけるデータ信号を送信し、該第２の基地局は、該第２のデータストリームにおけるデータ信号を送信する。
【００１２】
第２の態様によれば、第１の時点に、受信側装置が、送信側装置が第１の周波数を用いて第１のデータストリームを介して送信した第１のデータ信号、及び該第１の周波数を用いて第２のデータストリームを介して送信した第２のデータ信号を受信するステップと、該第１の時点後の第２の時点に、該受信側装置が、該送信側装置が該第１の周波数を用いて該第１のデータストリームを介して送信した、該第２のデータ信号の共役の反数に等しい第３のデータ信号、及び該第１の周波数を用いて該第２のデータストリームを介して送信した、該第１のデータ信号の共役に等しい第４のデータ信号を受信するステップと、該受信側装置が、該第１のデータストリーム及び該第２のデータストリームに基づいて、該第１のデータ信号及び該第２のデータ信号を決定するステップとを含み、或いは、
第１の時点に、受信側装置が、送信側装置が第１の周波数を用いて第１のデータストリームを介して送信した第１のデータ信号、及び該第１の周波数を用いて第２のデータストリームを介して送信した第２のデータ信号を受信するステップと、該第１の時点に、該受信側装置が、該送信側装置が第２の周波数を用いて該第１のデータストリームを介して送信した、該第２のデータ信号の共役の反数に等しい第３のデータ信号、及び該第２の周波数を用いて該第２のデータストリームを介して送信した、該第１のデータ信号の共役に等しい第４のデータ信号を受信するステップと、該第１のデータストリーム及び該第２のデータストリームに基づいて、該第１のデータ信号及び該第２のデータ信号を決定するステップとを含む、データ伝送方法を提供する。
【００１３】
従って、本願の実施例のデータ伝送方法では、異なる時点に、同じ周波数を用いて、第１のデータ信号及び第２のデータ信号を担持した第１のデータストリーム及び第２のデータストリームを伝送し、又は、同じ時点に、異なる周波数を用いて、第１のデータ信号及び第２のデータ信号を担持した第１のデータストリーム及び第２のデータストリームを伝送することで、データ伝送効率を向上できる。
【００１４】
第２の態様に基づいて、第２の態様の実施形態において、該第１のデータストリーム及び該第２のデータストリームは、同一の伝送ブロックにマッピングされる。
【００１５】
第２の態様及びその上記実施形態に基づいて、第２の態様の別の実施形態において、該受信側装置が基地局であり、該送信側装置が端末装置であり、或いは、該受信側装置が端末装置であり、該送信側装置が基地局である。
【００１６】
第２の態様及びその上記実施形態に基づいて、第２の態様の別の実施形態において、該方法はさらに、該端末装置が、該基地局が送信した、該端末装置と該基地局との間のデータ信号伝送方式を指示するための指示情報を受信するステップを含む。
【００１７】
第２の態様及びその上記実施形態に基づいて、第２の態様の別の実施形態において、該送信側装置が該基地局である場合、該基地局は、該第１のデータストリームにおけるデータ信号を送信する第１の基地局と、該第２のデータストリームにおけるデータ信号を送信する第２の基地局とを含む。
【００１８】
第３の態様によれば、送信側装置が、第１のデータ信号及び第２のデータ信号を含むデータ信号を伝送するための第１のデータストリームと第２のデータストリームとが伝送ブロックにマッピングされた第１の伝送ブロックセットを、少なくとも１つの受信側装置に送信するステップと、該第１の伝送ブロックセットにおける伝送ブロックの伝送にエラーが生じたとき、該送信側装置が、該第２のデータ信号の共役の反数に等しい第３のデータ信号を伝送するための第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを、該少なくとも１つの受信側装置に送信するステップとを含み、該第２の伝送ブロックセット及び該第１の伝送ブロックセットは、該少なくとも１つの受信側装置が該第１のデータ信号及び該第２のデータ信号を決定するのに用いられる、データ伝送方法を提供する。
【００１９】
従って、本願の実施例のデータ伝送方法では、送信側装置が、第１のＴＢセットにより第１のデータ信号及び第２のデータ信号を伝送し、第１のＴＢセットにおいてＴＢにエラーが生じたとき、第２のＴＢセットにおけるＴＢにより、第２のデータ信号の共役の反数を伝送する第３のデータストリーム及び第１のデータ信号の共役を伝送する第４のデータストリームを受信することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【００２０】
第３の態様によれば、第３の態様の実施形態において、該第１のデータストリームは、該第１のデータ信号を伝送し、該第２のデータストリームは、該第２のデータ信号を伝送する。
【００２１】
第３の態様及びその上記実施形態に基づいて、第３の態様の別の実施形態において、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【００２２】
第３の態様及びその上記実施形態に基づいて、第３の態様の別の実施形態において、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【００２３】
第３の態様及びその上記実施形態に基づいて、第３の態様の別の実施形態において、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【００２４】
第３の態様及びその上記実施形態に基づいて、第３の態様の別の実施形態において、該第１の伝送ブロックセットは、第１の伝送ブロックと、第２の伝送ブロックとを含み、該第１のデータストリームが該第１の伝送ブロックにマッピングされ、該第２のデータストリームが該第２の伝送ブロックにマッピングされ、該第２の伝送ブロックセットは、第３の伝送ブロックと、第４の伝送ブロックとを含み、該第３のデータストリームが該第３の伝送ブロックにマッピングされ、該第４のデータストリームが該第４の伝送ブロックにマッピングされる。
【００２５】
第３の態様及びその上記実施形態に基づいて、第３の態様の別の実施形態において、該送信側装置は、基地局であり、該少なくとも１つの受信側装置は、第１の端末装置と、第２の端末装置とを含み、送信側装置が、少なくとも１つの受信側装置に第１の伝送ブロックセットを送信するステップは、該基地局が、該第１の端末装置に該第１の伝送ブロックを送信し、該第２の端末装置に該第２の伝送ブロックを送信するステップを含み、該送信側装置が、該少なくとも１つの受信側装置に第２の伝送ブロックセットを送信するステップは、該基地局が該第１の端末装置に該第３の伝送ブロックを送信し、該第２の端末装置に該第４の伝送ブロックを送信するステップを含み、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【００２６】
第３の態様及びその上記実施形態に基づいて、第３の態様の別の実施形態において、該送信側装置が端末装置であり、該少なくとも１つの受信側装置が基地局であり、或いは、該送信側装置が基地局であり、該少なくとも１つの受信側装置が端末装置である。
【００２７】
第３の態様及びその上記実施形態に基づいて、第３の態様の別の実施形態において、該方法はさらに、該基地局が、該端末装置が伝送ブロックの伝送にエラーが生じたときに採用する再伝送方式を指示するための指示情報を該端末装置に送信するステップを含む。
【００２８】
第４の態様によれば、送信側装置と少なくとも１つの受信側装置とを備える通信システムに適用され、該少なくとも１つの受信側装置のうちのいずれか１つの受信側装置である第１の受信側装置が、該送信側装置が該少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信するステップと、該第１の伝送ブロックセットにおける伝送ブロックの伝送にエラーが生じたとき、該第１の受信側装置が、該送信側装置が該少なくとも１つの受信側装置に送信した、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを受信するステップとを含み、該第２の伝送ブロックセット及び該第１の伝送ブロックセットは、該少なくとも１つの受信側装置が該第１のデータ信号及び該第２のデータ信号を決定するのに用いられる、データ伝送方法を提供する。
【００２９】
従って、本願の実施例のデータ伝送方法では、受信側装置が、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【００３０】
第４の態様に基づいて、第４の態様の実施形態において、該第１のデータストリームは、該第１のデータ信号を伝送し、該第２のデータストリームは、該第２のデータ信号を伝送する。
【００３１】
第４の態様及びその上記実施形態に基づいて、第４の態様の別の実施形態において、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【００３２】
第４の態様及びその上記実施形態に基づいて、第４の態様の別の実施形態において、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【００３３】
第４の態様及びその上記実施形態に基づいて、第４の態様の別の実施形態において、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【００３４】
第４の態様及びその上記実施形態に基づいて、第４の態様の別の実施形態において、該第１の伝送ブロックセットは、第１の伝送ブロックと、第２の伝送ブロックとを含み、該第１のデータストリームが該第１の伝送ブロックにマッピングされ、該第２のデータストリームが該第２の伝送ブロックにマッピングされ、該第２の伝送ブロックセットは、第３の伝送ブロックと、第４の伝送ブロックとを含み、該第３のデータストリームが該第３の伝送ブロックにマッピングされ、該第４のデータストリームが該第４の伝送ブロックにマッピングされる。
【００３５】
第４の態様及びその上記実施形態に基づいて、第４の態様の別の実施形態において、該少なくとも１つの受信側装置は、該第１の端末装置と、第２の端末装置とを含み、該送信側装置は、基地局であり、該第１の受信側装置が、該送信側装置が該少なくとも１つの受信側装置に送信した第１の伝送ブロックセットを受信するステップは、該第１の端末装置が、該基地局が送信した該第１の伝送ブロックを受信し、該基地局が該第２の端末装置に該第２の伝送ブロックを送信するステップを含み、該第１の受信側装置が、該送信側装置が該少なくとも１つの受信側装置に送信した第２の伝送ブロックセットを受信するステップは、該第１の端末装置が、該基地局が送信した該第３の伝送ブロックを受信し、該基地局が該第２の端末装置に該第４の伝送ブロックを送信するステップを含み、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【００３６】
第４の態様及びその上記実施形態に基づいて、第４の態様の別の実施形態において、該第１の受信側装置が基地局であり、該送信側装置が端末装置であり、或いは、該第１の受信側装置が端末装置であり、該送信側装置が基地局である。
【００３７】
第４の態様及びその上記実施形態に基づいて、第４の態様の別の実施形態において、該方法はさらに、該端末装置が、該基地局が送信した、該端末装置が伝送ブロックの伝送にエラーが生じたときに採用する再伝送方式を指示するための指示情報を受信するステップを含む。
【００３８】
第５の態様によれば、上記第１の態様又は第１の態様のいずれか可能な実施形態における方法を実行するための送信側装置を提供する。具体的には、該送信側装置は、上記第１の態様又は第１の態様のいずれか可能な実施形態における方法を実行するためのユニットを含む。
【００３９】
第６の態様によれば、上記第２の態様又は第２の態様のいずれか可能な実施形態における方法を実行するための受信側装置を提供する。具体的には、該受信側装置は、上記第２の態様又は第２の態様のいずれか可能な実施形態における方法を実行するためのユニットを含む。
【００４０】
第７の態様によれば、上記第３の態様又は第３の態様のいずれか可能な実施形態における方法を実行するための送信側装置を提供する。具体的には、該送信側装置は、上記第３の態様又は第３の態様のいずれか可能な実施形態における方法を実行するためのユニットを含む。
【００４１】
第８の態様によれば、上記第４の態様又は第４の態様のいずれか可能な実施形態における方法を実行するための受信側装置を提供する。具体的には、該受信側装置は、上記第４の態様又は第４の態様のいずれか可能な実施形態における方法を実行するためのユニットを含む。
【００４２】
第９の態様によれば、コマンドを記憶するためのメモリと、該メモリに記憶されたコマンドを実行するためのプロセッサとを備え、且つ該プロセッサが該メモリに記憶されたコマンドを実行すると、該実行により該プロセッサに第１の態様又は第１の態様のいずれか可能な実施形態における方法を実行させる送信側装置を提供する。
【００４３】
第１０の態様によれば、コマンドを記憶するためのメモリと、該メモリに記憶されたコマンドを実行するためのプロセッサとを備え、且つ該プロセッサが該メモリに記憶されたコマンドを実行すると、該実行により該プロセッサに第２の態様又は第２の態様のいずれか可能な実施形態における方法を実行させる受信側装置を提供する。
【００４４】
第１１の態様によれば、コマンドを記憶するためのメモリと、該メモリに記憶されたコマンドを実行するためのプロセッサとを備え、且つ該プロセッサが該メモリに記憶されたコマンドを実行すると、該実行により該プロセッサに第３の態様又は第３の態様のいずれか可能な実施形態における方法を実行させる送信側装置を提供する。
【００４５】
第１２の態様によれば、コマンドを記憶するためのメモリと、該メモリに記憶されたコマンドを実行するためのプロセッサとを備え、且つ該プロセッサが該メモリに記憶されたコマンドを実行すると、該実行により該プロセッサに第４の態様又は第４の態様のいずれか可能な実施形態における方法を実行させる受信側装置を提供する。
【００４６】
第１３の態様によれば、第１の態様又は第１の態様のいずれか可能な実施形態における方法を実行するためのコマンドを含むコンピュータプログラムを記憶するためのコンピュータ可読媒体を提供する。
【００４７】
第１４の態様によれば、第２の態様又は第２の態様のいずれか可能な実施形態における方法を実行するためのコマンドを含むコンピュータプログラムを記憶するためのコンピュータ可読媒体を提供する。
【００４８】
第１５の態様によれば、第３の態様又は第３の態様のいずれか可能な実施形態における方法を実行するためのコマンドを含むコンピュータプログラムを記憶するためのコンピュータ可読媒体を提供する。
【００４９】
第１６の態様によれば、第４の態様又は第４の態様のいずれか可能な実施形態における方法を実行するためのコマンドを含むコンピュータプログラムを記憶するためのコンピュータ可読媒体を提供する。
【図面の簡単な説明】
【００５０】
本発明の実施例の技術案をより明確に説明するために、以下、本発明の実施例の説明に用いる図面を簡単に説明し、当然ながら、後述する図面は本発明の一部の実施例に過ぎず、当業者であれば、創造的な努力を行わなくても、これらの図面に基づいてほかの図面を得ることができる。
【図１】本発明の実施例によるデータ伝送方法の模式的なフローチャートである。
【図２】本発明の実施例によるデータ信号伝送用のデータストリームの模式図である。
【図３】本発明の別の実施例によるデータ伝送方法の模式的なフローチャートである。
【図４】本発明のさらなる実施例によるデータ伝送方法の模式的なフローチャートである。
【図５】本発明のさらなる実施例によるデータ伝送方法の模式的なフローチャートである。
【図６】本発明のさらなる実施例によるデータ伝送方法の模式的なフローチャートである。
【図７】本発明のさらなる実施例によるデータ伝送方法の模式的なフローチャートである。
【図８】本発明の実施例による送信側装置の模式的なブロック図である。
【図９】本発明の実施例による受信側装置の模式的なブロック図である。
【図１０】本発明の別の実施例による送信側装置の模式的なブロック図である。
【図１１】本発明の別の実施例による受信側装置の模式的なブロック図である。
【図１２】本発明のさらなる実施例による送信側装置の模式的なブロック図である。
【図１３】本発明のさらなる実施例による受信側装置の模式的なブロック図である。
【図１４】本発明のさらなる実施例による送信側装置の模式的なブロック図である。
【図１５】本発明のさらなる実施例による受信側装置の模式的なブロック図である。
【発明を実施するための形態】
【００５１】
以下、本発明の実施例における図面を参照しながら、本発明の実施例における技術案を明確且つ完全に説明するが、勿論、説明される実施例は本発明の実施例の一部に過ぎず、すべての実施例ではない。本発明における実施例に基づいて、当業者であれば、創造的な努力を行わなくても想到し得るすべてのそのほかの実施例は、本発明の保護範囲に属する。
【００５２】
なお、本発明の実施例の技術案は、たとえば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）システム、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、汎用パケット無線サービス（Ｇｅｎｅｒａｌ  Ｐａｃｋｅｔ  Ｒａｄｉｏ  Ｓｅｒｖｉｃｅ、略称「ＧＰＲＳ」）、ロングタームエボリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）、汎用移動通信システム（Ｕｎｉｖｅｒｓａｌ  Ｍｏｂｉｌｅ  Ｔｅｌｅｃｏｍｍｕｎｉｃａｔｉｏ５ｎＳｙｓｔｅｍ、略称「ＵＭＴＳ」）、又はマイクロ波通信の世界的相互運用（Ｗｏｒｌｄｗｉｄｅ  Ｉｎｔｅｒｏｐｅｒａｂｉｌｉｔｙｆｏｒ  Ｍｉｃｒｏｗａｖｅ  Ａｃｃｅｓｓ、略称「ＷｉＭＡＸ」）通信システムなどの各種通信システムに適用される。
【００５３】
本願の実施例の技術案は、端末装置と基地局との間の通信に適用されてもよく、端末装置ツー端末装置（Ｄｅｖｉｃｅ  ｔｏ  Ｄｅｖｉｃｅ、Ｄ２Ｄ）の通信に適用されてもよい。
【００５４】
本願の実施例では、基地局は、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡにおける基地局（ＮｏｄｅＢ）であってもよく、ＬＴＥにおける進化型基地局（ｅｖｏｌｖｅｄ  Ｎｏｄｅ  Ｂ、ｅＮＢ又はｅ−ＮｏｄｅＢ）であってもよく、５Ｇにおけるアクセスサービスを提供する装置であってもよく、本願の実施例では限定しない。
【００５５】
端末装置は、ユーザ装置（ＵＥ、Ｕｓｅｒ  Ｅｑｕｉｐｍｅｎｔ）、アクセス端末、ユーザユニット、ユーザ局、移動局、移動ステーション、遠隔局、遠隔端末、移動装置、ユーザ端末、端末、無線通信装置、ユーザエージェント又はユーザ装置などとも呼ばれる。端末装置は、ＷＬＡＮ（Ｗｉｒｅｌｅｓｓ  Ｌｏｃａｌ  Ａｒｅａ  Ｎｅｔｗｏｒｋｓ、無線ローカルエリアネットワーク）におけるＳＴＡ（ＳＴＡＩＯＮ、サイト）であってもよく、セルラーホン、コードレス電話、ＳＩＰ（Ｓｅｓｓｉｏｎ  Ｉｎｉｔｉａｔｉｏｎ  Ｐｒｏｔｏｃｏｌセッション開始プロトコル）電話、ＷＬＬ（Ｗｉｒｅｌｅｓｓ  Ｌｏｃａｌ  Ｌｏｏｐワイヤレスローカルループ）局、ＰＤＡ（Ｐｅｒｓｏｎａｌ  Ｄｉｇｉｔａｌ  Ａｓｓｉｓｔａｎｔ、パーソナルデジタルアシスタント）、無線通信機能を有するハンドヘルドデバイス、計算装置又は無線モデムに接続されたほかの処理装置、車載装置、ウェアラブル装置または将来の５Ｇネットワークにおける端末装置又は将来の進化ＰＬＭＮネットワークにおける端末装置などであってもよい。
【００５６】
図１は、本発明の実施例によるデータ伝送方法１００の模式的なフローチャートを示し、該方法１００は、受信側装置と送信側装置とを備える通信システムに適用され、該方法１００は、送信側装置によって実行され得、具体的には、該送信側装置は、上記基地局又は端末装置に適用でき、本発明の実施例ではそれについて制限しない。図１に示されるように、該方法１００は、
第１の時点に、送信側装置が、第１の周波数を用いて第１のデータストリームを介して受信側装置に第１のデータ信号を送信し、該第１の周波数を用いて第２のデータストリームを介して該受信側装置に第２のデータ信号を送信するステップＳ１１０と、
該第１の時点後の第２の時点に、該送信側装置が、該第１の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第１の周波数を用いて、該受信側装置が該第１のデータ信号及び該第２のデータ信号を決定するための該第２のデータストリームを介して、該受信側装置に該第１のデータ信号の共役に等しい第４のデータ信号を送信するステップＳ１２０とを含む。
【００５７】
本発明の実施例において、図２に示されるように、該行列では、１列目が第１の時点に送信したデータ信号に対応し、２列目が第２の時点に送信したデータ信号に対応し、第１の時点及び第２の時点には同じ周波数である第１の周波数が使用される。具体的には、第１の時点に、送信側装置が、第１の周波数を用いて第１のデータストリームを介して第１のデータ信号Ｓ１を送信し、第１の周波数を用いて第２のデータストリームを介して第２のデータ信号Ｓ２を送信し、第１の時点後の第２の時点に、送信側装置が、第１の周波数を用いて第１のデータストリームを介して第２のデータ信号の共役の反数である第３のデータ信号
2019537286.tif 000037
を送信し、第１の周波数を用いて第２のデータストリームを介して第１のデータ信号の共役である第４のデータ信号
2019537286.tif 000038
を送信し、受信側装置は、受信した２つの時点に送信したデータ信号に基づいて、第１のデータ信号及び第２のデータ信号を解析する。
【００５８】
一実施例において、図３は、本発明の別の実施例によるデータ伝送方法２００の模式的なフローチャートを示し、該方法２００は、受信側装置と送信側装置とを備える通信システムに適用され、該方法２００は、送信側装置によって実行され得、具体的には、該送信側装置は、基地局又は端末であり、本発明の実施例ではそれについて制限しない。図３に示されるように、該方法２００は、
第１の時点に、該送信側装置が、第１の周波数を用いて第１のデータストリームを介して該受信側装置に第１のデータ信号を送信し、該第１の周波数を用いて第２のデータストリームを介して該受信側装置に第２のデータ信号を送信するステップＳ２１０と、
該第１の時点に、該送信側装置が、第２の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第２の周波数を用いて、該受信側装置が該第１のデータ信号及び該第２のデータ信号を決定するための該第２のデータストリームを介して、該受信側装置に該第１のデータ信号の共役に等しい第４のデータ信号を送信するステップＳ２２０とを含む。
【００５９】
本発明の実施例において、図２に示されるように、該行列では、１列目が第１の時点に送信したデータ信号に対応し、２列目が第２の周波数に対応し、且つ１列目と２列目のデータ信号は同じ時点に送信され、すなわちいずれも第１の時点に送信される。具体的には、第１の時点に、送信側装置が、第１の周波数を用いて第１のデータストリームにおいて第１のデータ信号Ｓ１を送信し、第１の周波数を用いて第２のデータストリームにおいて第２のデータ信号Ｓ２を送信し、第２の周波数を用いて第１のデータストリームにおいて第３のデータ信号
2019537286.tif 000039
である第２のデータ信号Ｓ２の共役の反数を送信し、第２の周波数を用いて第２のデータストリームにおいて第４のデータ信号
2019537286.tif 000040
である第１のデータ信号Ｓ１の共役を送信し、受信側装置は、受信した同一時点に異なる周波数で送信したデータストリームに基づいて、データストリームにおける第１のデータ信号及び第２のデータ信号を解析する。
【００６０】
なお、上記方法１００及び方法２００では、時点ごとに、１つのシンボルのデータ信号Ｓ１又はＳ２が伝送され、このため、複数の時点又は周波数において、複数のシンボルのデータ信号が時間的に順次伝送されると、第１のデータストリーム及び第２のデータストリームが構成される。たとえば、いずれかの時点、すなわち第１の時点には、１つのシンボルのデータ信号である第１のデータ信号Ｓ１を伝送し、第１の時点の次の時点である第２の時点には、別のシンボルのデータ信号である第３のデータ信号
2019537286.tif 000041
を伝送し、このように所定期間において、連続した複数の時点が経過すると、第１のデータストリームが構成される。
【００６１】
なお、上記方法１００及び方法２００では、該第１のデータストリーム及び第２のデータストリームは、同じ伝送ブロックＴＢにマッピングされてもよく、又は異なるＴＢにマッピングされてもよく、本発明の実施例ではそれについて制限しない。たとえば、送信側装置がいずれかの基地局、受信側装置がいずれかの端末装置である場合、基地局から端末装置へ送信した第１のデータストリーム及び第２のデータストリームは同じ又は異なるＴＢにマッピングされ、対応する端末装置は該同じ又は異なるＴＢに基づいて第１のデータ信号及び第２のデータ信号を決定し、送信側装置が基地局であり、受信側装置がそれぞれ第１の端末装置と第２の端末装置の２つの端末装置を含む場合、第１のデータストリーム及び第２のデータストリームはそれぞれ２つの異なるＴＢにマッピングされ、すなわち第１のデータストリームは第１のＴＢにマッピングされ、第２のデータストリームは第２のＴＢにマッピングされ、基地局はそれぞれ第１の端末装置に第１のＴＢを送信し、第２の端末装置に第２のＴＢを送信し、それに対応して、第１の端末装置は第１のＴＢの第１のデータストリームに基づいて第１のデータ信号を決定し、第２の端末装置は第２のＴＢの第２のデータストリームに基づいて第２のデータ信号を決定する。
【００６２】
なお、上記方法１００及び方法２００は、アップリンクデータの伝送過程に用いられ得、すなわち送信側装置は端末装置であり、対応する受信側装置は基地局であり、又は、ダウンリンクデータの伝送過程に用いられ得、すなわち該送信側装置は基地局であり、対応する受信側装置は端末装置である。さらに、送信側装置及び受信側装置は１つ又は複数の装置であってもよく、たとえば、送信側装置は基地局であり、且つ第１の基地局と第２の基地局を含み、又は、受信側装置は端末装置であり、且つ端末装置は第１の端末装置と第２の端末装置を含む。
【００６３】
なお、上記方法１００及び方法２００では、送信側装置及び受信側装置は上記方法を用いてデータを伝送し、伝送するときに、指示情報により使用される伝送方式を指示できる。具体的には、アップリンクデータを伝送する過程でもダウンリンクデータを伝送する過程でも、基地局により端末装置に指示情報を送信することができ、該指示情報は物理層シグナリング、たとえばダウンリンク制御情報（Ｄｏｗｎｌｉｎｋ  Ｃｏｎｔｒｏｌ  Ｉｎｆｏｒｍａｔｉｏｎ、ＤＣＩ）であってもよく、該指示情報によって基地局と端末装置との間でデータを伝送するのに使用される伝送方式が指示され、該伝送方式は本発明の実施例の方法１００又は方法２００の空間ダイバーシチ方式であってもよく、又は、従来技術である空間分割多重化方法、すなわち第１のデータストリームを介して第１のデータ信号を伝送し、第２のデータストリームを介して第２のデータ信号を伝送する方法であってもよく、本発明の実施例ではそれについて制限しない。このように、基地局で端末装置のデータ伝送方式を指示することで、基地局及び端末装置は異なる伝送方式で柔軟に切り替えることができ、たとえば、チャネル条件に基づいて、対応する伝送方式を選択して、指示情報により柔軟に切り替える。
【００６４】
なお、上記方法１００及び方法２００では、送信側装置は基地局であり、且つ該基地局は第１の基地局と第２の基地局を含み、受信側装置はいずれかの端末装置である例において、データストリームはそれぞれ異なる基地局で端末装置に伝送でき、すなわち第１の基地局は端末装置に第１のデータストリームを送信し、第２の基地局は端末装置に第２のデータストリームを送信する。
【００６５】
具体的には、方法１００では、第１の時点に、第１の基地局は第１の周波数を用いて第１のデータストリームを介して第１のデータ信号Ｓ１を送信し、第２の基地局は第１の周波数を用いて第２のデータストリームを介して第２のデータ信号Ｓ２を送信し、第１の時点後の第２の時点に、第１の基地局は第１の周波数を用いて第１のデータストリームを介して第３のデータ信号
2019537286.tif 000042
である第２のデータ信号の共役の反数を送信し、第２の基地局は第１の周波数を用いて第２のデータストリームを介して第４のデータ信号
2019537286.tif 000043
である第１のデータ信号の共役を送信し、端末装置はそれぞれ２つの基地局から送信したデータストリームを受信し、且つ第１のデータストリームと第２のデータストリームに基づいて第１のデータ信号及び第２のデータ信号を決定する。
【００６６】
同様に、方法２００では、第１の時点に、第１の基地局は第１の周波数を用いて第１のデータストリームを介して第１のデータ信号Ｓ１を送信し、第２の基地局は第１の周波数を用いて第２のデータストリームを介して第２のデータ信号Ｓ２を送信し、第１の基地局はさらに第２の周波数を用いて第１のデータストリームを介して第３のデータ信号
2019537286.tif 000044
である第２のデータ信号Ｓ２の共役の反数を送信し、第２の基地局は第２の周波数を用いて第２のデータストリームにおいて第４のデータ信号
2019537286.tif 000045
である第１のデータ信号Ｓ１の共役を送信し、端末装置はそれぞれ２つの基地局から送信したデータストリームを受信し、且つ第１のデータストリーム及び第２のデータストリームに基づいて第１のデータ信号及び第２のデータ信号を決定する。
【００６７】
本発明の実施例において、上記のように異なる基地局で第１のデータストリーム及び第２のデータストリームを送信することは、隣接する基地局がマルチポイント協調（Ｃｏｏｒｄｉｎａｔｅｄ  Ｍｕｌｔｉｐｌｅ  Ｐｏｉｎｔｓ  Ｔｒａｎｓｍｉｓｓｉｏｎ／Ｒｅｃｅｐｔｉｏｎ、ＣｏＭＰ）を行う方式の１種であってもよい。２つの基地局でそれぞれ２つのデータストリームを伝送することで、セルエッジでのデータ伝送の信頼性を向上させる。
【００６８】
一実施例において、異なる基地局で第１のデータストリーム及び第２のデータストリームを送信することは、隣接する基地局がソフトハンドオーバ（ｓｏｆｔ  ｈａｎｄｏｖｅｒ）を実現する方式の１種であってもよい。従来のＬＴＥにおいて、端末装置は、切り替えるときに、まず元の基地局との接続を切断し、次にターゲット基地局と接続を確立しなければならない。それに対して、本発明の実施例における方法１００又は方法２００の方法を用いると、２つの基地局は同時に端末装置にデータを送信するとともに、空間ダイバーシチを実現できるため、切り替え過程におけるデータ伝送の信頼性を向上させる。
【００６９】
具体的には、柔軟な切り替え過程において、元の基地局及びターゲット基地局におけるサービス基地局が、端末装置が本発明の実施例による方法を用いてデータを伝送することを指示する指示情報を端末装置に送信する必要がある。端末がターゲットセルの範囲に切り替えたときにも、サービス基地局は本発明の実施例の方式の使用を終了するように端末装置を指示し、又は、ネットワークコラボレーション方式で、そのうちの１つのデータストリームをターゲット基地局に切り替える必要がある。たとえば、切り替える前に、第１の基地局は元の基地局として第１のデータストリームを伝送し、第２の基地局はターゲット基地局として第２のデータストリームを伝送し、端末装置がターゲットセルの範囲内、すなわち第２の基地局の範囲内まで移動すると、ネットワークコラボレーション方式で、第１のデータストリームを第２の基地局で伝送するように移行し、このように、端末装置はデータ伝送方式を切り替える必要がなくなり、且つ、第２の基地局に切り替えた後、第２の基地局は本発明の実施例における方法１００又は方法２００の伝送方式を用いて端末装置とデータ伝送を行い続けてもよく、従来技術におけるほかの方法を用いてデータ伝送を行ってもよく、本発明の実施例ではそれについて制限しない。
【００７０】
従って、本発明の実施例におけるデータ伝送方法では、異なる時点に、同じ周波数を用いて、第１のデータ信号及び第２のデータ信号を担持した第１のデータストリーム及び第２のデータストリームを伝送し、又は、同じ時点に、異なる周波数を用いて、第１のデータ信号及び第２のデータ信号を担持した第１のデータストリーム及び第２のデータストリームを伝送することで、データ伝送効率を向上できる。
【００７１】
以上、図１〜図３を参照しながら、送信側装置について本発明の実施例によるデータ伝送方法を詳細に説明したが、以下、図４〜図５を参照しながら、受信側装置について本発明の実施例によるデータ伝送方法を説明する。
【００７２】
図４は、本発明のさらなる実施例によるデータ伝送方法３００の模式的なフローチャートを示し、該方法３００は、受信側装置と送信側装置とを備える通信システムに適用され、該方法３００は受信側装置によって実行され得、具体的には、該受信側装置は基地局又は端末装置であってもよく、本発明の実施例ではそれについて制限しない。図４に示されるように、該方法３００は、
第１の時点に、受信側装置が、送信側装置が第１の周波数を用いて第１のデータストリームを介して送信した第１のデータ信号、及び該第１の周波数を用いて第２のデータストリームを介して送信した第２のデータ信号を受信するステップＳ３１０と、
該第１の時点後の第２の時点に、該受信側装置が、該送信側装置が該第１の周波数を用いて該第１のデータストリームを介して送信した、該第２のデータ信号の共役の反数に等しい第３のデータ信号、及び該第１の周波数を用いて該第２のデータストリームを介して送信した、該第１のデータ信号の共役に等しい第４のデータ信号を受信するステップＳ３２０と、
該受信側装置が、該第１のデータストリーム及び該第２のデータストリームに基づいて、該第１のデータ信号及び該第２のデータ信号を決定するステップＳ３３０とを含む。
【００７３】
なお、該方法３００は、本発明の実施例における方法１００に対応し、方法３００は対応して方法１００における受信側装置のステップを実行できるため、ここで詳細な説明を省略する。
【００７４】
図５は、本発明のさらなる実施例によるデータ伝送方法４００の模式的なフローチャートを示し、該方法４００は、受信側装置と送信側装置とを備える通信システムに適用され、該方法４００は受信側装置によって実行され得、具体的には、該受信側装置は基地局又は端末装置であってもよく、本発明の実施例ではそれについて制限しない。図５に示されるように、該方法４００は、
第１の時点に、受信側装置が、送信側装置が第１の周波数を用いて第１のデータストリームを介して送信した第１のデータ信号、及び該第１の周波数を用いて第２のデータストリームを介して送信した第２のデータ信号を受信するステップＳ４１０と、
該第１の時点に、該受信側装置が、該送信側装置が第２の周波数を用いて該第１のデータストリームを介して送信した、該第２のデータ信号の共役の反数に等しい第３のデータ信号、及び該第２の周波数を用いて該第２のデータストリームを介して送信した、該第１のデータ信号の共役に等しい第４のデータ信号を受信するステップＳ４２０と、
該受信側装置が、該第１のデータストリーム及び該第２のデータストリームに基づいて、該第１のデータ信号及び該第２のデータ信号を決定するステップＳ４３０とを含む。
【００７５】
なお、該方法４００は本発明の実施例における方法２００に対応し、方法４００は対応して方法２００における受信側装置のステップを実行でき、ここで詳細な説明を省略する。
【００７６】
一実施例において、上記方法３００及び方法４００では、該第１のデータストリーム及び該第２のデータストリームは、同一のＴＢにマッピングされる。
【００７７】
一実施例において、上記方法３００及び方法４００では、該受信側装置が基地局であり、該送信側装置が端末装置であり、或いは、該受信側装置が端末装置であり、該送信側装置が基地局である。
【００７８】
一実施例において、上記方法３００及び方法４００では、該方法はさらに、該端末装置が、該基地局が送信した、該端末装置と該基地局との間のデータ信号伝送方式を指示するための指示情報を受信するステップを含む。
【００７９】
一実施例において、上記方法３００及び方法４００では、該送信側装置が該基地局である場合、該基地局は、該第１のデータストリームにおけるデータ信号を送信する第１の基地局と、該第２のデータストリームにおけるデータ信号を送信する第２の基地局とを含む。
【００８０】
従って、本発明の実施例のデータ伝送方法は、異なる時点に、同じ周波数を用いて、第１のデータ信号及び第２のデータ信号を担持した第１のデータストリーム及び第２のデータストリームを伝送し、又は、同じ時点に、異なる周波数を用いて、第１のデータ信号及び第２のデータ信号を担持した第１のデータストリーム及び第２のデータストリームを伝送することで、データ伝送効率を向上できる。
【００８１】
図６は、本発明のさらなる実施例によるデータ伝送方法５００の模式的なフローチャートを示し、該方法５００は、送信側装置と少なくとも１つの受信側装置とを備える通信システムに適用され、該方法５００は送信側装置によって実行され得、具体的には、該送信側装置は基地局又は端末装置であってもよく、本発明の実施例ではそれについて制限しない。図６に示されるように、該方法５００は、
送信側装置が、第１のデータ信号及び第２のデータ信号を含むデータ信号を伝送するための第１のデータストリームと第２のデータストリームとが伝送ブロックにマッピングされた第１の伝送ブロックセットを、少なくとも１つの受信側装置に送信するステップＳ５１０と、
該受信側装置により該第１の伝送ブロックセットにおける伝送ブロックの伝送にエラーが生じたと決定したとき、該送信側装置が、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを、該受信側装置に送信し、該第２の伝送ブロックセット及び該第１の伝送ブロックセットは、該少なくとも１つの受信側装置が該第１のデータ信号及び該第２のデータ信号を決定するのに用いられるステップＳ５２０とを含む。
【００８２】
一実施例において、該送信側装置は、従来技術における伝送方式を用いて第１のＴＢセットを伝送し、すなわち該第１のデータ信号及び第２のデータ信号を伝送することができ、たとえば、送信側装置は、第１のデータストリームを介して第１のデータ信号を伝送し、第２のデータストリームを介して第２のデータ信号を伝送し、すなわち送信側装置は、空間分割多重化方式を用いてデータ信号を伝送し、それに対応して、該少なくとも１つの受信側装置は、受信した第１のデータストリーム及び第２のデータストリームがマッピングした第１のＴＢセットに基づいて、第１のデータ信号及び第２のデータ信号を解析する。
【００８３】
一実施例において、送信側装置は、従来技術における伝送方式を用いて第１のＴＢセットを伝送するのではなく、本発明の実施例における方法１００又は方法２００に記載の伝送方式を用いて該第１のＴＢセットを伝送し、すなわち該第１のデータ信号及び第２のデータ信号を伝送してもよい。具体的には、第１の時点に、送信側装置が、第１の周波数を用いて第１のデータストリームを介して第１のデータ信号Ｓ１を送信し、第１の周波数を用いて第２のデータストリームを介して第２のデータ信号Ｓ２を送信し、第１の時点後の第２の時点に、送信側装置が、第１の周波数を用いて第１のデータストリームを介して第３のデータ信号
2019537286.tif 000046
である第２のデータ信号の共役の反数を送信し、第１の周波数を用いて第２のデータストリームを介して第４のデータ信号
2019537286.tif 000047
である第１のデータ信号の共役を送信し、少なくとも１つの受信側装置は、受信した２つの時点に送信したデータ信号に基づいて、第１のデータ信号及び第２のデータ信号を解析する。又は、第１の時点に、送信側装置が、第１の周波数を用いて第１のデータストリームにおいて第１のデータ信号Ｓ１を送信し、第１の周波数を用いて第２のデータストリームにおいて第２のデータ信号Ｓ２を送信し、第２の周波数を用いて第１のデータストリームにおいて第３のデータ信号
2019537286.tif 000048
である第２のデータ信号Ｓ２の共役の反数を送信し、第２の周波数を用いて第２のデータストリームにおいて第４のデータ信号
2019537286.tif 000049
である第１のデータ信号Ｓ１の共役を送信し、少なくとも１つの受信側装置は、受信した同じ時点に異なる周波数で送信したデータストリームに基づいて、データストリームにおける第１のデータ信号及び第２のデータ信号を解析する。
【００８４】
なお、送信側装置は、少なくとも１つの受信側装置に１つ又は複数のＴＢを含む第１のＴＢセットを送信し、それに対応して、第２のＴＢセットも１つ又は複数のＴＢを含んでもよい。一実施例において、第１のＴＢセットに第１のＴＢである１つだけのＴＢを含む場合、第１のデータストリーム及び第２のデータストリームは第１のＴＢにマッピングされ、それに対応して、第２のＴＢセットに第２のＴＢだけを含む場合、第３のデータストリーム及び第４のデータストリームは第２のＴＢにマッピングされ、このような場合、少なくとも１つの受信側装置は１つの受信側装置を含む。たとえば、ダウンリンクデータを伝送する場合、該送信側装置が基地局であり、該受信側装置が端末装置であり、或いは、アップリンクデータを伝送する場合、該送信側装置が端末装置であり、該受信側装置が基地局である。
【００８５】
具体的には、送信側装置は、第１のデータストリームと第２のデータストリームとがマッピングされた第１のＴＢを受信側装置に送信し、受信側装置による該第１のＴＢの受信にエラーが生じたとき、データ信号を再伝送する必要があり、図２に示される２列目のように、送信側装置は第３のデータストリームを介して第２のデータ信号Ｓ２の共役の反数
2019537286.tif 000050
に等しい第３のデータ信号を伝送し、第４のデータストリームを介して第１のデータ信号Ｓ１の共役
2019537286.tif 000051
に等しい第４のデータ信号を伝送し、第３のデータストリーム及び第４のデータストリームはいずれも第２のＴＢセットにおける第２のＴＢにマッピングされる。それに対応して、受信側装置は、エラーが生じた第１のＴＢ、及び再伝送後に受信した第２のＴＢに基づいて、第１のデータ信号及び第２のデータ信号を解析する。
【００８６】
なお、アップリンクデータを伝送する場合にもダウンリンクデータを伝送する場合にも、ＴＢにエラーが生じて再伝送する必要がある場合、基地局は、端末装置及び基地局が本発明の実施例における方法を用いてデータ信号を再伝送することを指示するための指示情報を端末装置に送信する。
【００８７】
一実施例において、第１のＴＢセットに複数のＴＢを含む場合について、第１のＴＢセットに第１のＴＢと第２のＴＢを含む例では、それに対応して第２のＴＢセットは第３のＴＢと第４のＴＢを含む場合、該少なくとも１つの受信側装置は１つ又は２つの受信側装置であってもよい。少なくとも１つの受信側装置が１つの受信側装置である例において、送信側装置は受信側装置に第１のデータストリーム及び第２のデータストリームを送信し、該第１のデータストリーム及び第２のデータストリームは異なるＴＢにマッピングされ、すなわち第１のデータストリームは第１のＴＢにマッピングされ、第２のデータストリームは第２のＴＢにマッピングされる。たとえば、ダウンリンクデータを伝送する場合、該送信側装置が基地局であり、該受信側装置が端末装置であり、或いは、アップリンクデータを伝送する場合、該送信側装置が端末装置であり、該受信側装置が基地局である。
【００８８】
第１のＴＢ又は第２のＴＢにエラーが生じたか、又は第１のＴＢと第２のＴＢの両方にエラーが生じたとき、送信側装置は、受信側装置にデータ信号を再送信する必要があり、対応する図２に示されるように、送信側装置は、第３のデータストリームを介して第２のデータ信号Ｓ２の共役の反数
2019537286.tif 000052
に等しい第３のデータ信号を伝送し、第４のデータストリームを介して第１のデータ信号Ｓ１の共役
2019537286.tif 000053
に等しい第４のデータ信号を伝送し、第３のデータストリームは第２のＴＢセットにおける第３のＴＢにマッピングされ、第４のデータストリームは第２のＴＢセットにおける第４のＴＢにマッピングされる。それに対応して、受信側装置が第１のＴＢセット及び第２のＴＢセットにマッピングされたデータストリームにおけるデータ信号に基づいて、解析して第１のデータ信号及び第２のデータ信号を取得する。
【００８９】
なお、アップリンクデータを伝送する場合にもダウンリンクデータを伝送する場合にも、ＴＢにエラーが生じて再伝送する必要があるとき、基地局は、端末装置及び基地局が本発明の実施例における方法を用いてデータ信号を再伝送することを指示するための指示情報を端末装置に送信する。
【００９０】
一実施例において、第１のＴＢセットに第１のＴＢと第２のＴＢを含み、それに対応して、第２のＴＢセットに第３のＴＢと第４のＴＢを含む。このような場合、少なくとも１つの受信側装置は２つの受信側装置を含んでもよく、たとえば、送信側装置は基地局であり、受信側装置は第１の端末装置と第２の端末装置を含み、すなわち１つの基地局は２つの端末装置にデータ信号を送信する。
【００９１】
具体的には、基地局は、第１の端末装置に第１のＴＢを送信し、第２の端末装置に第２のＴＢを送信し、第１のＴＢに第１のデータストリームがマッピングされ、第２のＴＢに第２のデータストリームがマッピングされ、第１のデータストリーム及び第２のデータストリームはデータ信号を伝送するのに用いられ、たとえば、第１の端末が第１のデータ信号を取得し、第２の端末が第２のデータ信号を取得するように、第１のデータストリームを介して第１のデータ信号を送信し、第２のデータストリームを介して第２のデータ信号を送信する。
【００９２】
第１のＴＢセットにおける２つのＴＢのうちのいずれかのＴＢにエラーが生じ、又は２つのＴＢともにエラーが生じたとき、基地局は、２つの端末装置にデータ信号を再送信する必要がある。具体的には、再伝送過程において、基地局は第１の端末装置に第３のＴＢを送信し、該第３のＴＢには、第２のデータ信号Ｓ２の共役の反数
2019537286.tif 000054
に等しい第３のデータ信号を第１の端末に伝送するための第３のデータストリームがマッピングされており、それに対応して、該基地局は第２の端末に第４のＴＢを送信し、該第４のＴＢには、第１のデータ信号Ｓ１の共役
2019537286.tif 000055
に等しい第４のデータ信号を第２の端末に伝送するための第４のデータストリームがマッピングされている。このとき、第１の端末装置は、第１のＴＢ及び第３のＴＢに基づいて、第１のデータ信号を取得し、第２の端末装置は、第２のＴＢ及び第４のＴＢに基づいて、第２のデータ信号を取得する。
【００９３】
なお、基地局が２つの端末装置に送信したＴＢにエラーが生じて再伝送する必要がある場合、基地局は、２つの端末装置及び基地局が本発明の実施例における方法を用いてデータ信号を再伝送することを指示するための指示情報を２つの端末装置のそれぞれに送信する。
【００９４】
従って、本発明の実施例のデータ伝送方法では、送信側装置が、第１のＴＢセットにより第１のデータ信号及び第２のデータ信号を伝送し、第１のＴＢセットにおいてＴＢにエラーが生じたとき、第２のＴＢセットにおけるＴＢにより、第２のデータ信号の共役の反数を伝送する第３のデータストリーム及び第１のデータ信号の共役を伝送する第４のデータストリームを伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【００９５】
図７は、本発明のさらなる実施例によるデータ伝送方法６００の模式的なフローチャートを示し、該方法６００は、送信側装置と少なくとも１つの受信側装置とを備える通信システムに適用され、該方法６００は、該少なくとも１つの受信側装置のうちのいずれか１つの受信側装置によって実行され得、具体的には、該受信側装置は基地局又は端末装置であってもよく、本発明の実施例ではそれについて制限しない。図７に示されるように、該方法６００は、
該少なくとも１つの受信側装置のうちのいずれか１つの受信側装置である第１の受信側装置が、該送信側装置が該少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信するステップＳ６１０と、
該第１の伝送ブロックセットにおける伝送ブロックの伝送にエラーが生じたとき、該第１の受信側装置が、該送信側装置が該少なくとも１つの受信側装置に送信した、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを受信し、該第２の伝送ブロックセット及び該第１の伝送ブロックセットは、該少なくとも１つの受信側装置が該第１のデータ信号及び該第２のデータ信号を決定するのに用いられるステップＳ６２０とを含む。
【００９６】
一実施例において、該第１のデータストリームは、該第１のデータ信号を伝送し、該第２のデータストリームは、該第２のデータ信号を伝送する。
【００９７】
一実施例において、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【００９８】
一実施例において、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【００９９】
一実施例において、該第１のＴＢセットは、第１のＴＢを含み、該第１のデータストリーム及び該第２のデータストリームがいずれも該第１のＴＢにマッピングされ、該第２のＴＢセットは、第２のＴＢを含み、該第３のデータストリーム及び該第４のデータストリームがいずれも該第２のＴＢにマッピングされる。
【０１００】
一実施例において、該第１のＴＢセットは、第１のＴＢと第２のＴＢを含み、該第１のデータストリームが該第１のＴＢにマッピングされ、該第２のデータストリームが該第２のＴＢにマッピングされ、該第２のＴＢセットは、第３のＴＢと第４のＴＢを含み、該第３のデータストリームが該第３のＴＢにマッピングされ、該第４のデータストリームが該第４のＴＢにマッピングされる。
【０１０１】
一実施例において、該少なくとも１つの受信側装置は該第１の端末装置と第２の端末装置を含み、該送信側装置は基地局であり、該第１の受信側装置が、該送信側装置が該少なくとも１つの受信側装置に送信した第１のＴＢセットを受信するステップは、該第１の端末装置が、該基地局が送信した該第１のＴＢを受信し、該基地局が該第２の端末装置に該第２のＴＢを送信するステップを含み、該第１の受信側装置が、該送信側装置が該少なくとも１つの受信側装置に送信した第２のＴＢセットを受信するステップは、該第１の端末装置が、該基地局が送信した該第３のＴＢを受信し、該基地局が該第２の端末装置に該第４のＴＢを送信するステップを含み、該第１のＴＢ及び該第３のＴＢは該第１の端末装置が該第１のデータ信号を決定するのに用いられ、該第２のＴＢ及び該第４のＴＢは該第２の端末装置が該第２のデータ信号を決定するのに用いられる。
【０１０２】
一実施例において、該第１の受信側装置が基地局であり、該送信側装置が端末装置であり、或いは、該第１の受信側装置が端末装置であり、該送信側装置が基地局である。
【０１０３】
一実施例において、該方法はさらに、該端末装置が、該基地局が送信した、該端末装置がＴＢ伝送にエラーが生じたときに採用する再伝送方式を指示するための指示情報を受信するステップを含む。
【０１０４】
なお、該方法６００は本発明の実施例における方法５００に対応し、方法６００は方法５００における受信側装置のステップを実行できるため、ここで詳細な説明を省略する。
【０１０５】
従って、本発明の実施例のデータ伝送方法では、受信側装置が、送信側装置が第１のＴＢセットにより伝送した第１のデータ信号及び第２のデータ信号を受信し、第１のＴＢセットにおいてＴＢにエラーが生じたとき、再び第２のＴＢセットにおけるＴＢにより第３のデータストリーム及び第４のデータストリームを受信し、第３のデータストリームが第２のデータ信号の共役の反数を伝送し、第４のデータストリームが第１のデータ信号の共役を伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１０６】
なお、本発明の各種実施例において、上記各過程の番号は実行順番を示すものではなく、各過程の実行順番はその機能及び論理に応じて決定されるものであり、本発明の実施例の実施過程を何ら限定するものではない。
【０１０７】
以上、図１〜図７を参照しながら、本発明の実施例によるデータ伝送方法を詳細に説明したが、以下、図８〜図１５を参照しながら、本発明の実施例によるデータ伝送装置を説明する。
【０１０８】
図８に示されるように、本発明の実施例による送信側装置７００は、
第１の時点に、第１の周波数を用いて第１のデータストリームを介して受信側装置に第１のデータ信号を送信し、該第１の周波数を用いて第２のデータストリームを介して該受信側装置に第２のデータ信号を送信し、
さらに、該第１の時点後の第２の時点に、該第１の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第１の周波数を用いて、該受信側装置が該第１のデータ信号及び該第２のデータ信号を決定するための該第２のデータストリームを介して、該受信側装置に該第１のデータ信号の共役に等しい第４のデータ信号を送信するための送信モジュール７１０を備え、
或いは、
第１の時点に、第１の周波数を用いて第１のデータストリームを介して該受信側装置に第１のデータ信号を送信し、該第１の周波数を用いて第２のデータストリームを介して該受信側装置に第２のデータ信号を送信し、
さらに、該第１の時点に、第２の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第２の周波数を用いて、該受信側装置が該第１のデータ信号及び該第２のデータ信号を決定するための該第２のデータストリームを介して、該受信側装置に該第１のデータ信号の共役に等しい第４のデータ信号を送信するための送信モジュール７１０を備える。
【０１０９】
従って、本発明の実施例の送信側装置は、異なる時点に、同じ周波数を用いて、受信側装置に第１のデータ信号及び第２のデータ信号を担持した第１のデータストリーム及び第２のデータストリームを送信し、又は、同じ時点に、異なる周波数を用いて、受信側装置に第１のデータ信号及び第２のデータ信号を担持した第１のデータストリーム及び第２のデータストリームを送信することで、データ伝送効率を向上できる。
【０１１０】
一実施例において、該第１のデータストリーム及び該第２のデータストリームは、同一の伝送ブロックにマッピングされる。
【０１１１】
一実施例において、該送信側装置が端末装置であり、該受信側装置が基地局であり、或いは、該送信側装置が基地局であり、該受信側装置が端末装置である。
【０１１２】
一実施例において、該基地局は、該端末装置に、該端末装置と該基地局との間のデータ信号伝送方式を指示するための指示情報を送信する。
【０１１３】
一実施例において、該送信側装置が該基地局である場合、該基地局は、第１の送信ユニットを含む第１の基地局と、第２の送信ユニットを含む第２の基地局とを含み、該送信モジュール７１０は、該第１のデータストリームにおけるデータ信号を送信する該第１の送信ユニットと、該第２のデータストリームにおけるデータ信号を送信する該第２の送信ユニットとを含む。
【０１１４】
なお、本発明の実施例による送信側装置７００は、本発明の実施例における方法１００及び方法２００を実行してもよく、且つ送信側装置７００における各モジュールの上記及びほかの操作及び／又は機能はそれぞれ図１と図３中の各方法における送信側装置の対応プロセスを実現するためのものであるから、簡素化させるために、ここで詳細な説明を省略する。
【０１１５】
従って、本発明の実施例の送信側装置は、異なる時点に、同じ周波数を用いて、受信側装置に第１のデータ信号及び第２のデータ信号を担持した第１のデータストリーム及び第２のデータストリームを送信し、又は、同じ時点に、異なる周波数を用いて、受信側装置に第１のデータ信号及び第２のデータ信号を担持した第１のデータストリーム及び第２のデータストリームを送信することで、データ伝送効率を向上できる。
【０１１６】
図９に示されるように、本発明の実施例による受信側装置８００は、
第１の時点に、送信側装置が第１の周波数を用いて第１のデータストリームを介して送信した第１のデータ信号、及び該第１の周波数を用いて第２のデータストリームを介して送信した第２のデータ信号を受信し、
さらに、該第１の時点後の第２の時点に、該送信側装置が該第１の周波数を用いて該第１のデータストリームを介して送信した、該第２のデータ信号の共役の反数に等しい第３のデータ信号、及び該第１の周波数を用いて該第２のデータストリームを介して送信した、該第１のデータ信号の共役に等しい第４のデータ信号を受信するための受信モジュール８１０と、
該第１のデータストリーム及び該第２のデータストリームに基づいて、該第１のデータ信号及び該第２のデータ信号を決定するための決定モジュール８２０とを備え、
或いは、
第１の時点に、該送信側装置が第１の周波数を用いて第１のデータストリームを介して送信した第１のデータ信号、及び該第１の周波数を用いて第２のデータストリームを介して送信した第２のデータ信号を受信し、
さらに、該第１の時点に、該送信側装置が第２の周波数を用いて該第１のデータストリームを介して送信した、該第２のデータ信号の共役の反数に等しい第３のデータ信号、及び該第２の周波数を用いて該第２のデータストリームを介して送信した、該第１のデータ信号の共役に等しい第４のデータ信号を受信するための受信モジュール８１０と、
該第１のデータストリーム及び該第２のデータストリームに基づいて、該第１のデータ信号及び該第２のデータ信号を決定するための決定モジュール８２０とを備える。
【０１１７】
従って、本発明の実施例の受信側装置は、送信側装置が異なる時点に同じ周波数を用いて送信した、第１のデータ信号及び第２のデータ信号を担持した第１のデータストリーム及び第２のデータストリーム、又は、同じ時点に異なる周波数を用いて送信した、第１のデータ信号及び第２のデータ信号を担持した第１のデータストリーム及び第２のデータストリームを受信することで、データ伝送効率を向上できる。
【０１１８】
一実施例において、該第１のデータストリーム及び該第２のデータストリームは、同一の伝送ブロックにマッピングされる。
【０１１９】
一実施例において、該受信側装置が基地局であり、該送信側装置が端末装置であり、或いは、該受信側装置が端末装置であり、該送信側装置が基地局である。
【０１２０】
一実施例において、該端末装置は、該基地局が送信した、該端末装置と該基地局との間のデータ信号伝送方式を指示するための指示情報を受信する。
【０１２１】
一実施例において、該送信側装置が該基地局である場合、該基地局は、該第１のデータストリームにおけるデータ信号を送信する第１の基地局と、該第２のデータストリームにおけるデータ信号を送信する第２の基地局とを含む。
【０１２２】
なお、本発明の実施例による受信側装置８００は、本発明の実施例における方法３００と方法４００を実行してもよく、且つ受信側装置８００における各モジュールの上記及びほかの操作及び／又は機能はそれぞれ図４〜図５中の各方法における受信側装置の対応プロセスを実現するためのものであるから、簡素化させるために、ここで詳細な説明を省略する。
【０１２３】
従って、本発明の実施例の受信側装置は、送信側装置が異なる時点に同じ周波数を用いて送信した、第１のデータ信号及び第２のデータ信号を担持した第１のデータストリーム及び第２のデータストリーム、又は、同じ時点に異なる周波数を用いて送信した、第１のデータ信号及び第２のデータ信号を担持した第１のデータストリーム及び第２のデータストリームを受信することで、データ伝送効率を向上できる。
【０１２４】
図１０に示されるように、本発明の別の実施例による送信側装置９００は、
少なくとも１つの受信側装置に、第１のデータ信号及び第２のデータ信号を含むデータ信号を伝送するための第１のデータストリームと第２のデータストリームとが伝送ブロックにマッピングされた第１の伝送ブロックセットを送信するための第１の送信モジュール９１０と、
該第１の伝送ブロックセットにおける伝送ブロックの伝送にエラーが生じたとき、該少なくとも１つの受信側装置に、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを送信するための第２の送信モジュール９２０とを備え、該第２の伝送ブロックセット及び該第１の伝送ブロックセットは、該少なくとも１つの受信側装置が該第１のデータ信号及び該第２のデータ信号を決定するのに用いられる。
【０１２５】
従って、本発明の実施例の送信側装置は、第１のＴＢセットにより第１のデータ信号及び第２のデータ信号を伝送し、第１のＴＢセットにおいてＴＢにエラーが生じたとき、第２のＴＢセットにおけるＴＢにより第３のデータストリーム及び第４のデータストリームを伝送し、第３のデータストリームが第２のデータ信号の共役の反数を伝送し、第４のデータストリームが第１のデータ信号の共役を伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１２６】
一実施例において、該第１のデータストリームは、該第１のデータ信号を伝送し、該第２のデータストリームは、該第２のデータ信号を伝送する。
【０１２７】
一実施例において、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【０１２８】
一実施例において、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【０１２９】
一実施例において、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【０１３０】
一実施例において、該第１の伝送ブロックセットは、第１の伝送ブロックと第２の伝送ブロックを含み、該第１のデータストリームが該第１の伝送ブロックにマッピングされ、該第２のデータストリームが該第２の伝送ブロックにマッピングされ、該第２の伝送ブロックセットは、第３の伝送ブロックと第４の伝送ブロックを含み、該第３のデータストリームが該第３の伝送ブロックにマッピングされ、該第４のデータストリームが該第４の伝送ブロックにマッピングされる。
【０１３１】
一実施例において、該送信側装置は基地局であり、該少なくとも１つの受信側装置は第１の端末装置と第２の端末装置を含み、該第１の送信モジュール９１０は具体的には、該第１の端末装置に該第１の伝送ブロックを送信し、該第２の端末装置に該第２の伝送ブロックを送信し、該第２の送信モジュール９２０は具体的には、該第１の端末装置に該第３の伝送ブロックを送信し、該第２の端末装置に該第４の伝送ブロックを送信し、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【０１３２】
一実施例において、該送信側装置が端末装置であり、該少なくとも１つの受信側装置が基地局であり、或いは、該送信側装置が基地局であり、該少なくとも１つの受信側装置が端末装置である。
【０１３３】
一実施例において、該基地局は、該端末装置が伝送ブロックの伝送にエラーが生じたときに採用する再伝送方式を指示するための指示情報を該端末装置に送信する。
【０１３４】
なお、本発明の実施例による送信側装置９００は、本発明の実施例における方法５００を実行してもよく、且つ送信側装置９００における各モジュールの上記及びほかの操作及び／又は機能はそれぞれ図６中の各方法における送信側装置の対応プロセスを実現するためのものであるから、簡素化させるために、ここで詳細な説明を省略する。
【０１３５】
従って、本発明の実施例の送信側装置は、第１のＴＢセットにより第１のデータ信号及び第２のデータ信号を伝送し、第１のＴＢセットにおいてＴＢにエラーが生じたとき、第２のＴＢセットにおけるＴＢにより第３のデータストリーム及び第４のデータストリームを伝送し、第３のデータストリームが第２のデータ信号の共役の反数を伝送し、第４のデータストリームが第１のデータ信号の共役を伝送することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１３６】
図１１は、本発明の別の実施例による受信側装置１０００の模式的なブロック図を示し、該受信側装置１０００は、送信側装置と少なくとも１つの受信側装置とを備える通信システムに位置し、該受信側装置１０００は、該少なくとも１つの受信側装置のうちのいずれか１つの受信側装置であり、図１１に示されるように、該受信側装置１０００は、
該送信側装置が該少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信するための第１の受信モジュール１０１０と、
該第１の伝送ブロックセットにおける伝送ブロックの伝送にエラーが生じたとき、該送信側装置が該少なくとも１つの受信側装置に送信した、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを受信するための第２の受信モジュール１０２０とを備え、該第２の伝送ブロックセット及び該第１の伝送ブロックセットは、該少なくとも１つの受信側装置が該第１のデータ信号及び該第２のデータ信号を決定するのに用いられる。
【０１３７】
従って、本発明の実施例の受信側装置は、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより、第３のデータストリーム及び第４のデータストリームを受信し、第３のデータストリームが第２のデータ信号の共役の反数を伝送し、第４のデータストリームが第１のデータ信号の共役を伝送することによって、受信側装置が第１のＴＢセットと第２のＴＢセットに基づいて、第１のデータ信号と第２のデータ信号を取得することで、データ伝送にエラーが生じたとき、上記再伝送方式でデータ伝送効率をさらに向上させる。
【０１３８】
一実施例において、該第１のデータストリームは、該第１のデータ信号を伝送し、該第２のデータストリームは、該第２のデータ信号を伝送する。
【０１３９】
一実施例において、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【０１４０】
一実施例において、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【０１４１】
一実施例において、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【０１４２】
一実施例において、該第１の伝送ブロックセットは、第１の伝送ブロックと第２の伝送ブロックを含み、該第１のデータストリームが該第１の伝送ブロックにマッピングされ、該第２のデータストリームが該第２の伝送ブロックにマッピングされ、該第２の伝送ブロックセットは、第３の伝送ブロックと第４の伝送ブロックを含み、該第３のデータストリームが該第３の伝送ブロックにマッピングされ、該第４のデータストリームが該第４の伝送ブロックにマッピングされる。
【０１４３】
一実施例において、該少なくとも１つの受信側装置は該第１の端末装置と第２の端末装置を含み、該送信側装置は基地局であり、該第１の受信モジュール１０１０は具体的には、該基地局が送信した該第１の伝送ブロックを受信し、該基地局が該第２の端末装置に該第２の伝送ブロックを送信し、該第２の受信モジュール１０２０は、具体的には、該基地局が送信した該第３の伝送ブロックを受信し、該基地局が該第２の端末装置に該第４の伝送ブロックを送信し、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【０１４４】
一実施例において、該受信側装置が基地局であり、該送信側装置が端末装置であり、或いは、該受信側装置が端末装置であり、該送信側装置が基地局である。
【０１４５】
一実施例において、該端末装置は、該基地局が送信した、該端末装置が伝送ブロックの伝送にエラーが生じたときに採用する再伝送方式を指示するための指示情報を受信する。
【０１４６】
なお、本発明の実施例による受信側装置１０００は、本発明の実施例における方法６００を実行してもよく、且つ受信側装置１０００における各モジュールの上記及びほかの操作及び／又は機能はそれぞれ図７中の各方法における受信側装置の対応プロセスを実現するためのものであるから、簡素化させるために、ここで詳細な説明を省略する。
【０１４７】
従って、本発明の実施例の受信側装置は、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより、第２のデータ信号の共役の反数を伝送する第３のデータストリーム及び第１のデータ信号の共役を伝送する第４のデータストリームを受信することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１４８】
図１２は、本発明のさらなる実施例による送信側装置１１００の模式的なブロック図を示し、図１２に示されるように、該送信側装置１１００は、プロセッサ１１１０と送受信機１１２０とを備え、プロセッサ１１１０は送受信機１１２０に接続され、一実施例において、該送信側装置１１００はさらに記憶装置１１３０を含み、記憶装置１１３０はプロセッサ１１１０に接続され、さらに一実施例において、該送信側装置１１００はバスシステム１１４０を含む。プロセッサ１１１０、記憶装置１１３０及び送受信機１１２０はバスシステム１１４０によって接続され、該記憶装置１１３０はコマンドを記憶し、該プロセッサ１１１０は該記憶装置１１３０に記憶されたコマンドを実行して、情報又は信号を送信するように送受信機１１２０を制御し、
該送受信機１１２０は、第１の時点に、第１の周波数を用いて第１のデータストリームを介して受信側装置に第１のデータ信号を送信し、該第１の周波数を用いて第２のデータストリームを介して該受信側装置に第２のデータ信号を送信し、
該送受信機１１２０はさらに、該第１の時点後の第２の時点に、該第１の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第１の周波数を用いて、該受信側装置が該第１のデータ信号及び該第２のデータ信号を決定するための該第２のデータストリームを介して、該受信側装置に該第１のデータ信号の共役に等しい第４のデータ信号を送信し、
或いは、
該送受信機１１２０は、第１の時点に、第１の周波数を用いて第１のデータストリームを介して該受信側装置に第１のデータ信号を送信し、該第１の周波数を用いて第２のデータストリームを介して該受信側装置に第２のデータ信号を送信し、
該送受信機１１２０はさらに、該第１の時点に、第２の周波数を用いて、該受信側装置が該第１のデータ信号及び該第２のデータ信号を決定するための該第１のデータストリームを介して、該受信側装置に該第２のデータ信号の共役の反数に等しい第３のデータ信号を送信し、該第２の周波数を用いて、該受信側装置が該第１のデータ信号及び該第２のデータ信号を決定するための該第２のデータストリームを介して、該受信側装置に該第１のデータ信号の共役に等しい第４のデータ信号を送信する。
【０１４９】
従って、本発明の実施例の送信側装置は、異なる時点に、同じ周波数を用いて、受信側装置に第１のデータ信号及び第２のデータ信号を担持した第１のデータストリーム及び第２のデータストリームを送信し、又は、同じ時点に、異なる周波数を用いて、受信側装置に第１のデータ信号及び第２のデータ信号を担持した第１のデータストリーム及び第２のデータストリームを送信することで、データ伝送効率を向上できる。
【０１５０】
一実施例において、該第１のデータストリーム及び該第２のデータストリームは、同一の伝送ブロックにマッピングされる。
【０１５１】
一実施例において、該送信側装置が端末装置であり、該受信側装置が基地局であり、或いは、該送信側装置が基地局であり、該受信側装置が端末装置である。
【０１５２】
一実施例において、該基地局は、該端末装置と該基地局との間のデータ信号伝送方式を指示するための指示情報を該端末装置に送信する。
【０１５３】
一実施例において、該送信側装置が該基地局である場合、該基地局は、第１の送信ユニットを含む第１の基地局と、第２の送信ユニットを含む第２の基地局とを含み、該送受信機１１２０は、該第１のデータストリームにおけるデータ信号を送信する該第１の送信ユニットと、該第２のデータストリームにおけるデータ信号を送信する該第２の送信ユニットとを含む。
【０１５４】
なお、本発明の実施例による送信側装置１１００は、本発明の実施例における送信側装置７００に対応し、且つ本発明の実施例による方法１００及び方法２００を実行する対応本体に対応してもよく、且つ送信側装置１１００における各モジュールの上記及びほかの操作及び／又は機能はそれぞれ図１と図３中の各方法の対応プロセスを実現するためのものであるから、簡素化させるために、ここで詳細な説明を省略する。
【０１５５】
従って、本発明の実施例の送信側装置は、異なる時点に、同じ周波数を用いて、受信側装置に第１のデータ信号及び第２のデータ信号を担持した第１のデータストリーム及び第２のデータストリームを送信し、又は、同じ時点に、異なる周波数を用いて、受信側装置に第１のデータ信号及び第２のデータ信号を担持した第１のデータストリーム及び第２のデータストリームを送信することで、データ伝送効率を向上できる。
【０１５６】
図１３は、本発明のさらなる実施例による受信側装置１２００の模式的なブロック図を示し、図１３に示されるように、該受信側装置１２００は、プロセッサ１２１０と送受信機１２２０とを備え、プロセッサ１２１０は送受信機１２２０に接続され、一実施例において、該受信側装置１２００はさらに記憶装置１２３０を含み、記憶装置１２３０はプロセッサ１２１０に接続され、さらに一実施例において、該受信側装置１２００はバスシステム１２４０を含む。プロセッサ１２１０、記憶装置１２３０及び送受信機１２２０はバスシステム１２４０によって接続され、該記憶装置１２３０はコマンドを記憶し、該プロセッサ１２１０は、該記憶装置１２３０に記憶されたコマンドを実行して、情報又は信号を送信するように送受信機１２２０を制御し、
該送受信機１２２０は、第１の時点に、送信側装置が第１の周波数を用いて第１のデータストリームを介して送信した第１のデータ信号、及び該第１の周波数を用いて第２のデータストリームを介して送信した第２のデータ信号を受信し、
該送受信機１２２０はさらに、該第１の時点後の第２の時点に、該送信側装置が該第１の周波数を用いて該第１のデータストリームを介して送信した、該第２のデータ信号の共役の反数に等しい第３のデータ信号、及び該第１の周波数を用いて該第２のデータストリームを介して送信した、該第１のデータ信号の共役に等しい第４のデータ信号を受信し、
該プロセッサ１２１０は、該第１のデータストリーム及び該第２のデータストリームに基づいて、該第１のデータ信号及び該第２のデータ信号を決定し、
或いは、
該送受信機１２２０は、第１の時点に、該送信側装置が第１の周波数を用いて第１のデータストリームを介して送信した第１のデータ信号、及び該第１の周波数を用いて第２のデータストリームを介して送信した第２のデータ信号を受信し、
該送受信機１２２０はさらに、該第１の時点に、該送信側装置が第２の周波数を用いて該第１のデータストリームを介して送信した、該第２のデータ信号の共役の反数に等しい第３のデータ信号、及び該第２の周波数を用いて該第２のデータストリームを介して送信した、該第１のデータ信号の共役に等しい第４のデータ信号を受信し、
該プロセッサ１２１０は、該第１のデータストリーム及び該第２のデータストリームに基づいて、該第１のデータ信号及び該第２のデータ信号を決定する。
【０１５７】
従って、本発明の実施例の受信側装置は、送信側装置が異なる時点に同じ周波数を用いて送信した、第１のデータ信号及び第２のデータ信号を担持した第１のデータストリーム及び第２のデータストリーム、又は、同じ時点に異なる周波数を用いて送信した、第１のデータ信号及び第２のデータ信号を担持した第１のデータストリーム及び第２のデータストリームを受信することで、データ伝送効率を向上できる。
【０１５８】
一実施例において、該第１のデータストリーム及び該第２のデータストリームは、同一の伝送ブロックにマッピングされる。
【０１５９】
一実施例において、該受信側装置が基地局であり、該送信側装置が端末装置であり、或いは、該受信側装置が端末装置であり、該送信側装置が基地局である。
【０１６０】
一実施例において、該端末装置は、該基地局が送信した、該端末装置と該基地局との間のデータ信号伝送方式を指示するための指示情報を受信する。
【０１６１】
一実施例において、該送信側装置が該基地局である場合、該基地局は、該第１のデータストリームにおけるデータ信号を送信する第１の基地局と、該第２のデータストリームにおけるデータ信号を送信する第２の基地局とを含む。
【０１６２】
なお、本発明の実施例による受信側装置１２００は、本発明の実施例における受信側装置８００に対応し、且つ本発明の実施例による方法３００及び方法４００を実行する対応本体に対応してもよく、且つ受信側装置１２００における各モジュールの上記及びほかの操作及び／又は機能はそれぞれ図４〜図５中の各方法の対応プロセスを実現するためのものであるから、簡素化させるために、ここで詳細な説明を省略する。
【０１６３】
従って、本発明の実施例の受信側装置は、送信側装置が異なる時点に同じ周波数を用いて送信した、第１のデータ信号及び第２のデータ信号を担持した第１のデータストリーム及び第２のデータストリーム、又は、同じ時点に異なる周波数を用いて送信した、第１のデータ信号及び第２のデータ信号を担持した第１のデータストリーム及び第２のデータストリームを受信することで、データ伝送効率を向上できる。
【０１６４】
図１４は、本発明のさらなる実施例による送信側装置１３００の模式的なブロック図を示し、図１４に示されるように、該送信側装置１３００は、プロセッサ１３１０と送受信機１３２０とを備え、プロセッサ１３１０は送受信機１３２０に接続され、一実施例において、該送信側装置１３００はさらに記憶装置１３３０を含み、記憶装置１３３０はプロセッサ１３１０に接続され、さらに一実施例において、該送信側装置１３００はバスシステム１３４０を含む。プロセッサ１３１０、記憶装置１３３０及び送受信機１３２０はバスシステム１３４０によって接続され、該記憶装置１３３０はコマンドを記憶し、該プロセッサ１３１０は該記憶装置１３３０に記憶されたコマンドを実行して、情報又は信号を送信するように送受信機１３２０を制御し、
該送受信機１３２０は、第１のデータ信号及び第２のデータ信号を含むデータ信号を伝送するための第１のデータストリームと第２のデータストリームとが伝送ブロックにマッピングされた第１の伝送ブロックセットを、少なくとも１つの受信側装置に送信し、該第１の伝送ブロックセットにおける伝送ブロックの伝送にエラーが生じたとき、該少なくとも１つの受信側装置に、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを送信し、該第２の伝送ブロックセット及び該第１の伝送ブロックセットは、該少なくとも１つの受信側装置が該第１のデータ信号及び該第２のデータ信号を決定するのに用いられる。
【０１６５】
従って、本発明の実施例の送信側装置は、第１のＴＢセットにより第１のデータ信号及び第２のデータ信号を伝送し、第１のＴＢセットにおいてＴＢにエラーが生じたとき、第２のＴＢセットにおけるＴＢにより、第２のデータ信号の共役の反数を伝送する第３のデータストリーム及び第１のデータ信号の共役を伝送する第４のデータストリームを受信することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１６６】
一実施例において、該第１のデータストリームは、該第１のデータ信号を伝送し、該第２のデータストリームは、該第２のデータ信号を伝送する。
【０１６７】
一実施例において、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【０１６８】
一実施例において、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【０１６９】
一実施例において、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【０１７０】
一実施例において、該第１の伝送ブロックセットは、第１の伝送ブロックと第２の伝送ブロックを含み、該第１のデータストリームが該第１の伝送ブロックにマッピングされ、該第２のデータストリームが該第２の伝送ブロックにマッピングされ、該第２の伝送ブロックセットは、第３の伝送ブロックと第４の伝送ブロックを含み、該第３のデータストリームが該第３の伝送ブロックにマッピングされ、該第４のデータストリームが該第４の伝送ブロックにマッピングされる。
【０１７１】
一実施例において、該送信側装置は基地局であり、該少なくとも１つの受信側装置は第１の端末装置と第２の端末装置を含み、該送受信機１３２０は具体的には、該第１の端末装置に該第１の伝送ブロックを送信し、該第２の端末装置に該第２の伝送ブロックを送信し、該第１の端末装置に該第３の伝送ブロックを送信し、該第２の端末装置に該第４の伝送ブロックを送信し、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【０１７２】
一実施例において、該送信側装置が端末装置であり、該少なくとも１つの受信側装置が基地局であり、或いは、該送信側装置が基地局であり、該少なくとも１つの受信側装置が端末装置である。
【０１７３】
一実施例において、該基地局は、該端末装置が伝送ブロックの伝送にエラーが生じたときに採用する再伝送方式を指示するための指示情報を該端末装置に送信する。
【０１７４】
なお、本発明の実施例による送信側装置１３００は、本発明の実施例における送信側装置９００に対応し、且つ本発明の実施例による方法５００を実行する対応本体に対応してもよく、且つ送信側装置１３００における各モジュールの上記及びほかの操作及び／又は機能はそれぞれ図６中の各方法における対応プロセスを実行するためのものであるから、簡素化させるために、ここで詳細な説明を省略する。
【０１７５】
従って、本発明の実施例の送信側装置は、第１のＴＢセットにより第１のデータ信号及び第２のデータ信号を伝送し、第１のＴＢセットにおいてＴＢにエラーが生じたとき、第２のＴＢセットにおけるＴＢにより、第２のデータ信号の共役の反数を伝送する第３のデータストリーム及び第１のデータ信号の共役を伝送する第４のデータストリームを受信することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１７６】
図１５は、本発明のさらなる実施例による受信側装置１４００の模式的なブロック図を示し、該受信側装置１４００は、送信側装置と少なくとも１つの受信側装置とを備える通信システムに位置し、該受信側装置１４００は、該少なくとも１つの受信側装置のうちのいずれか１つの受信側装置であり、図１５に示されるように、該受信側装置１４００は、プロセッサ１４１０と送受信機１４２０とを備え、プロセッサ１４１０は送受信機１４２０に接続され、一実施例において、該受信側装置１４００はさらに記憶装置１４３０を含み、記憶装置１４３０はプロセッサ１４１０に接続され、さらに一実施例において、該受信側装置１４００はバスシステム１４４０を含む。プロセッサ１４１０、記憶装置１４３０及び送受信機１４２０はバスシステム１４４０によって接続され、該記憶装置１４３０はコマンドを記憶し、該プロセッサ１４１０は該記憶装置１４３０に記憶されたコマンドを実行して、情報又は信号を送信するように送受信機１４２０を制御し、
該送受信機１４２０は、該送信側装置が該少なくとも１つの受信側装置に送信した、第１のデータ信号及び第２のデータ信号を含むデータ信号を伝送するための第１のデータストリームと第２のデータストリームとが伝送ブロックにマッピングされた第１の伝送ブロックセットを受信し、該第１の伝送ブロックセットにおける伝送ブロックの伝送にエラーが生じたとき、該送信側装置が該少なくとも１つの受信側装置に送信した、該第２のデータ信号の共役の反数に等しい第３のデータ信号を伝送するための第３のデータストリームと該第１のデータ信号の共役に等しい第４のデータ信号を伝送するための第４のデータストリームとが伝送ブロックにマッピングされた第２の伝送ブロックセットを受信し、該第２の伝送ブロックセット及び該第１の伝送ブロックセットは、該少なくとも１つの受信側装置が該第１のデータ信号及び該第２のデータ信号を決定するのに用いられる。
【０１７７】
従って、本発明の実施例の受信側装置は、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより、第２のデータ信号の共役の反数を伝送する第３のデータストリーム及び第１のデータ信号の共役を伝送する第４のデータストリームを受信することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１７８】
一実施例において、該第１のデータストリームは、該第１のデータ信号を伝送し、該第２のデータストリームは、該第２のデータ信号を伝送する。
【０１７９】
一実施例において、該第１のデータストリームは、第１の時点に第１の周波数を用いて該第１のデータ信号を伝送し、第２の周波数を用いて該第３のデータ信号を伝送し、該第２のデータストリームは、該第１の時点に該第１の周波数を用いて該第２のデータ信号を伝送し、該第２の周波数を用いて該第４のデータ信号を伝送する。
【０１８０】
一実施例において、該第１のデータストリームは、第１の時点に第１の周波数を用いて該第１のデータ信号を伝送し、第２の時点に該第１の周波数を用いて該第３のデータ信号を伝送し、該第２のデータストリームは、該第１の時点に該第１の周波数を用いて該第２のデータ信号を伝送し、該第２の時点に該第１の周波数を用いて該第４のデータ信号を伝送する。
【０１８１】
一実施例において、該第１の伝送ブロックセットは、第１の伝送ブロックを含み、該第１のデータストリーム及び該第２のデータストリームがいずれも該第１の伝送ブロックにマッピングされ、該第２の伝送ブロックセットは、第２の伝送ブロックを含み、該第３のデータストリーム及び該第４のデータストリームがいずれも該第２の伝送ブロックにマッピングされる。
【０１８２】
一実施例において、該第１の伝送ブロックセットは、第１の伝送ブロックと第２の伝送ブロックを含み、該第１のデータストリームが該第１の伝送ブロックにマッピングされ、該第２のデータストリームが該第２の伝送ブロックにマッピングされ、該第２の伝送ブロックセットは、第３の伝送ブロックと第４の伝送ブロックを含み、該第３のデータストリームが該第３の伝送ブロックにマッピングされ、該第４のデータストリームが該第４の伝送ブロックにマッピングされる。
【０１８３】
一実施例において、該少なくとも１つの受信側装置は該第１の端末装置と第２の端末装置を含み、該送信側装置は基地局であり、該送受信機１４２０は具体的には、該基地局が送信した該第１の伝送ブロックを受信し、該基地局が該第２の端末装置に該第２の伝送ブロックを送信し、該基地局が送信した該第３の伝送ブロックを受信し、該基地局が該第２の端末装置に該第４の伝送ブロックを送信し、該第１の伝送ブロック及び該第３の伝送ブロックは、該第１の端末装置が該第１のデータ信号を決定するのに用いられ、該第２の伝送ブロック及び該第４の伝送ブロックは、該第２の端末装置が該第２のデータ信号を決定するのに用いられる。
【０１８４】
一実施例において、該受信側装置が基地局であり、該送信側装置が端末装置であり、或いは、該受信側装置が端末装置であり、該送信側装置が基地局である。
【０１８５】
一実施例において、該端末装置は、該基地局が送信した、該端末装置が伝送ブロックの伝送にエラーが生じたときに採用する再伝送方式を指示するための指示情報を受信する。
【０１８６】
なお、本発明の実施例による受信側装置１４００は、本発明の実施例における受信側装置１０００に対応し、且つ本発明の実施例による方法６００を実行する対応本体に対応してもよく、且つ受信側装置１４００における各モジュールの上記及びほかの操作及び／又は機能はそれぞれ図７中の各方法における対応プロセスを実現するためのものであるから、簡素化させるために、ここで詳細な説明を省略する。
【０１８７】
従って、本発明の実施例の受信側装置は、送信側装置が第１のＴＢセットにより伝送した第１のデータ信号及び第２のデータ信号を受信し、第１のＴＢセットにおいてＴＢにエラーが生じたとき、さらに第２のＴＢセットにおけるＴＢにより、第２のデータ信号の共役の反数を伝送する第３のデータストリーム及び第１のデータ信号の共役を伝送する第４のデータストリームを受信することによって、受信側装置が第１のＴＢセット及び第２のＴＢセットに基づいて、第１のデータ信号及び第２のデータ信号を取得することで、データ伝送にエラーが生じたとき、上記再伝送方式でデータ伝送効率をさらに向上させる。
【０１８８】
なお、本発明の上記方法の実施例は、プロセッサに適用されてもよく、又はプロセッサにより実現されてもよい。プロセッサは信号処理能力を有する集積回路チップである。実現過程において、上記方法の実施例の各ステップはプロセッサにおけるハードウェアの集積論理回路又はソフトウェア形式のコマンドとして行える。上記プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、離散ゲート又はトランジスタロジック装置、離散ハードウェアユニットであってもよい。本発明の実施例に開示されている各方法、ステップ及びロジックブロック図を実現又は実行できる。汎用プロセッサは、マイクロプロセッサであってもよく、任意の通常のプロセッサなどであってもよい。本発明の実施例に基づいて開示されている方法のステップは、ハードウェアデコードプロセッサにより実行されてもよく、又はデコードプロセッサにおけるハードウェア及びソフトウェアモジュールの組み合わせにより実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなどの本分野で公知する成熟記憶媒体に記憶されてもよい。該記憶媒体は記憶装置に位置し、プロセッサは記憶装置中の情報を読み取り、そのハードウェアと組み合わせて上記方法のステップを行う。
【０１８９】
なお、本発明の実施例における記憶装置は、揮発性メモリ又は不揮発性メモリであってもよく、又は揮発性メモリと不揮発性メモリの両方を含んでもよい。不揮発性メモリは、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、ランダムアクセスメモリ（Ｒａｎｄｏｍ  Ａｃｃｅｓｓ  Ｍｅｍｏｒｙ、ＲＡＭ）であってもよく、外部キャッシュメモリとして使用される。例示的であるが制限的ではない説明によって、多数の形態のＲＡＭ、たとえばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）は利用可能である。なお、本明細書に説明されたシステム及び方法における記憶装置は、以上のもの及び任意の適切なタイプのメモリを含むが、それらに制限されないことを意図する。
【０１９０】
なお、本明細書では、用語「及び／又は」は、関連オブジェクトの関連関係を説明するものに過ぎず、３種類の関係があることを示し、たとえば、Ａ及び／又はＢは、Ａが独立に存在する場合、ＡとＢが同時に存在する場合、Ｂが独立に存在する場合を含む。さらに、本明細書では、符号「／」は、一般的に、前後に記載の関連オブジェクトが「又は」の関係を有することを示す。
【０１９１】
当業者が分かるように、本明細書に開示されている実施例に基づいて説明された各例示的なユニット及びアルゴリズムステップは、電子ハードウェア、又はコンピュータソフトウェア及び電子ハードウェアの組み合わせによって実現できる。これらの機能がハードウェアで実行されるか、ソフトウェア方式で実行されるかは、技術案の特定応用及び設計上の制約条件に依存する。当業者であれば、特定応用ごとに異なる方法を用いて説明された機能を実現できるが、このような実現は本発明の範囲に含まれる。
【０１９２】
当業者にとって明らかなように、説明の便利さ及び簡素化から、上記説明したシステム、装置及びユニットの具体的な作動過程については、前述方法の実施例における対応過程を参照すればよく、ここで詳細な説明を省略する。
【０１９３】
本願によるいくつかの実施例では、理解されるように、開示されているシステム、装置及び方法は、ほかの方式によって実現されてもよい。たとえば、以上で説明した装置の実施例はあくまでも例示的なものに過ぎず、たとえば、前記ユニットの分割は、ロジック機能に応じた分割であり、実際に実施されるときに、別の分割方式があり、たとえば複数のユニット又はモジュールは別のシステムに結合又は集積化されたり、又は一部の特徴を無視にしたり、又は実行しなかったりする。また、表示又は検討された相互結合又は直接結合又は通信接続は、一部のインターフェース、装置又はユニットを介した間接的結合又は通信接続であってもよく、電気的形態、機械的形態又はほかの形態としてもよい。
【０１９４】
前記分離部材として説明したユニットは、物理的に分離してもよく、分離しなくてもよく、ユニットとして示される部材は、物理ユニットであってもよく、物理ユニットでなくてもよく、すなわち、１つの位置に位置してもよく、又は複数のネットワークユニットに分布してもよい。必要に応じて、そのうちの一部又は全部のユニットによって、本実施例の手段の目的を実現することができる。
【０１９５】
さらに、本発明の各実施例における各機能ユニットは、１つの処理ユニットに集積化されてもよく、各ユニットは独立に物理的に存在してもよく、２つ又は２つ以上のユニットは１つのユニットに集積化されてもよい。
【０１９６】
前記機能は、ソフトウェア機能ユニットの形態として実現され且つ独立した製品として販売又は使用される場合、コンピュータ可読記憶媒体に記憶できる。このような知見に基づいて、本発明の技術案では、本質的に、又は、従来技術に貢献する部分又は該技術案の一部は、ソフトウェア製品の形態として実現でき、該コンピュータソフトウェア製品は、記憶媒体に記憶されており、コンピュータ装置（パソコン、サーバ、又はネットワーク装置など）に本発明の各実施例の前記方法の全部又は一部のステップを実行させるいくつかのコマンドを含む。前述の記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどのプロクラムコードを記憶可能な種々の媒体を含む。
【０１９７】
以上は、本発明の実施形態に過ぎず、本発明の保護範囲はそれに制限されず、当業者であれば、本発明に開示されている技術範囲内で容易に想到し得る変化又は置換は、いずれも本発明の保護範囲に含まれる。従って、本発明の保護範囲は特許請求の範囲の保護範囲に準じる。
【手続補正２】
【補正対象書類名】特許請求の範囲
【補正対象項目名】全文
【補正方法】変更
【補正の内容】
【特許請求の範囲】
【請求項１】
データ伝送方法であって、
第１の時点に、送信側装置が、第１の周波数を用いて第１のデータストリームを介して受信側装置に第１のデータ信号を送信し、前記第１の周波数を用いて第２のデータストリームを介して前記受信側装置に第２のデータ信号を送信するステップと、
前記第１の時点後の第２の時点に、前記送信側装置が、前記第１の周波数を用いて、前記受信側装置が前記第１のデータ信号及び前記第２のデータ信号を決定するための前記第１のデータストリームを介して、前記受信側装置に前記第２のデータ信号の共役の反数に等しい第３のデータ信号を送信し、前記第１の周波数を用いて、前記受信側装置が前記第１のデータ信号及び前記第２のデータ信号を決定するための前記第２のデータストリームを介して、前記受信側装置に前記第１のデータ信号の共役に等しい第４のデータ信号を送信するステップと
を含み、
或いは、
第１の時点に、前記送信側装置が、第１の周波数を用いて第１のデータストリームを介して前記受信側装置に第１のデータ信号を送信し、前記第１の周波数を用いて第２のデータストリームを介して前記受信側装置に第２のデータ信号を送信するステップと、
前記第１の時点に、前記送信側装置が、第２の周波数を用いて、前記受信側装置が前記第１のデータ信号及び前記第２のデータ信号を決定するための前記第１のデータストリームを介して、前記受信側装置に前記第２のデータ信号の共役の反数に等しい第３のデータ信号を送信し、前記第２の周波数を用いて、前記受信側装置が前記第１のデータ信号及び前記第２のデータ信号を決定するための前記第２のデータストリームを介して、前記受信側装置に前記第１のデータ信号の共役に等しい第４のデータ信号を送信するステップと
を含むことを特徴とするデータ伝送方法。
【請求項２】
前記第１のデータストリーム及び前記第２のデータストリームは、同一の伝送ブロックにマッピングされる、ことを特徴とする請求項１に記載の方法。
【請求項３】
前記送信側装置が端末装置であり、前記受信側装置が基地局であり、
前記方法は、
前記端末装置が、前記基地局が送信した、前記端末装置と前記基地局との間のデータ信号伝送方式を指示するための指示情報を受信するステップ、
をさらに含むことを特徴とする請求項１又は２に記載の方法。
【請求項４】
前記送信側装置が基地局であり、前記受信側装置が端末装置であり、
前記方法は、
前記基地局が、前記端末装置と前記基地局との間のデータ信号伝送方式を指示するための指示情報を前記端末装置に送信する、
ことをさらに含むことを特徴とする請求項１又は２に記載の方法。
【請求項５】
前記送信側装置が基地局である場合、前記基地局は、第１の基地局と第２の基地局とを含み、
前記第１の時点に、送信側装置が、第１の周波数を用いて第１のデータストリームを介して受信側装置に第１のデータ信号を送信し、前記第１の周波数を用いて第２のデータストリームを介して前記受信側装置に第２のデータ信号を送信するステップは、
第１の時点に、前記第１の基地局は、前記第１の周波数を用いて前記第１のデータストリームを介して受信側装置に第１のデータ信号を送信することと、
第１の時点に、前記第２の基地局は、前記第１の周波数を用いて前記第２のデータストリームを介して前記受信側装置に第２のデータ信号を送信することと、
を含むことを特徴とする請求項１又は２に記載の方法。
【請求項６】
データ伝送方法であって、
送信側装置が、第１のデータ信号及び第２のデータ信号を含むデータ信号を伝送するための第１のデータストリームと第２のデータストリームとが伝送ブロックにマッピングされた第１の伝送ブロックセットを、少なくとも１つの受信側装置に送信するステップと、
前記第１の伝送ブロックセットにおける伝送ブロックの伝送にエラーが生じたとき、前記送信側装置が、前記第２のデータ信号の共役の反数に等しい第３のデータ信号を伝送するための第３のデータストリームと、前記第１のデータ信号の共役に等しい第４のデータ信号を伝送するための第４のデータストリームとが伝送ブロックにマッピングされた第２の伝送ブロックセットを、前記少なくとも１つの受信側装置に送信するステップと、
を含み、
前記第２の伝送ブロックセット及び前記第１の伝送ブロックセットは、前記少なくとも１つの受信側装置が前記第１のデータ信号及び前記第２のデータ信号を決定するのに用いられる、
ことを特徴とするデータ伝送方法。
【請求項７】
前記第１のデータストリームは、前記第１のデータ信号を伝送するのに用いられ、前記第２のデータストリームは、前記第２のデータ信号を伝送するのに用いられる、
ことを特徴とする請求項６に記載の方法。
【請求項８】
前記第１のデータストリームは、第１の時点に第１の周波数を用いて前記第１のデータ信号を伝送し、第２の周波数を用いて前記第３のデータ信号を伝送するのに用いられ、
前記第２のデータストリームは、前記第１の時点に前記第１の周波数を用いて前記第２のデータ信号を伝送し、前記第２の周波数を用いて前記第４のデータ信号を伝送するのに用いられる、
ことを特徴とする請求項６に記載の方法。
【請求項９】
前記第１のデータストリームは、第１の時点に第１の周波数を用いて前記第１のデータ信号を伝送し、第２の時点に前記第１の周波数を用いて前記第３のデータ信号を伝送するのに用いられ、
前記第２のデータストリームは、前記第１の時点に前記第１の周波数を用いて前記第２のデータ信号を伝送し、前記第２の時点に前記第１の周波数を用いて前記第４のデータ信号を伝送するのに用いられる、
ことを特徴とする請求項６に記載の方法。
【請求項１０】
前記第１の伝送ブロックセットは、第１の伝送ブロックを含み、前記第１のデータストリーム及び前記第２のデータストリームはいずれも前記第１の伝送ブロックにマッピングされ、
前記第２の伝送ブロックセットは、第２の伝送ブロックを含み、前記第３のデータストリーム及び前記第４のデータストリームはいずれも前記第２の伝送ブロックにマッピングされる、
ことを特徴とする請求項６から９のいずれか１項に記載の方法。
【請求項１１】
前記第１の伝送ブロックセットは、第１の伝送ブロックと、第２の伝送ブロックとを含み、前記第１のデータストリームは前記第１の伝送ブロックにマッピングされ、前記第２のデータストリームは前記第２の伝送ブロックにマッピングされ、
前記第２の伝送ブロックセットは、第３の伝送ブロックと、第４の伝送ブロックとを含み、前記第３のデータストリームは前記第３の伝送ブロックにマッピングされ、前記第４のデータストリームは前記第４の伝送ブロックにマッピングされる、
ことを特徴とする請求項６から９のいずれか１項に記載の方法。
【請求項１２】
前記送信側装置は、基地局であり、前記少なくとも１つの受信側装置は、第１の端末装置と、第２の端末装置とを含み、
送信側装置が、少なくとも１つの受信側装置に第１の伝送ブロックセットを送信するステップは、
前記基地局が、前記第１の端末装置に前記第１の伝送ブロックを送信し、前記第２の端末装置に前記第２の伝送ブロックを送信するステップを含み、
前記送信側装置が、前記少なくとも１つの受信側装置に第２の伝送ブロックセットを送信するステップは、
前記基地局が、前記第１の端末装置に前記第３の伝送ブロックを送信し、前記第２の端末装置に前記第４の伝送ブロックを送信するステップを含み、
前記第１の伝送ブロック及び前記第３の伝送ブロックは、前記第１の端末装置が前記第１のデータ信号を決定するのに用いられ、前記第２の伝送ブロック及び前記第４の伝送ブロックは、前記第２の端末装置が前記第２のデータ信号を決定するのに用いられる、
ことを特徴とする請求項１１に記載の方法。
【請求項１３】
前記送信側装置が端末装置であり、前記少なくとも１つの受信側装置が基地局であり、
前記方法は、
前記端末装置が、前記基地局が送信した、前記端末装置と前記基地局との間のデータ信号伝送方式を指示するための指示情報を受信するステップ、
をさらに含むことを特徴とする請求項６から１１のいずれか１項に記載の方法。
【請求項１４】
前記送信側装置が基地局であり、前記少なくとも１つの受信側装置が端末装置であり、
ことを特徴とする請求項６〜１１のいずれか１項に記載の方法。
【請求項１５】
送信側装置であって、
プロセッサ、トランシーバ、および命令が格納されたメモリを含み、
前記プロセッサは、前記命令を実行するときに、請求項１〜１４のいずれか１項に記載のデータ伝送方法を実行するように構成される、
ことを特徴とする送信側装置。
【国際調査報告】
2019537286.tif 000056
2019537286.tif 000057
2019537286.tif 000058
2019537286.tif 000059